(57)【要約】  共有無線周波数スペクトル帯域においてアップリンクチャネルを多重化するための、ワイヤレス通信のための方法、システム、およびデバイスについて説明される。本技法は、アップリンクリソースをアップリンクリソースの複数の異なるセットにセグメント化することを提供し得、アップリンクリソースの各セットは、１つまたは複数の関連するアップリンク制御チャネルリソースを有する。基地局またはユーザ機器（ＵＥ）は、ＵＥの他の割り振られたアップリンクリソースに対するアップリンクリソースのセットのアップリンク制御チャネルリソースのロケーションに基づいて、ＵＥからのアップリンク送信のためにアップリンクリソースの複数のセットからアップリンクリソースのセットを選択し得る。アップリンク制御情報（ＵＣＩ）は、いくつかの状況では、基地局への送信のためにＵＥの１つまたは複数のアップリンク共有チャネル送信と多重化され得る。【選択図】図２
2021506170.tif 000002
【特許請求の範囲】
【請求項１】
ワイヤレス通信のための方法であって、
基地局への１つまたは複数のアップリンク送信の送信のために共有無線周波数スペクトル帯域内でアップリンクリソースの第１のセットとアップリンクリソースの第２のセットとを構成する構成情報を前記基地局から受信すること、前記アップリンクリソースの第１のセットは、前記アップリンクリソースの第２のセットに時間的に隣接する、と、
前記基地局からの１つまたは複数のダウンリンク送信に少なくとも部分的に基づいて前記基地局へのアップリンク制御チャネル送信のために前記アップリンクリソースの第１のセットまたは前記アップリンクリソースの第２のセットを選択することと、
アップリンクリソースの前記選択された第１のセットまたはアップリンクリソースの前記選択された第２のセットを使用して前記基地局に前記１つまたは複数のアップリンク送信を送信することと
を備える、方法。
【請求項２】
前記アップリンクリソースの第１のセットと前記アップリンクリソースの第２のセットとの各々は、関連するアップリンク制御チャネルリソースを有する、
請求項１に記載の方法。
【請求項３】
前記アップリンクリソースの第１のセットまたは前記アップリンクリソースの第２のセットの前記選択は、アップリンク送信持続時間の時間境界に対する、前記アップリンクリソースの第１のセットに関連する前記アップリンク制御チャネルリソースの時間的ロケーションと、前記アップリンクリソースの第２のセットに関連する前記アップリンク制御チャネルリソースの時間的ロケーションとに少なくとも部分的に基づく、
請求項２に記載の方法。
【請求項４】
前記選択することは、
前記基地局からの１つまたは複数のダウンリンク送信が、前記アップリンクリソースの第１のセットに関連するダウンリンクリソースを使用して送信されることを識別することと、
前記識別することに少なくとも部分的に基づいて前記１つまたは複数のアップリンク送信のために前記アップリンクリソースの第１のセットを選択することと
を備える、請求項１に記載の方法。
【請求項５】
前記選択することは、
前記アップリンクリソースの第１のセットまたは前記アップリンクリソースの第２のセットのうちのどちらが前記１つまたは複数のアップリンク送信のために使用されるべきかを示すシグナリングを１つまたは複数のダウンリンク送信中で受信することを備える、
請求項１に記載の方法。
【請求項６】
前記１つまたは複数のアップリンク送信は、１つまたは複数のアップリンク部分と、１つまたは複数のダウンリンク部分とを有する無線フレーム内で送信され、各アップリンク部分は、前記アップリンクリソースの第１のセットと、前記アップリンクリソースの第２のセットとに区分される、
請求項１に記載の方法。
【請求項７】
前記アップリンクリソースの第１のセットと前記アップリンクリソースの第２のセットとの各々は、アップリンク制御チャネルリソースを有し、前記アップリンク制御チャネルリソースは、前記アップリンクリソースの第１のセットと前記アップリンクリソースの第２のセットとの各々のために独立して構成される、
請求項１に記載の方法。
【請求項８】
前記送信することは、
前記基地局から受信されたアップリンク許可に少なくとも部分的に基づいて無線フレームの１つまたは複数のダウンリンクアップリンクパートの各々のためにアップリンクリソースの前記選択された第１のセットまたはアップリンクリソースの前記選択された第２のセットを使用して送信することを備える、
請求項１に記載の方法。
【請求項９】
前記基地局から受信された前記アップリンク許可は、前記アップリンクリソースの第１のセットまたは前記アップリンクリソースの第２のセットのうちのどちらが前記無線フレームの各ダウンリンクアップリンクパートのために使用されるべきかを動的に示す、
請求項８に記載の方法。
【請求項１０】
前記基地局への前記アップリンク制御チャネル送信は、１つまたは複数のダウンリンク送信の受信に肯定応答する肯定応答フィードバック、あるいはチャネルの１つまたは複数の測定パラメータを示すチャネル状態情報（ＣＳＩ）のうちの１つまたは複数を備えるアップリンク制御情報（ＵＣＩ）を含む、
請求項１に記載の方法。
【請求項１１】
前記１つまたは複数のアップリンク送信は、無線フレームの１つまたは複数のアップリンクサブフレーム内で送信される１つまたは複数のアップリンク共有チャネル送信と、１つまたは複数のアップリンク制御チャネル送信とを含み、第１のサブフレームがアップリンク制御チャネル送信を含むとき、前記第１のサブフレーム内のアップリンク共有チャネル送信は、ドロップされる、
請求項１に記載の方法。
【請求項１２】
前記１つまたは複数のアップリンク送信は、無線フレームの１つまたは複数のアップリンクサブフレーム内で送信される１つまたは複数のアップリンク共有チャネル送信と、１つまたは複数のアップリンク制御チャネル送信とを含み、第１のサブフレームがアップリンク制御チャネル送信を含むとき、前記第１のサブフレーム内のアップリンク共有チャネル送信は、アップリンク制御チャネル送信リソースの周りでレートマッチングされる、
請求項１に記載の方法。
【請求項１３】
前記第１のサブフレーム内の前記アップリンク共有チャネル送信は、前記アップリンク制御チャネル送信リソースと、１つまたは複数の他の送信機の１つまたは複数の他のアップリンク制御チャネル送信リソースとの周りでレートマッチングされる、
請求項１２に記載の方法。
【請求項１４】
前記１つまたは複数のアップリンク送信は、サウンディング基準信号（ＳＲＳ）送信を含み、構成されたＳＲＳロケーションが、アップリンクリソースの前記選択されたセット内にあるとき、前記ＳＲＳは、アップリンクリソースの前記選択されたセット中で送信され、前記構成されたＳＲＳロケーションが、アップリンクリソースの前記選択されたセットとはアップリンクリソースの異なるセット中にあるとき、スケジュールされたＳＲＳ送信は、ドロップされ、前記ＳＲＳロケーションが構成されないとき、前記ＳＲＳ送信は、アップリンクリソースのいずれかの選択されたセット中で送信される、
請求項１に記載の方法。
【請求項１５】
ワイヤレス通信のための方法であって、
基地局において、少なくとも１つのユーザ機器（ＵＥ）のアップリンク送信のために共有無線周波数スペクトル帯域内でアップリンクリソースの第１のセットとアップリンクリソースの第２のセットとを構成すること、前記アップリンクリソースの第１のセットは、前記アップリンクリソースの第２のセットに時間的に隣接し、前記アップリンクリソースの第１のセットと前記アップリンクリソースの第２のセットとの各々は、関連するアップリンク制御チャネルリソースを有する、と、
前記第１のＵＥのアップリンク送信持続時間の時間境界に対する、前記アップリンクリソースの第１のセットに関連する前記制御チャネルリソースの時間的ロケーションと、前記アップリンクリソースの第２のセットに関連する前記制御チャネルリソースの時間的ロケーションとに少なくとも部分的に基づいて、第１のＵＥの１つまたは複数のアップリンク送信のために前記アップリンクリソースの第１のセットまたは前記アップリンクリソースの第２のセットを選択することと、
前記アップリンクリソースの第１のセットまたは前記アップリンクリソースの第２のセットのうちのどちらが前記１つまたは複数のアップリンク送信のために使用されるべきかを示すインジケーションを前記第１のＵＥに送信することと
を備える、方法。
【請求項１６】
ダウンリンクリソースの第１のセットを使用して前記第１のＵＥに１つまたは複数のダウンリンク送信を送信することをさらに備え、前記１つまたは複数のダウンリンク送信のために使用されるダウンリンクリソースの前記第１のセットは、前記アップリンクリソースの第１のセットが前記１つまたは複数のアップリンク送信のために使用されるべきことを前記ＵＥに示す、
請求項１５に記載の方法。
【請求項１７】
前記第１のＵＥに前記インジケーションを前記送信することは、
前記アップリンクリソースの第１のセットまたは前記アップリンクリソースの第２のセットのうちのどちらが前記１つまたは複数のアップリンク送信のために使用されるべきかを示すシグナリングを１つまたは複数のダウンリンク送信中で送信することを備える、
請求項１５に記載の方法。
【請求項１８】
前記１つまたは複数のアップリンク送信は、１つまたは複数のアップリンク部分と、１つまたは複数のダウンリンク部分とを有する無線フレーム内で送信され、各アップリンク部分が、前記アップリンクリソースの第１のセットと、前記アップリンクリソースの第２のセットとに区分される、
請求項１５に記載の方法。
【請求項１９】
前記アップリンクリソースの第１のセットと前記アップリンクリソースの第２のセットとの各々がアップリンク制御チャネルリソースを有し、前記アップリンク制御チャネルリソースは、前記アップリンクリソースの第１のセットと前記アップリンクリソースの第２のセットとの各々のために独立して構成される、
請求項１５に記載の方法。
【請求項２０】
前記構成することは、
無線フレームの１つまたは複数のダウンリンクアップリンクパートの各々のために前記アップリンクリソースの第１のセットと前記アップリンクリソースの第２のセットとを構成することを備える、
請求項１５に記載の方法。
【請求項２１】
前記第１のＵＥに前記インジケーションを前記送信することは、
前記アップリンクリソースの第１のセットまたは前記アップリンクリソースの第２のセットのうちのどちらが前記無線フレームの各ダウンリンクアップリンクパートのために使用されるべきかを動的に示す１つまたは複数のアップリンク許可を前記第１のＵＥに送信することを備える、
請求項２０に記載の方法。
【請求項２２】
１つまたは複数のダウンリンク送信の受信に肯定応答する肯定応答フィードバック、あるいはチャネルの１つまたは複数の測定パラメータを示すチャネル状態情報（ＣＳＩ）のうちの１つまたは複数を備えるアップリンク制御情報（ＵＣＩ）を含むアップリンク制御チャネル送信を前記第１のＵＥから受信することをさらに備える、
請求項１５に記載の方法。
【請求項２３】
前記１つまたは複数のアップリンク送信は、無線フレームの１つまたは複数のアップリンクサブフレーム内で送信される１つまたは複数のアップリンク共有チャネル送信と、１つまたは複数のアップリンク制御チャネル送信とを含み、第１のサブフレームがアップリンク制御チャネル送信を含むとき、前記第１のサブフレーム内のアップリンク共有チャネル送信がドロップされる、
請求項１５に記載の方法。
【請求項２４】
前記１つまたは複数のアップリンク送信は、無線フレームの１つまたは複数のアップリンクサブフレーム内で送信される１つまたは複数のアップリンク共有チャネル送信と、１つまたは複数のアップリンク制御チャネル送信とを含み、第１のサブフレームがアップリンク制御チャネル送信を含むとき、前記第１のサブフレーム内のアップリンク共有チャネル送信は、アップリンク制御チャネル送信リソースの周りでレートマッチングされる、
請求項１５に記載の方法。
【請求項２５】
前記第１のサブフレーム内の前記アップリンク共有チャネル送信は、前記アップリンク制御チャネル送信リソースと、１つまたは複数の他の送信機の１つまたは複数の他のアップリンク制御チャネル送信リソースとの周りでレートマッチングされる、
請求項２４に記載の方法。
【請求項２６】
ワイヤレス通信のための方法であって、
ユーザ機器（ＵＥ）から基地局への１つまたは複数のアップリンク送信のためにアップリンク共有チャネルリソースとアップリンク制御チャネルリソースとを構成する構成情報を前記基地局から前記ＵＥにおいて受信することと、
前記基地局に送信されるべきアップリンク制御情報（ＵＣＩ）を識別することと、
前記アップリンク共有チャネルリソースが前記基地局への前記ＵＣＩの送信のために十分なリソースを含むと決定することと、
前記決定することに応答して、前記アップリンク共有チャネルリソースを使用して前記基地局に前記ＵＣＩを送信することと
を備える、方法。
【請求項２７】
前記アップリンク共有チャネルリソースが前記基地局への前記ＵＣＩの送信のために不十分なリソースを含むと決定することに応答して、前記アップリンク制御チャネルリソースを使用して前記基地局に前記ＵＣＩを送信することをさらに備える、
請求項２６に記載の方法。
【請求項２８】
前記基地局からダウンリンク制御情報（ＤＣＩ）送信を受信することをさらに備え、前記ＤＣＩ送信は、前記アップリンク共有チャネルリソースが前記ＵＣＩを送信するために使用されることが可能かどうかのインジケーションを含み、前記決定することは、前記アップリンク共有チャネルリソースが前記ＵＣＩを送信するために使用されることが可能であるというＤＣＩインジケーションを受信することに応答して実施される、
請求項２７に記載の方法。
【請求項２９】
前記ＵＣＩは、前記基地局から受信された１つまたは複数のダウンリンク送信の後に、無線フレームの第１の有効なサブフレーム中で送信される１つまたは複数のダウンリンク送信の受信に肯定応答する肯定応答フィードバックか、チャネル状態情報（ＣＳＩ）が利用可能であり、前記ＵＥが、前記無線フレーム中でＣＳＩを報告するように構成されたとき、前記無線フレームのいずれかの利用可能なサブフレーム中で送信されるチャネルの１つまたは複数の測定パラメータを示すＣＳＩか、あるいはそれらの任意の組合せを含む、
請求項２６に記載の方法。
【請求項３０】
前記アップリンク共有チャネルリソースは、前記アップリンク制御チャネルリソースと重複せず、前記構成情報は、前記アップリンク共有チャネルリソースを使用する他のアップリンク送信とは無関係に前記アップリンク制御チャネルリソースを使用して送信されるように前記ＵＣＩをさらに構成するか、または前記構成情報は、前記決定することに応答して、前記アップリンク共有チャネルリソースを使用して送信されるように前記ＵＣＩをさらに構成する、
請求項２６に記載の方法。
【請求項３１】
前記アップリンク制御チャネルリソースを含む無線フレームの第１の数のサブフレームと、第２の数の構成されたアップリンク共有チャネル繰り返しとの間のマッピングを識別することをさらに備え、前記決定することは、前記マッピングに少なくとも部分的に基づく、
請求項２６に記載の方法。
【請求項３２】
前記決定することは、
前記第２の数の構成されたアップリンク共有チャネル繰り返しが前記第１の数のサブフレーム以上であるとき、前記ＵＣＩの送信のために前記アップリンク共有チャネルリソースを使用することを決定することを備える、
請求項３１に記載の方法。
【請求項３３】
前記決定することは、
前記第２の数の構成されたアップリンク共有チャネル繰り返しが前記第１の数のサブフレーム未満であるとき、前記ＵＣＩの送信のために前記アップリンク制御チャネルリソースを使用することを決定することをさらに備える、
請求項３２に記載の方法。
【請求項３４】
前記アップリンク共有チャネルリソースを使用して前記基地局に１つまたは複数のアップリンク共有チャネル送信を送信することをさらに備え、前記１つまたは複数のアップリンク共有チャネル送信は、前記ＵＣＩと多重化される、
請求項２６に記載の方法。
【請求項３５】
ワイヤレス通信のための方法であって、
基地局において、ユーザ機器（ＵＥ）から前記基地局への１つまたは複数のアップリンク送信のためにアップリンク共有チャネルリソースとアップリンク制御チャネルリソースとを用いて前記ＵＥを構成することと、
前記アップリンク共有チャネルリソースが、前記基地局に送信されるべきアップリンク制御情報（ＵＣＩ）の送信のために十分なリソースを含むかどうかを決定するように前記ＵＥを構成することと、
前記アップリンク共有チャネルリソースが前記ＵＣＩの送信のために十分なリソースを含むとき、前記アップリンク共有チャネルリソースを介して前記ＵＥから前記ＵＣＩを受信することと
を備える、方法。
【請求項３６】
前記アップリンク共有チャネルリソースが前記ＵＣＩの送信のために不十分なリソースを含むとき、前記アップリンク制御チャネルリソースを介して前記ＵＥから前記ＵＣＩを受信することをさらに備える、
請求項３５に記載の方法。
【請求項３７】
前記ＵＥにダウンリンク制御情報（ＤＣＩ）送信を送信することをさらに備え、前記ＤＣＩ送信は、前記アップリンク共有チャネルリソースが前記ＵＣＩを送信するために使用されることが可能かどうかのインジケーションを含む、
請求項３６に記載の方法。
【請求項３８】
前記ＵＣＩは、１つまたは複数のダウンリンク送信の受信に肯定応答する肯定応答フィードバック、前記肯定応答フィードバックが、前記１つまたは複数のダウンリンク送信の後に無線フレームの第１の有効なサブフレーム中で送信される、か、チャネルの１つまたは複数の測定パラメータを示すチャネル状態情報（ＣＳＩ）、前記ＣＳＩは、前記ＣＳＩが利用可能であり、前記ＵＥが、前記無線フレーム中でＣＳＩを報告するように構成されたとき、前記無線フレームのいずれかの利用可能なサブフレーム中で送信される、か、あるいはそれらの任意の組合せを含む、
請求項３５に記載の方法。
【請求項３９】
前記アップリンク共有チャネルリソースは、前記アップリンク制御チャネルリソースと重複せず、前記ＵＥは、前記アップリンク共有チャネルリソースを使用する他のアップリンク送信とは無関係に前記アップリンク制御チャネルリソースを使用して前記ＵＣＩを送信するようにさらに構成されるか、または前記アップリンク共有チャネルリソースが前記ＵＣＩの送信のために十分なリソースを含むとき、前記アップリンク共有チャネルリソースを使用して前記ＵＣＩを送信するようにさらに構成される、
請求項３５に記載の方法。
【請求項４０】
前記アップリンク制御チャネルリソースを含む無線フレームの第１の数のサブフレームと、第２の数の構成されたアップリンク共有チャネル繰り返しとの間のマッピングを識別することをさらに備え、ここにおいて、前記アップリンク共有チャネルリソースが前記ＵＣＩの送信のために十分なリソースを含むという決定が、前記マッピングに少なくとも部分的に基づく、
請求項３５に記載の方法。
【請求項４１】
前記アップリンク共有チャネルリソースが十分なリソースを含むかどうかを決定するように前記ＵＥを前記構成することは、
前記第２の数の構成されたアップリンク共有チャネル繰り返しが前記第１の数のサブフレーム以上であるとき、前記アップリンク共有チャネルリソースが前記ＵＣＩの送信のために使用されると決定するように前記ＵＥを構成することを備える、
請求項４０に記載の方法。
【請求項４２】
前記アップリンク共有チャネルリソースが十分なリソースを含むかどうかを決定するように前記ＵＥを前記構成することは、
前記第２の数の構成されたアップリンク共有チャネル繰り返しが前記第１の数のサブフレーム未満であるとき、前記アップリンク制御チャネルリソースが前記ＵＣＩの送信のために使用されると決定するように前記ＵＥを構成することを備える、
請求項４１に記載の方法。
【請求項４３】
前記アップリンク共有チャネルリソースを使用して前記ＵＥから１つまたは複数のアップリンク共有チャネル送信を受信することをさらに備え、前記１つまたは複数のアップリンク共有チャネル送信は、前記ＵＣＩと多重化される、
請求項３５に記載の方法。
【請求項４４】
ワイヤレス通信のための装置であって、
基地局への１つまたは複数のアップリンク送信の送信のために共有無線周波数スペクトル帯域内でアップリンクリソースの第１のセットとアップリンクリソースの第２のセットとを構成する構成情報を前記基地局から受信するための手段、前記アップリンクリソースの第１のセットは、前記アップリンクリソースの第２のセットに時間的に隣接する、と、
前記基地局からの１つまたは複数のダウンリンク送信に少なくとも部分的に基づいて前記基地局へのアップリンク制御チャネル送信のために前記アップリンクリソースの第１のセットまたは前記アップリンクリソースの第２のセットを選択するための手段と、
アップリンクリソースの前記選択された第１のセットまたはアップリンクリソースの前記選択された第２のセットを使用して前記基地局に前記１つまたは複数のアップリンク送信を送信するための手段と
を備える、装置。
【請求項４５】
前記アップリンクリソースの第１のセットと前記アップリンクリソースの第２のセットとの各々が、関連するアップリンク制御チャネルリソースを有する、
請求項４４に記載の装置。
【請求項４６】
前記アップリンクリソースの第１のセットまたは前記アップリンクリソースの第２のセットの前記選択は、アップリンク送信持続時間の時間境界に対する、前記アップリンクリソースの第１のセットに関連する前記アップリンク制御チャネルリソースの時間的ロケーションと、前記アップリンクリソースの第２のセットに関連する前記アップリンク制御チャネルリソースの時間的ロケーションとに少なくとも部分的に基づく、
請求項４５に記載の装置。
【請求項４７】
前記アップリンクリソースの第１のセットまたは前記アップリンクリソースの第２のセットを前記選択するための手段は、
前記基地局からの１つまたは複数のダウンリンク送信が、前記アップリンクリソースの第１のセットに関連するダウンリンクリソースを使用して送信されることを識別するための手段と、
前記識別することに少なくとも部分的に基づいて前記１つまたは複数のアップリンク送信のために前記アップリンクリソースの第１のセットを選択するための手段と
をさらに備える、請求項４４に記載の装置。
【請求項４８】
前記アップリンクリソースの第１のセットまたは前記アップリンクリソースの第２のセットを前記選択するための手段は、
前記アップリンクリソースの第１のセットまたは前記アップリンクリソースの第２のセットのうちのどちらが前記１つまたは複数のアップリンク送信のために使用されるべきかを示すシグナリングを１つまたは複数のダウンリンク送信中で受信するための手段をさらに備える、
請求項４４に記載の装置。
【請求項４９】
前記１つまたは複数のアップリンク送信が、１つまたは複数のアップリンク部分と、１つまたは複数のダウンリンク部分とを有する無線フレーム内で送信され、各アップリンク部分は、前記アップリンクリソースの第１のセットと、前記アップリンクリソースの第２のセットとに区分される、
請求項４４に記載の装置。
【請求項５０】
前記アップリンクリソースの第１のセットと前記アップリンクリソースの第２のセットとの各々は、アップリンク制御チャネルリソースを有し、前記アップリンク制御チャネルリソースは、前記アップリンクリソースの第１のセットと前記アップリンクリソースの第２のセットとの各々のために独立して構成される、
請求項４４に記載の装置。
【請求項５１】
前記１つまたは複数のアップリンク送信を前記送信するための手段は、
前記基地局から受信されたアップリンク許可に少なくとも部分的に基づいて無線フレームの１つまたは複数のダウンリンクアップリンクパートの各々のためにアップリンクリソースの前記選択された第１のセットまたはアップリンクリソースの前記選択された第２のセットを使用して送信するための手段をさらに備える、
請求項４４に記載の装置。
【請求項５２】
前記基地局から受信された前記アップリンク許可は、前記アップリンクリソースの第１のセットまたは前記アップリンクリソースの第２のセットのうちのどちらが前記無線フレームの各ダウンリンクアップリンクパートのために使用されるべきかを動的に示す、
請求項５１に記載の装置。
【請求項５３】
前記基地局への前記アップリンク制御チャネル送信は、１つまたは複数のダウンリンク送信の受信に肯定応答する肯定応答フィードバック、あるいはチャネルの１つまたは複数の測定パラメータを示すチャネル状態情報（ＣＳＩ）のうちの１つまたは複数を備えるアップリンク制御情報（ＵＣＩ）を含む、
請求項４４に記載の装置。
【請求項５４】
前記１つまたは複数のアップリンク送信が、無線フレームの１つまたは複数のアップリンクサブフレーム内で送信される１つまたは複数のアップリンク共有チャネル送信と、１つまたは複数のアップリンク制御チャネル送信とを含み、第１のサブフレームがアップリンク制御チャネル送信を含むとき、前記第１のサブフレーム内のアップリンク共有チャネル送信がドロップされる、
請求項４４に記載の装置。
【請求項５５】
前記１つまたは複数のアップリンク送信は、無線フレームの１つまたは複数のアップリンクサブフレーム内で送信される１つまたは複数のアップリンク共有チャネル送信と、１つまたは複数のアップリンク制御チャネル送信とを含み、第１のサブフレームがアップリンク制御チャネル送信を含むとき、前記第１のサブフレーム内のアップリンク共有チャネル送信がアップリンク制御チャネル送信リソースの周りでレートマッチングされる、
請求項４４に記載の装置。
【請求項５６】
前記第１のサブフレーム内の前記アップリンク共有チャネル送信は、前記アップリンク制御チャネル送信リソースと、１つまたは複数の他の送信機の１つまたは複数の他のアップリンク制御チャネル送信リソースとの周りでレートマッチングされる、
請求項５５に記載の装置。
【請求項５７】
前記１つまたは複数のアップリンク送信は、サウンディング基準信号（ＳＲＳ）送信を含み、構成されたＳＲＳロケーションがアップリンクリソースの前記選択されたセット内にあるとき、前記ＳＲＳは、アップリンクリソースの前記選択されたセット中で送信され、前記構成されたＳＲＳロケーションが、アップリンクリソースの前記選択されたセットとはアップリンクリソースの異なるセット中にあるとき、スケジュールされたＳＲＳ送信は、ドロップされ、前記ＳＲＳロケーションが構成されないとき、前記ＳＲＳ送信は、アップリンクリソースのいずれかの選択されたセット中で送信される、
請求項４４に記載の装置。
【請求項５８】
ワイヤレス通信のための装置であって、
基地局において、少なくとも１つのユーザ機器（ＵＥ）のアップリンク送信のために共有無線周波数スペクトル帯域内でアップリンクリソースの第１のセットとアップリンクリソースの第２のセットとを構成するための手段、前記アップリンクリソースの第１のセットは、前記アップリンクリソースの第２のセットに時間的に隣接し、前記アップリンクリソースの第１のセットと前記アップリンクリソースの第２のセットとの各々は、関連するアップリンク制御チャネルリソースを有する、と、
前記第１のＵＥのアップリンク送信持続時間の時間境界に対する、前記アップリンクリソースの第１のセットに関連する前記制御チャネルリソースの時間的ロケーションと、前記アップリンクリソースの第２のセットに関連する前記制御チャネルリソースの時間的ロケーションとに少なくとも部分的に基づいて、第１のＵＥの１つまたは複数のアップリンク送信のために前記アップリンクリソースの第１のセットまたは前記アップリンクリソースの第２のセットを選択するための手段と、
前記アップリンクリソースの第１のセットまたは前記アップリンクリソースの第２のセットのうちのどちらが前記１つまたは複数のアップリンク送信のために使用されるべきかを示すインジケーションを前記第１のＵＥに送信するための手段と
を備える、装置。
【請求項５９】
ダウンリンクリソースの第１のセットを使用して前記第１のＵＥに１つまたは複数のダウンリンク送信を送信するための手段をさらに備え、前記１つまたは複数のダウンリンク送信のために使用されるダウンリンクリソースの前記第１のセットは、前記アップリンクリソースの第１のセットが前記１つまたは複数のアップリンク送信のために使用されるべきことを前記ＵＥに示す、
請求項５８に記載の装置。
【請求項６０】
前記第１のＵＥに前記インジケーションを前記送信するための手段は、
前記アップリンクリソースの第１のセットまたは前記アップリンクリソースの第２のセットのうちのどちらが前記１つまたは複数のアップリンク送信のために使用されるべきかを示すシグナリングを１つまたは複数のダウンリンク送信中で送信するための手段をさらに備える、
請求項５８に記載の装置。
【請求項６１】
前記１つまたは複数のアップリンク送信は、１つまたは複数のアップリンク部分と、１つまたは複数のダウンリンク部分とを有する無線フレーム内で送信され、各アップリンク部分は、前記アップリンクリソースの第１のセットと、前記アップリンクリソースの第２のセットとに区分される、
請求項５８に記載の装置。
【請求項６２】
前記アップリンクリソースの第１のセットと前記アップリンクリソースの第２のセットとの各々は、アップリンク制御チャネルリソースを有し、前記アップリンク制御チャネルリソースは、前記アップリンクリソースの第１のセットと前記アップリンクリソースの第２のセットとの各々のために独立して構成される、
請求項５８に記載の装置。
【請求項６３】
前記アップリンクリソースの第１のセットを前記構成するための手段は、
無線フレームの１つまたは複数のダウンリンクアップリンクパートの各々のために前記アップリンクリソースの第１のセットと前記アップリンクリソースの第２のセットとを構成するための手段をさらに備える、
請求項５８に記載の装置。
【請求項６４】
前記第１のＵＥに前記インジケーションを前記送信するための手段は、
前記アップリンクリソースの第１のセットまたは前記アップリンクリソースの第２のセットのうちのどちらが前記無線フレームの各ダウンリンクアップリンクパートのために使用されるべきかを動的に示す１つまたは複数のアップリンク許可を前記第１のＵＥに送信するための手段をさらに備える、
請求項６３に記載の装置。
【請求項６５】
１つまたは複数のダウンリンク送信の受信に肯定応答する肯定応答フィードバック、あるいはチャネルの１つまたは複数の測定パラメータを示すチャネル状態情報（ＣＳＩ）のうちの１つまたは複数を備えるアップリンク制御情報（ＵＣＩ）を含むアップリンク制御チャネル送信を前記第１のＵＥから受信するための手段をさらに備える、
請求項５８に記載の装置。
【請求項６６】
前記１つまたは複数のアップリンク送信は、無線フレームの１つまたは複数のアップリンクサブフレーム内で送信される１つまたは複数のアップリンク共有チャネル送信と、１つまたは複数のアップリンク制御チャネル送信とを含み、第１のサブフレームがアップリンク制御チャネル送信を含むとき、前記第１のサブフレーム内のアップリンク共有チャネル送信は、ドロップされる、
請求項５８に記載の装置。
【請求項６７】
前記１つまたは複数のアップリンク送信は、無線フレームの１つまたは複数のアップリンクサブフレーム内で送信される１つまたは複数のアップリンク共有チャネル送信と、１つまたは複数のアップリンク制御チャネル送信とを含み、第１のサブフレームがアップリンク制御チャネル送信を含むとき、前記第１のサブフレーム内のアップリンク共有チャネル送信は、アップリンク制御チャネル送信リソースの周りでレートマッチングされる、
請求項５８に記載の装置。
【請求項６８】
前記第１のサブフレーム内の前記アップリンク共有チャネル送信が、前記アップリンク制御チャネル送信リソースと、１つまたは複数の他の送信機の１つまたは複数の他のアップリンク制御チャネル送信リソースとの周りでレートマッチングされる、請求項６７に記載の装置。
【請求項６９】
ワイヤレス通信のための装置であって、
ユーザ機器（ＵＥ）から基地局への１つまたは複数のアップリンク送信のためにアップリンク共有チャネルリソースとアップリンク制御チャネルリソースとを構成する構成情報を前記基地局から前記ＵＥにおいて受信するための手段と、
前記基地局に送信されるべきアップリンク制御情報（ＵＣＩ）を識別するための手段と、
前記アップリンク共有チャネルリソースが前記基地局への前記ＵＣＩの送信のために十分なリソースを含むと決定するための手段と、
前記決定することに応答して、前記アップリンク共有チャネルリソースを使用して前記基地局に前記ＵＣＩを送信するための手段と
を備える、装置。
【請求項７０】
前記アップリンク共有チャネルリソースが前記基地局への前記ＵＣＩの送信のために不十分なリソースを含むと決定することに応答して、前記アップリンク制御チャネルリソースを使用して前記基地局に前記ＵＣＩを送信するための手段をさらに備える、
請求項６９に記載の装置。
【請求項７１】
前記基地局からダウンリンク制御情報（ＤＣＩ）送信を受信するための手段をさらに備え、前記ＤＣＩ送信は、前記アップリンク共有チャネルリソースが前記ＵＣＩを送信するために使用されることが可能かどうかのインジケーションを含み、前記決定するための手段は、前記アップリンク共有チャネルリソースが前記ＵＣＩを送信するために使用されることが可能であるというＤＣＩインジケーションを受信することに応答して実施される、
請求項７０に記載の装置。
【請求項７２】
前記ＵＣＩは、前記基地局から受信された１つまたは複数のダウンリンク送信の後に、無線フレームの第１の有効なサブフレーム中で送信される１つまたは複数のダウンリンク送信の受信に肯定応答する肯定応答フィードバックか、チャネル状態情報（ＣＳＩ）が利用可能であり、前記ＵＥが、前記無線フレーム中でＣＳＩを報告するように構成されたとき、前記無線フレームのいずれかの利用可能なサブフレーム中で送信されるチャネルの１つまたは複数の測定パラメータを示すＣＳＩか、あるいはそれらの任意の組合せを含む、
請求項６９に記載の装置。
【請求項７３】
前記アップリンク共有チャネルリソースは、前記アップリンク制御チャネルリソースと重複せず、前記構成情報は、前記アップリンク共有チャネルリソースを使用する他のアップリンク送信とは無関係に前記アップリンク制御チャネルリソースを使用して送信されるように前記ＵＣＩをさらに構成するか、または前記構成情報が、前記決定することに応答して、前記アップリンク共有チャネルリソースを使用して送信されるように前記ＵＣＩをさらに構成する、
請求項６９に記載の装置。
【請求項７４】
前記アップリンク制御チャネルリソースを含む無線フレームの第１の数のサブフレームと、第２の数の構成されたアップリンク共有チャネル繰り返しとの間のマッピングを識別するための手段をさらに備え、前記決定することは、前記マッピングに少なくとも部分的に基づく、
請求項６９に記載の装置。
【請求項７５】
前記アップリンク共有チャネルリソースが十分なリソースを含むと前記決定するための手段は、
前記第２の数の構成されたアップリンク共有チャネル繰り返しが前記第１の数のサブフレーム以上であるとき、前記ＵＣＩの送信のために前記アップリンク共有チャネルリソースを使用することを決定するための手段をさらに備える、
請求項７４に記載の装置。
【請求項７６】
前記アップリンク共有チャネルリソースが十分なリソースを含むと前記決定するための手段は、
前記第２の数の構成されたアップリンク共有チャネル繰り返しが前記第１の数のサブフレーム未満であるとき、前記ＵＣＩの送信のために前記アップリンク制御チャネルリソースを使用することを決定するための手段をさらに備える、
請求項７５に記載の装置。
【請求項７７】
前記アップリンク共有チャネルリソースを使用して前記基地局に１つまたは複数のアップリンク共有チャネル送信を送信するための手段をさらに備え、前記１つまたは複数のアップリンク共有チャネル送信は、前記ＵＣＩと多重化される、
請求項６９に記載の装置。
【請求項７８】
ワイヤレス通信のための装置であって、
基地局において、ユーザ機器（ＵＥ）から前記基地局への１つまたは複数のアップリンク送信のためにアップリンク共有チャネルリソースとアップリンク制御チャネルリソースとを用いて前記ＵＥを構成するための手段と、
前記アップリンク共有チャネルリソースが、前記基地局に送信されるべきアップリンク制御情報（ＵＣＩ）の送信のために十分なリソースを含むかどうかを決定するように前記ＵＥを構成するための手段と、
前記アップリンク共有チャネルリソースが前記ＵＣＩの送信のために十分なリソースを含むとき、前記アップリンク共有チャネルリソースを介して前記ＵＥから前記ＵＣＩを受信するための手段と
を備える、装置。
【請求項７９】
前記アップリンク共有チャネルリソースが前記ＵＣＩの送信のために不十分なリソースを含むとき、前記アップリンク制御チャネルリソースを介して前記ＵＥから前記ＵＣＩを受信するための手段をさらに備える、
請求項７８に記載の装置。
【請求項８０】
前記ＵＥにダウンリンク制御情報（ＤＣＩ）送信を送信するための手段をさらに備え、前記ＤＣＩ送信は、前記アップリンク共有チャネルリソースが前記ＵＣＩを送信するために使用されることが可能かどうかのインジケーションを含む、
請求項７９に記載の装置。
【請求項８１】
前記ＵＣＩは、１つまたは複数のダウンリンク送信の受信に肯定応答する肯定応答フィードバック、前記肯定応答フィードバックが、前記１つまたは複数のダウンリンク送信の後に無線フレームの第１の有効なサブフレーム中で送信される、か、チャネルの１つまたは複数の測定パラメータを示すチャネル状態情報（ＣＳＩ）、前記ＣＳＩは、前記ＣＳＩが利用可能であり、前記ＵＥが、前記無線フレーム中でＣＳＩを報告するように構成されたとき、前記無線フレームのいずれかの利用可能なサブフレーム中で送信される、か、あるいはそれらの任意の組合せを含む、
請求項７８に記載の装置。
【請求項８２】
前記アップリンク共有チャネルリソースは、前記アップリンク制御チャネルリソースと重複せず、前記ＵＥは、前記アップリンク共有チャネルリソースを使用する他のアップリンク送信とは無関係に前記アップリンク制御チャネルリソースを使用して前記ＵＣＩを送信するようにさらに構成されるか、または前記アップリンク共有チャネルリソースが前記ＵＣＩの送信のために十分なリソースを含むとき、前記アップリンク共有チャネルリソースを使用して前記ＵＣＩを送信するようにさらに構成される、
請求項７８に記載の装置。
【請求項８３】
前記アップリンク制御チャネルリソースを含む無線フレームの第１の数のサブフレームと、第２の数の構成されたアップリンク共有チャネル繰り返しとの間のマッピングを識別するための手段をさらに備え、前記アップリンク共有チャネルリソースが前記ＵＣＩの送信のために十分なリソースを含むという決定は、前記マッピングに少なくとも部分的に基づく、
請求項７８に記載の装置。
【請求項８４】
前記アップリンク共有チャネルリソースがどうかを決定するように前記ＵＥを前記構成するための手段は、
前記第２の数の構成されたアップリンク共有チャネル繰り返しが前記第１の数のサブフレーム以上であるとき、前記ＵＣＩの送信のために前記アップリンク共有チャネルリソースが使用されると決定するための手段
をさらに備える、請求項８３に記載の装置。
【請求項８５】
前記アップリンク共有チャネルリソースがどうかを決定するように前記ＵＥを前記構成するための手段は、
前記第２の数の構成されたアップリンク共有チャネル繰り返しが前記第１の数のサブフレーム未満であるとき、前記ＵＣＩの送信のために前記アップリンク制御チャネルリソースが使用されると決定するための手段をさらに備える、
請求項８４に記載の装置。
【請求項８６】
前記アップリンク共有チャネルリソースを使用して前記ＵＥから１つまたは複数のアップリンク共有チャネル送信を受信するための手段をさらに備え、前記１つまたは複数のアップリンク共有チャネル送信は、前記ＵＣＩと多重化される、
請求項７８に記載の装置。
【発明の詳細な説明】
【相互参照】
【０００１】
[0001]本特許出願は、それらの各々が本出願の譲受人に譲渡され、それらの全体が参照により明確に組み込まれる、２０１８年１２月６日に出願された「Ｔｅｃｈｎｉｑｕｅｓ  ｆｏｒ  Ｍｕｌｔｉｐｌｅｘｉｎｇ  ｏｆ  Ｕｐｌｉｎｋ  Ｃｈａｎｎｅｌｓ  ｉｎ  ａ  Ｓｈａｒｅｄ  Ｒａｄｉｏ  Ｆｒｅｑｕｅｎｃｙ  Ｓｐｅｃｔｒｕｍ  Ｂａｎｄ」と題するＹｅｒｒａｍａｌｌｉらによる米国特許出願第１６／２１２，４０２号と、２０１７年１２月８日に出願された「Ｔｅｃｈｎｉｑｕｅｓ  ｆｏｒ  Ｍｕｌｔｉｐｌｅｘｉｎｇ  ｏｆ  Ｕｐｌｉｎｋ  Ｃｈａｎｎｅｌｓ  ｉｎ  ａ  Ｓｈａｒｅｄ  Ｒａｄｉｏ  Ｆｒｅｑｕｅｎｃｙ  Ｓｐｅｃｔｒｕｍ  Ｂａｎｄ」と題するＹｅｒｒａｍａｌｌｉらによる米国仮特許出願第６２／５９６，７５７号との優先権を主張する。
【背景技術】
【０００２】
[0002]以下は、一般にワイヤレス通信に関し、共有無線周波数スペクトル帯域におけるアップリンクチャネルの多重化のための技法に関する。
【０００３】
[0003]ワイヤレス通信システムは、音声、ビデオ、パケットデータ、メッセージング、ブロードキャストなどの様々なタイプの通信コンテンツを提供するために広く展開されている。これらのシステムは、利用可能なシステムリソース（たとえば、時間、周波数、および電力）を共有することによって複数のユーザとの通信をサポートすることが可能であり得る。そのような多元接続システムの例は、ロングタームエボリューション（ＬＴＥ（登録商標））システム、ＬＴＥアドバンスト（ＬＴＥ−Ａ）システム、またはＬＴＥ−Ａプロシステムなどの第４世代（４Ｇ）システム、および新無線（ＮＲ）システムと呼ばれることがある第５世代（５Ｇ）システムを含む。これらのシステムは、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、または離散フーリエ変換拡散直交周波数分割多元接続（ＤＦＴ−ｓ−ＯＦＤＭ）などの技術を採用し得る。ワイヤレス多元接続通信システムは、場合によってはユーザ機器（ＵＥ）として知られていることがある、複数の通信デバイスのための通信を各々が同時にサポートする、いくつかの基地局またはネットワークアクセスノードを含み得る。
【発明の概要】
【０００４】
[0004]説明される技法は、共有無線周波数スペクトル帯域におけるアップリンクチャネルの多重化のための技法をサポートする、改善された方法、システム、デバイス、または装置に関する。概して、説明される技法は、アップリンクリソースをアップリンクリソースの複数の異なるセットにセグメント化することを提供し得、アップリンクリソースの各セットは、１つまたは複数の関連するアップリンク制御チャネルリソースを有する。基地局またはユーザ機器（ＵＥ）は、ＵＥの他の割り振られたアップリンクリソースに対するアップリンクリソースのセットのアップリンク制御チャネルリソースのロケーションに基づいて、ＵＥからのアップリンク送信のためにアップリンクリソースの複数のセットからアップリンクリソースのセットを選択し得る。アップリンクリソースの選択されたセットを使用してアップリンク送信が送信され得、アップリンクリソースの選択されたセットに関連するアップリンク制御チャネルリソースを使用してアップリンク制御チャネル送信が送信され得る。
【０００５】
[0005]いくつかの場合には、アップリンク制御情報（ＵＣＩ）は、基地局への送信のためにＵＥの１つまたは複数のアップリンク共有チャネル送信と多重化され得る。そのような場合、ＵＥは、アップリンク共有チャネル送信のための割振りであるアップリンク共有チャネルリソースが、基地局へのＵＣＩの送信のために十分なリソースを含むかどうかを決定し得る。アップリンク共有チャネルリソースが基地局へのＵＣＩの送信のために十分なリソースを提供する場合、ＵＣＩは、アップリンク共有チャネルリソースを使用して送信され得る。アップリンク共有チャネル送信が基地局へのＵＣＩの送信のために十分なリソースを提供しない場合、ＵＣＩは、１つまたは複数の構成されたアップリンク制御チャネルリソースを使用して送信され得、関連するアップリンク共有チャネル送信はドロップされ得る。
【０００６】
[0006]ワイヤレス通信の方法について説明される。本方法は、基地局への１つまたは複数のアップリンク送信の送信のために共有無線周波数スペクトル帯域内でアップリンクリソースの第１のセットとアップリンクリソースの第２のセットとを構成する構成情報を基地局から受信することと、アップリンクリソースの第１のセットがアップリンクリソースの第２のセットに時間的に隣接する、基地局からの１つまたは複数のダウンリンク送信に少なくとも部分的に基づいて基地局へのアップリンク制御チャネル送信のためにアップリンクリソースの第１のセットまたはアップリンクリソースの第２のセットを選択することと、アップリンクリソースの選択された第１のセットまたはアップリンクリソースの選択された第２のセットを使用して基地局に１つまたは複数のアップリンク送信を送信することとを含み得る。
【０００７】
[0007]ワイヤレス通信のための装置について説明される。本装置は、基地局への１つまたは複数のアップリンク送信の送信のために共有無線周波数スペクトル帯域内でアップリンクリソースの第１のセットとアップリンクリソースの第２のセットとを構成する構成情報を基地局から受信するための手段と、アップリンクリソースの第１のセットがアップリンクリソースの第２のセットに時間的に隣接する、基地局からの１つまたは複数のダウンリンク送信に少なくとも部分的に基づいて基地局へのアップリンク制御チャネル送信のためにアップリンクリソースの第１のセットまたはアップリンクリソースの第２のセットを選択するための手段と、アップリンクリソースの選択された第１のセットまたはアップリンクリソースの選択された第２のセットを使用して基地局に１つまたは複数のアップリンク送信を送信するための手段とを含み得る。
【０００８】
[0008]ワイヤレス通信のための別の装置について説明される。本装置は、プロセッサと、プロセッサと電子通信しているメモリと、メモリに記憶された命令とを含み得る。命令は、基地局への１つまたは複数のアップリンク送信の送信のために共有無線周波数スペクトル帯域内でアップリンクリソースの第１のセットとアップリンクリソースの第２のセットとを構成する構成情報を基地局から受信することと、アップリンクリソースの第１のセットがアップリンクリソースの第２のセットに時間的に隣接する、基地局からの１つまたは複数のダウンリンク送信に少なくとも部分的に基づいて基地局へのアップリンク制御チャネル送信のためにアップリンクリソースの第１のセットまたはアップリンクリソースの第２のセットを選択することと、アップリンクリソースの選択された第１のセットまたはアップリンクリソースの選択された第２のセットを使用して基地局に１つまたは複数のアップリンク送信を送信することとをプロセッサに行わせるように動作可能であり得る。
【０００９】
[0009]ワイヤレス通信のための非一時的コンピュータ可読媒体について説明される。非一時的コンピュータ可読媒体は、基地局への１つまたは複数のアップリンク送信の送信のために共有無線周波数スペクトル帯域内でアップリンクリソースの第１のセットとアップリンクリソースの第２のセットとを構成する構成情報を基地局から受信することと、アップリンクリソースの第１のセットがアップリンクリソースの第２のセットに時間的に隣接する、基地局からの１つまたは複数のダウンリンク送信に少なくとも部分的に基づいて基地局へのアップリンク制御チャネル送信のためにアップリンクリソースの第１のセットまたはアップリンクリソースの第２のセットを選択することと、アップリンクリソースの選択された第１のセットまたはアップリンクリソースの選択された第２のセットを使用して基地局に１つまたは複数のアップリンク送信を送信することとをプロセッサに行わせるように動作可能な命令を含み得る。
【００１０】
[0010]上記で説明された方法、装置、および非一時的コンピュータ可読媒体のいくつかの例は、基地局からの１つまたは複数のダウンリンク送信が、アップリンクリソースの第１のセットに関連するダウンリンクリソースを使用して送信され得ることを識別するためのプロセス、特徴、手段、または命令をさらに含み得る。上記で説明された方法、装置、および非一時的コンピュータ可読媒体のいくつかの例は、識別することに少なくとも部分的に基づいて１つまたは複数のアップリンク送信のためにアップリンクリソースの第１のセットを選択するためのプロセス、特徴、手段、または命令をさらに含み得る。上記で説明された方法、装置、および非一時的コンピュータ可読媒体のいくつかの例は、アップリンクリソースの第１のセットまたはアップリンクリソースの第２のセットのうちのどちらが１つまたは複数のアップリンク送信のために使用されるべきであり得るかを示すシグナリングを１つまたは複数のダウンリンク送信中で受信するためのプロセス、特徴、手段、または命令をさらに含み得る。
【００１１】
[0011]上記で説明された方法、装置、および非一時的コンピュータ可読媒体のいくつかの例では、アップリンクリソースの第１のセットとアップリンクリソースの第２のセットとの各々は、関連するアップリンク制御チャネルリソースを有し、およびここにおいて、アップリンクリソースの第１のセットまたはアップリンクリソースの第２のセットの選択は、アップリンク送信持続時間の時間境界に対する、アップリンクリソースの第１のセットに関連するアップリンク制御チャネルリソースの時間的ロケーションと、アップリンクリソースの第２のセットに関連するアップリンク制御チャネルリソースの時間的ロケーションとに少なくとも部分的に基づき得る。上記で説明された方法、装置、および非一時的コンピュータ可読媒体のいくつかの例では、１つまたは複数のアップリンク送信は、１つまたは複数のアップリンク部分と、１つまたは複数のダウンリンク部分とを有する無線フレーム内で送信され得、およびここにおいて、各アップリンク部分は、アップリンクリソースの第１のセットと、アップリンクリソースの第２のセットとに区分され得る。上記で説明された方法、装置、および非一時的コンピュータ可読媒体のいくつかの例では、アップリンクリソースの第１のセットとアップリンクリソースの第２のセットとの各々はアップリンク制御チャネルリソースを有し、およびここにおいて、アップリンク制御チャネルリソースは、アップリンクリソースの第１のセットとアップリンクリソースの第２のセットとの各々のために独立して構成され得る。
【００１２】
[0012]上記で説明された方法、装置、および非一時的コンピュータ可読媒体のいくつかの例は、基地局から受信されたアップリンク許可に少なくとも部分的に基づいて無線フレームの１つまたは複数のダウンリンクアップリンクパートの各々のためにアップリンクリソースの選択された第１のセットまたはアップリンクリソースの選択された第２のセットを使用して送信するためのプロセス、特徴、手段、または命令をさらに含み得る。上記で説明された方法、装置、および非一時的コンピュータ可読媒体のいくつかの例では、基地局から受信されたアップリンク許可は、アップリンクリソースの第１のセットまたはアップリンクリソースの第２のセットのうちのどちらが無線フレームの各ダウンリンクアップリンクパートのために使用されるべきであり得るかを動的に示す。上記で説明された方法、装置、および非一時的コンピュータ可読媒体のいくつかの例では、無線フレームの第１のダウンリンクアップリンクパートはアップリンクリソースの第１のセットを使用し、無線フレームの第２のダウンリンクアップリンクパートはアップリンクリソースの第２のセットを使用する。
【００１３】
[0013]上記で説明された方法、装置、および非一時的コンピュータ可読媒体のいくつかの例では、基地局へのアップリンク制御チャネル送信は、１つまたは複数のダウンリンク送信の受信に肯定応答する肯定応答フィードバック、あるいはチャネルの１つまたは複数の測定パラメータを示すチャネル状態情報（ＣＳＩ）のうちの１つまたは複数を含むＵＣＩを含み得る。
【００１４】
[0014]上記で説明された方法、装置、および非一時的コンピュータ可読媒体のいくつかの例では、１つまたは複数のアップリンク送信は、無線フレームの１つまたは複数のアップリンクサブフレーム内で送信され得る１つまたは複数のアップリンク共有チャネル送信と、１つまたは複数のアップリンク制御チャネル送信とを含み、およびここにおいて、第１のサブフレームがアップリンク制御チャネル送信を含むとき、第１のサブフレーム内のアップリンク共有チャネル送信はドロップされ得る。上記で説明された方法、装置、および非一時的コンピュータ可読媒体のいくつかの例では、１つまたは複数のアップリンク送信は、無線フレームの１つまたは複数のアップリンクサブフレーム内で送信され得る１つまたは複数のアップリンク共有チャネル送信と、１つまたは複数のアップリンク制御チャネル送信とを含み、およびここにおいて、第１のサブフレームがアップリンク制御チャネル送信を含むとき、第１のサブフレーム内のアップリンク共有チャネル送信はアップリンク制御チャネル送信リソースの周りでレートマッチングされ得る。上記で説明された方法、装置、および非一時的コンピュータ可読媒体のいくつかの例では、第１のサブフレーム内のアップリンク共有チャネル送信は、アップリンク制御チャネル送信リソースと、１つまたは複数の他の送信機の１つまたは複数の他のアップリンク制御チャネル送信リソースとの周りでレートマッチングされ得る。
【００１５】
[0015]上記で説明された方法、装置、および非一時的コンピュータ可読媒体のいくつかの例では、１つまたは複数のアップリンク送信はサウンディング基準信号（ＳＲＳ）送信を含み、およびここにおいて、構成されたＳＲＳロケーションが、アップリンクリソースの選択されたセット内にあるとき、ＳＲＳは、アップリンクリソースの選択されたセット中で送信され、およびここにおいて、構成されたＳＲＳロケーションが、アップリンクリソースの選択されたセットとはアップリンクリソースの異なるセット中にあるとき、スケジュールされたＳＲＳ送信はドロップされ、およびここにおいて、ＳＲＳロケーションが構成されないとき、ＳＲＳ送信は、アップリンクリソースのいずれかの選択されたセット中で送信される。
【００１６】
[0016]ワイヤレス通信の方法について説明される。本方法は、基地局において、少なくとも１つのＵＥのアップリンク送信のために共有無線周波数スペクトル帯域内でアップリンクリソースの第１のセットとアップリンクリソースの第２のセットとを構成することと、アップリンクリソースの第１のセットがアップリンクリソースの第２のセットに時間的に隣接し、アップリンクリソースの第１のセットとアップリンクリソースの第２のセットとの各々が、関連するアップリンク制御チャネルリソースを有する、第１のＵＥのアップリンク送信持続時間の時間境界に対する、アップリンクリソースの第１のセットに関連する制御チャネルリソースの時間的ロケーションと、アップリンクリソースの第２のセットに関連する制御チャネルリソースの時間的ロケーションとに少なくとも部分的に基づいて、第１のＵＥの１つまたは複数のアップリンク送信のためにアップリンクリソースの第１のセットまたはアップリンクリソースの第２のセットを選択することと、アップリンクリソースの第１のセットまたはアップリンクリソースの第２のセットのうちのどちらが１つまたは複数のアップリンク送信のために使用されるべきかを示すインジケーションを第１のＵＥに送信することとを含み得る。
【００１７】
[0017]ワイヤレス通信のための装置について説明される。本装置は、基地局において、少なくとも１つのＵＥのアップリンク送信のために共有無線周波数スペクトル帯域内でアップリンクリソースの第１のセットとアップリンクリソースの第２のセットとを構成するための手段と、アップリンクリソースの第１のセットがアップリンクリソースの第２のセットに時間的に隣接し、アップリンクリソースの第１のセットとアップリンクリソースの第２のセットとの各々が、関連するアップリンク制御チャネルリソースを有する、第１のＵＥのアップリンク送信持続時間の時間境界に対する、アップリンクリソースの第１のセットに関連する制御チャネルリソースの時間的ロケーションと、アップリンクリソースの第２のセットに関連する制御チャネルリソースの時間的ロケーションとに少なくとも部分的に基づいて、第１のＵＥの１つまたは複数のアップリンク送信のためにアップリンクリソースの第１のセットまたはアップリンクリソースの第２のセットを選択するための手段と、アップリンクリソースの第１のセットまたはアップリンクリソースの第２のセットのうちのどちらが１つまたは複数のアップリンク送信のために使用されるべきかを示すインジケーションを第１のＵＥに送信するための手段とを含み得る。
【００１８】
[0018]ワイヤレス通信のための別の装置について説明される。本装置は、プロセッサと、プロセッサと電子通信しているメモリと、メモリに記憶された命令とを含み得る。命令は、基地局において、少なくとも１つのＵＥのアップリンク送信のために共有無線周波数スペクトル帯域内でアップリンクリソースの第１のセットとアップリンクリソースの第２のセットとを構成することと、アップリンクリソースの第１のセットがアップリンクリソースの第２のセットに時間的に隣接し、アップリンクリソースの第１のセットとアップリンクリソースの第２のセットとの各々が、関連するアップリンク制御チャネルリソースを有する、第１のＵＥのアップリンク送信持続時間の時間境界に対する、アップリンクリソースの第１のセットに関連する制御チャネルリソースの時間的ロケーションと、アップリンクリソースの第２のセットに関連する制御チャネルリソースの時間的ロケーションとに少なくとも部分的に基づいて、第１のＵＥの１つまたは複数のアップリンク送信のためにアップリンクリソースの第１のセットまたはアップリンクリソースの第２のセットを選択することと、アップリンクリソースの第１のセットまたはアップリンクリソースの第２のセットのうちのどちらが１つまたは複数のアップリンク送信のために使用されるべきかを示すインジケーションを第１のＵＥに送信することとをプロセッサに行わせるように動作可能であり得る。
【００１９】
[0019]ワイヤレス通信のための非一時的コンピュータ可読媒体について説明される。非一時的コンピュータ可読媒体は、基地局において、少なくとも１つのＵＥのアップリンク送信のために共有無線周波数スペクトル帯域内でアップリンクリソースの第１のセットとアップリンクリソースの第２のセットとを構成することと、アップリンクリソースの第１のセットがアップリンクリソースの第２のセットに時間的に隣接し、アップリンクリソースの第１のセットとアップリンクリソースの第２のセットとの各々が、関連するアップリンク制御チャネルリソースを有する、第１のＵＥのアップリンク送信持続時間の時間境界に対する、アップリンクリソースの第１のセットに関連する制御チャネルリソースの時間的ロケーションと、アップリンクリソースの第２のセットに関連する制御チャネルリソースの時間的ロケーションとに少なくとも部分的に基づいて、第１のＵＥの１つまたは複数のアップリンク送信のためにアップリンクリソースの第１のセットまたはアップリンクリソースの第２のセットを選択することと、アップリンクリソースの第１のセットまたはアップリンクリソースの第２のセットのうちのどちらが１つまたは複数のアップリンク送信のために使用されるべきかを示すインジケーションを第１のＵＥに送信することとをプロセッサに行わせるように動作可能な命令を含み得る。
【００２０】
[0020]上記で説明された方法、装置、および非一時的コンピュータ可読媒体のいくつかの例は、ダウンリンクリソースの第１のセットを使用して第１のＵＥに１つまたは複数のダウンリンク送信を送信するためのプロセス、特徴、手段、または命令をさらに含み得、およびここにおいて、１つまたは複数のダウンリンク送信のために使用されるダウンリンクリソースの第１のセットは、アップリンクリソースの第１のセットが１つまたは複数のアップリンク送信のために使用されるべきであり得ることをＵＥに示す。
【００２１】
[0021]上記で説明された方法、装置、および非一時的コンピュータ可読媒体のいくつかの例では、第１のＵＥにインジケーションを送信することは、アップリンクリソースの第１のセットまたはアップリンクリソースの第２のセットのうちのどちらが１つまたは複数のアップリンク送信のために使用されるべきであるかを示し得るシグナリングを１つまたは複数のダウンリンク送信中で送信することを含み得る。
【００２２】
[0022]上記で説明された方法、装置、および非一時的コンピュータ可読媒体のいくつかの例は、アップリンクリソースの第１のセットまたはアップリンクリソースの第２のセットのうちのどちらが１つまたは複数のアップリンク送信のために使用されるべきであり得るかを示すシグナリングを１つまたは複数のダウンリンク送信中で送信するためのプロセス、特徴、手段、または命令をさらに含み得る。
【００２３】
[0023]上記で説明された方法、装置、および非一時的コンピュータ可読媒体のいくつかの例では、１つまたは複数のアップリンク送信は、１つまたは複数のアップリンク部分と、１つまたは複数のダウンリンク部分とを有する無線フレーム内で送信され得、およびここにおいて、各アップリンク部分は、アップリンクリソースの第１のセットと、アップリンクリソースの第２のセットとに区分され得る。上記で説明された方法、装置、および非一時的コンピュータ可読媒体のいくつかの例では、アップリンクリソースの第１のセットとアップリンクリソースの第２のセットとの各々はアップリンク制御チャネルリソースを有し、およびここにおいて、アップリンク制御チャネルリソースは、アップリンクリソースの第１のセットとアップリンクリソースの第２のセットとの各々のために独立して構成され得る。
【００２４】
[0024]上記で説明された方法、装置、および非一時的コンピュータ可読媒体のいくつかの例は、無線フレームの１つまたは複数のダウンリンクアップリンクパートの各々のためにアップリンクリソースの第１のセットとアップリンクリソースの第２のセットとを構成するためのプロセス、特徴、手段、または命令をさらに含み得る。
【００２５】
[0025]上記で説明された方法、装置、および非一時的コンピュータ可読媒体のいくつかの例は、アップリンクリソースの第１のセットまたはアップリンクリソースの第２のセットのうちのどちらが無線フレームの各ダウンリンクアップリンクパートのために使用されるべきであり得るかを動的に示す１つまたは複数のアップリンク許可を第１のＵＥに送信するためのプロセス、特徴、手段、または命令をさらに含み得る。上記で説明された方法、装置、および非一時的コンピュータ可読媒体のいくつかの例では、無線フレームの第１のダウンリンクアップリンクパートはアップリンクリソースの第１のセットを使用し、無線フレームの第２のダウンリンクアップリンクパートはアップリンクリソースの第２のセットを使用する。上記で説明された方法、装置、および非一時的コンピュータ可読媒体のいくつかの例は、１つまたは複数のダウンリンク送信の受信に肯定応答する肯定応答フィードバック、あるいはチャネルの１つまたは複数の測定パラメータを示すＣＳＩのうちの１つまたは複数を含むＵＣＩを含むアップリンク制御チャネル送信を第１のＵＥから受信するためのプロセス、特徴、手段、または命令をさらに含み得る。
【００２６】
[0026]上記で説明された方法、装置、および非一時的コンピュータ可読媒体のいくつかの例では、１つまたは複数のアップリンク送信は、無線フレームの１つまたは複数のアップリンクサブフレーム内で送信され得る１つまたは複数のアップリンク共有チャネル送信と、１つまたは複数のアップリンク制御チャネル送信とを含み、およびここにおいて、第１のサブフレームがアップリンク制御チャネル送信を含むとき、第１のサブフレーム内のアップリンク共有チャネル送信はドロップされ得る。上記で説明された方法、装置、および非一時的コンピュータ可読媒体のいくつかの例では、１つまたは複数のアップリンク送信は、無線フレームの１つまたは複数のアップリンクサブフレーム内で送信され得る１つまたは複数のアップリンク共有チャネル送信と、１つまたは複数のアップリンク制御チャネル送信とを含み、およびここにおいて、第１のサブフレームがアップリンク制御チャネル送信を含むとき、第１のサブフレーム内のアップリンク共有チャネル送信はアップリンク制御チャネル送信リソースの周りでレートマッチングされ得る。上記で説明された方法、装置、および非一時的コンピュータ可読媒体のいくつかの例では、第１のサブフレーム内のアップリンク共有チャネル送信は、アップリンク制御チャネル送信リソースと、１つまたは複数の他の送信機の１つまたは複数の他のアップリンク制御チャネル送信リソースとの周りでレートマッチングされ得る。
【００２７】
[0027]ワイヤレス通信の方法について説明される。本方法は、ＵＥから基地局への１つまたは複数のアップリンク送信のためにアップリンク共有チャネルリソースとアップリンク制御チャネルリソースとを構成する構成情報を基地局からＵＥにおいて受信することと、基地局に送信されるべきＵＣＩを識別することと、アップリンク共有チャネルリソースが基地局へのＵＣＩの送信のために十分なリソースを含むと決定することと、決定することに応答して、アップリンク共有チャネルリソースを使用して基地局にＵＣＩを送信することとを含み得る。
【００２８】
[0028]ワイヤレス通信のための装置について説明される。本装置は、ＵＥから基地局への１つまたは複数のアップリンク送信のためにアップリンク共有チャネルリソースとアップリンク制御チャネルリソースとを構成する構成情報を基地局からＵＥにおいて受信するための手段と、基地局に送信されるべきＵＣＩを識別するための手段と、アップリンク共有チャネルリソースが基地局へのＵＣＩの送信のために十分なリソースを含むと決定するための手段と、決定することに応答して、アップリンク共有チャネルリソースを使用して基地局にＵＣＩを送信するための手段とを含み得る。
【００２９】
[0029]ワイヤレス通信のための別の装置について説明される。本装置は、プロセッサと、プロセッサと電子通信しているメモリと、メモリに記憶された命令とを含み得る。命令は、ＵＥから基地局への１つまたは複数のアップリンク送信のためにアップリンク共有チャネルリソースとアップリンク制御チャネルリソースとを構成する構成情報を基地局からＵＥにおいて受信することと、基地局に送信されるべきＵＣＩを識別することと、アップリンク共有チャネルリソースが基地局へのＵＣＩの送信のために十分なリソースを含むと決定することと、決定することに応答して、アップリンク共有チャネルリソースを使用して基地局にＵＣＩを送信することとをプロセッサに行わせるように動作可能であり得る。
【００３０】
[0030]ワイヤレス通信のための非一時的コンピュータ可読媒体について説明される。非一時的コンピュータ可読媒体は、ＵＥから基地局への１つまたは複数のアップリンク送信のためにアップリンク共有チャネルリソースとアップリンク制御チャネルリソースとを構成する構成情報を基地局からＵＥにおいて受信することと、基地局に送信されるべきＵＣＩを識別することと、アップリンク共有チャネルリソースが基地局へのＵＣＩの送信のために十分なリソースを含むと決定することと、決定することに応答して、アップリンク共有チャネルリソースを使用して基地局にＵＣＩを送信することとをプロセッサに行わせるように動作可能な命令を含み得る。
【００３１】
[0031]上記で説明された方法、装置、および非一時的コンピュータ可読媒体のいくつかの例は、アップリンク共有チャネルリソースが基地局へのＵＣＩの送信のために不十分なリソースを含むと決定することに応答して、アップリンク制御チャネルリソースを使用して基地局にＵＣＩを送信するためのプロセス、特徴、手段、または命令をさらに含み得る。
【００３２】
[0032]上記で説明された方法、装置、および非一時的コンピュータ可読媒体のいくつかの例は、アップリンク共有チャネルリソースを使用して基地局に１つまたは複数のアップリンク共有チャネル送信を送信するためのプロセス、特徴、手段、または命令をさらに含み得、ここにおいて、１つまたは複数のアップリンク共有チャネル送信はＵＣＩと多重化される。
【００３３】
[0033]上記で説明された方法、装置、および非一時的コンピュータ可読媒体のいくつかの例は、基地局からダウンリンク制御情報（ＤＣＩ）送信を受信するためのプロセス、特徴、手段、または命令をさらに含み得、ＤＣＩ送信は、アップリンク共有チャネルリソースがＵＣＩを送信するために使用されることが可能であるかどうかのインジケーションを含み、およびここにおいて、決定することは、アップリンク共有チャネルリソースがＵＣＩを送信するために使用されることが可能であるというＤＣＩインジケーションを受信することに応答して実施され得る。上記で説明された方法、装置、および非一時的コンピュータ可読媒体のいくつかの例では、インジケーションは、１つまたは複数のダウンリンク送信の受信に肯定応答する肯定応答フィードバック、チャネルの１つまたは複数の測定パラメータを示すＣＳＩ、スケジューリング要求（ＳＲ）情報、あるいはそれらの任意の組合せのうちの１つまたは複数が、アップリンク共有チャネルリソースを使用して送信されることが可能であるかどうかを示す１ビットインジケーションを含み得る。上記で説明された方法、装置、および非一時的コンピュータ可読媒体のいくつかの例では、インジケーションは２ビットインジケーションを含み得、２ビットインジケーションの第１のビットは、１つまたは複数のダウンリンク送信の受信に肯定応答する肯定応答フィードバックがアップリンク共有チャネルリソースを使用して送信されることが可能であるかどうかを示し、２ビットインジケーションの第２のビットは、チャネルの１つまたは複数の測定パラメータを示すＣＳＩがアップリンク共有チャネルリソースを使用して送信されることが可能であるかどうかを示す。
【００３４】
[0034]上記で説明された方法、装置、および非一時的コンピュータ可読媒体のいくつかの例では、ＵＣＩは、基地局から受信された１つまたは複数のダウンリンク送信の後に、無線フレームの第１の有効なサブフレーム中で送信され得る１つまたは複数のダウンリンク送信の受信に肯定応答する肯定応答フィードバックか、ＣＳＩが利用可能であり得、ＵＥが、無線フレーム中でＣＳＩを報告するように構成され得るとき、無線フレームのいずれかの利用可能なサブフレーム中で送信され得るチャネルの１つまたは複数の測定パラメータを示すＣＳＩか、あるいはそれらの任意の組合せを含む。上記で説明された方法、装置、および非一時的コンピュータ可読媒体のいくつかの例では、アップリンク共有チャネルリソースはアップリンク制御チャネルリソースと重複せず、およびここにおいて、構成情報は、アップリンク共有チャネルリソースを使用する他のアップリンク送信とは無関係にアップリンク制御チャネルリソースを使用して送信されるようにＵＣＩをさらに構成するか、または構成情報は、決定することに応答して、アップリンク共有チャネルリソースを使用して送信されるようにＵＣＩをさらに構成する。
【００３５】
[0035]上記で説明された方法、装置、および非一時的コンピュータ可読媒体のいくつかの例は、アップリンク制御チャネルリソースを含む無線フレームの第１の数のサブフレームと、第２の数の構成されたアップリンク共有チャネル繰り返しとの間のマッピングを識別するためのプロセス、特徴、手段、または命令をさらに含み得、およびここにおいて、決定することは、マッピングに少なくとも部分的に基づき得る。
【００３６】
[0036]上記で説明された方法、装置、および非一時的コンピュータ可読媒体のいくつかの例は、第２の数の構成されたアップリンク共有チャネル繰り返しが第１の数のサブフレーム以上であり得るとき、ＵＣＩの送信のためにアップリンク共有チャネルリソースを使用することを決定するためのプロセス、特徴、手段、または命令をさらに含み得る。上記で説明された方法、装置、および非一時的コンピュータ可読媒体のいくつかの例は、第２の数の構成されたアップリンク共有チャネル繰り返しが第１の数のサブフレーム未満であり得るとき、ＵＣＩの送信のためにアップリンク制御チャネルリソースを使用することを決定するためのプロセス、特徴、手段、または命令をさらに含み得る。
【００３７】
[0037]ワイヤレス通信の方法について説明される。本方法は、基地局において、ＵＥから基地局への１つまたは複数のアップリンク送信のためにアップリンク共有チャネルリソースとアップリンク制御チャネルリソースとを用いてＵＥを構成することと、アップリンク共有チャネルリソースが、基地局に送信されるべきＵＣＩの送信のために十分なリソースを含むかどうかを決定するようにＵＥを構成することと、アップリンク共有チャネルリソースがＵＣＩの送信のために十分なリソースを含むとき、アップリンク共有チャネルリソースを介してＵＥからＵＣＩを受信することとを含み得る。
【００３８】
[0038]ワイヤレス通信のための装置について説明される。本装置は、基地局において、ＵＥから基地局への１つまたは複数のアップリンク送信のためにアップリンク共有チャネルリソースとアップリンク制御チャネルリソースとを用いてＵＥを構成するための手段と、アップリンク共有チャネルリソースが、基地局に送信されるべきＵＣＩの送信のために十分なリソースを含むかどうかを決定するようにＵＥを構成するための手段と、アップリンク共有チャネルリソースがＵＣＩの送信のために十分なリソースを含むとき、アップリンク共有チャネルリソースを介してＵＥからＵＣＩを受信するための手段とを含み得る。
【００３９】
[0039]ワイヤレス通信のための別の装置について説明される。本装置は、プロセッサと、プロセッサと電子通信しているメモリと、メモリに記憶された命令とを含み得る。命令は、基地局において、ＵＥから基地局への１つまたは複数のアップリンク送信のためにアップリンク共有チャネルリソースとアップリンク制御チャネルリソースとを用いてＵＥを構成することと、アップリンク共有チャネルリソースが、基地局に送信されるべきＵＣＩの送信のために十分なリソースを含むかどうかを決定するようにＵＥを構成することと、アップリンク共有チャネルリソースがＵＣＩの送信のために十分なリソースを含むとき、アップリンク共有チャネルリソースを介してＵＥからＵＣＩを受信することとをプロセッサに行わせるように動作可能であり得る。
【００４０】
[0040]ワイヤレス通信のための非一時的コンピュータ可読媒体について説明される。非一時的コンピュータ可読媒体は、基地局において、ＵＥから基地局への１つまたは複数のアップリンク送信のためにアップリンク共有チャネルリソースとアップリンク制御チャネルリソースとを用いてＵＥを構成することと、アップリンク共有チャネルリソースが、基地局に送信されるべきＵＣＩの送信のために十分なリソースを含むかどうかを決定するようにＵＥを構成することと、アップリンク共有チャネルリソースがＵＣＩの送信のために十分なリソースを含むとき、アップリンク共有チャネルリソースを介してＵＥからＵＣＩを受信することとをプロセッサに行わせるように動作可能な命令を含み得る。
【００４１】
[0041]上記で説明された方法、装置、および非一時的コンピュータ可読媒体のいくつかの例は、アップリンク共有チャネルリソースがＵＣＩの送信のために不十分なリソースを含むとき、アップリンク制御チャネルリソースを介してＵＥからＵＣＩを受信するためのプロセス、特徴、手段、または命令をさらに含み得る。
【００４２】
[0042]上記で説明された方法、装置、および非一時的コンピュータ可読媒体のいくつかの例は、アップリンク共有チャネルリソースを使用してＵＥから１つまたは複数のアップリンク共有チャネル送信を受信するためのプロセス、特徴、手段、または命令をさらに含み得、ここにおいて、１つまたは複数のアップリンク共有チャネル送信はＵＣＩと多重化される。
【００４３】
[0043]上記で説明された方法、装置、および非一時的コンピュータ可読媒体のいくつかの例は、ＵＥにＤＣＩ送信を送信するためのプロセス、特徴、手段、または命令をさらに含み得、ＤＣＩ送信は、アップリンク共有チャネルリソースがＵＣＩを送信するために使用されることが可能であるかどうかのインジケーションを含む。上記で説明された方法、装置、および非一時的コンピュータ可読媒体のいくつかの例では、インジケーションは、１つまたは複数のダウンリンク送信の受信に肯定応答する肯定応答フィードバック、チャネルの１つまたは複数の測定パラメータを示すＣＳＩ、スケジューリング要求（ＳＲ）情報、あるいはそれらの任意の組合せのうちの１つまたは複数が、アップリンク共有チャネルリソースを使用して送信されることが可能であるかどうかを示す１ビットインジケーションを含み得る。上記で説明された方法、装置、および非一時的コンピュータ可読媒体のいくつかの例では、インジケーションは２ビットインジケーションを含み得、２ビットインジケーションの第１のビットは、１つまたは複数のダウンリンク送信の受信に肯定応答する肯定応答フィードバックがアップリンク共有チャネルリソースを使用して送信されることが可能であるかどうかを示し、２ビットインジケーションの第２のビットは、チャネルの１つまたは複数の測定パラメータを示すＣＳＩがアップリンク共有チャネルリソースを使用して送信されることが可能であるかどうかを示す。
【００４４】
[0044]上記で説明された方法、装置、および非一時的コンピュータ可読媒体のいくつかの例では、ＵＣＩは、１つまたは複数のダウンリンク送信の受信に肯定応答する肯定応答フィードバック、肯定応答フィードバックが、１つまたは複数のダウンリンク送信の後に無線フレームの第１の有効なサブフレーム中で送信される、か、チャネルの１つまたは複数の測定パラメータを示すＣＳＩ、ＣＳＩは、ＣＳＩが利用可能であり得、ＵＥが、無線フレーム中でＣＳＩを報告するように構成され得るとき、無線フレームのいずれかの利用可能なサブフレーム中で送信される、か、あるいはそれらの任意の組合せを含む。上記で説明された方法、装置、および非一時的コンピュータ可読媒体のいくつかの例では、アップリンク共有チャネルリソースはアップリンク制御チャネルリソースと重複せず、およびここにおいて、ＵＥは、アップリンク共有チャネルリソースを使用する他のアップリンク送信とは無関係にアップリンク制御チャネルリソースを使用してＵＣＩを送信するようにさらに構成されるか、またはアップリンク共有チャネルリソースがＵＣＩの送信のために十分なリソースを含むとき、アップリンク共有チャネルリソースを使用してＵＣＩを送信するようにさらに構成され得る。
【００４５】
[0045]上記で説明された方法、装置、および非一時的コンピュータ可読媒体のいくつかの例は、アップリンク制御チャネルリソースを含む無線フレームの第１の数のサブフレームと、第２の数の構成されたアップリンク共有チャネル繰り返しとの間のマッピングを識別するためのプロセス、特徴、手段、または命令をさらに含み得、およびここにおいて、アップリンク共有チャネルリソースがＵＣＩの送信のために十分なリソースを含むという決定は、マッピングに少なくとも部分的に基づき得る。上記で説明された方法、装置、および非一時的コンピュータ可読媒体のいくつかの例は、第２の数の構成されたアップリンク共有チャネル繰り返しが第１の数のサブフレーム以上であり得るとき、アップリンク共有チャネルリソースがＵＣＩの送信のために使用され得ると決定するようにＵＥを構成するためのプロセス、特徴、手段、または命令をさらに含み得る。上記で説明された方法、装置、および非一時的コンピュータ可読媒体のいくつかの例は、第２の数の構成されたアップリンク共有チャネル繰り返しが第１の数のサブフレーム未満であり得るとき、アップリンク制御チャネルリソースがＵＣＩの送信のために使用され得ると決定するようにＵＥを構成するためのプロセス、特徴、手段、または命令をさらに含み得る。
【図面の簡単な説明】
【００４６】
【図１】本開示の態様による共有無線周波数スペクトル帯域におけるアップリンクチャネルの多重化のための技法をサポートするワイヤレス通信システムの一例を示す図。
【図２】本開示の態様による共有無線周波数スペクトル帯域におけるアップリンクチャネルの多重化のための技法をサポートするワイヤレス通信システムの一部分の一例を示す図。
【図３】本開示の態様による共有無線周波数スペクトル帯域におけるアップリンクチャネルの多重化のための技法をサポートするワイヤレスリソースの一例を示す図。
【図４】本開示の態様による共有無線周波数スペクトル帯域におけるアップリンクチャネルの多重化のための技法をサポートするアップリンクリソースの別の例を示す図。
【図５】本開示の態様による共有無線周波数スペクトル帯域におけるアップリンクチャネルの多重化のための技法をサポートするアップリンクダウンリンクパートをもつフレーム構造の一例を示す図。
【図６】開示の態様による共有無線周波数スペクトル帯域におけるアップリンクチャネルの多重化のための技法をサポートするワイヤレスリソースの例を示す図。
【図７】本開示の態様による共有無線周波数スペクトル帯域におけるアップリンクチャネルの多重化のための技法をサポートするワイヤレスリソースの例を示す図。
【図８】本開示の態様による共有無線周波数スペクトル帯域におけるアップリンクチャネルの多重化のための技法をサポートするワイヤレスデバイスのブロック図。
【図９】本開示の態様による共有無線周波数スペクトル帯域におけるアップリンクチャネルの多重化のための技法をサポートするワイヤレスデバイスのブロック図。
【図１０】[0053]本開示の態様による共有無線周波数スペクトル帯域におけるアップリンクチャネルの多重化のための技法をサポートするＵＥ通信マネージャのブロック図。
【図１１】本開示の態様による共有無線周波数スペクトル帯域におけるアップリンクチャネルの多重化のための技法をサポートするデバイスを含むシステムのブロック図。
【図１２】本開示の態様による共有無線周波数スペクトル帯域におけるアップリンクチャネルの多重化のための技法をサポートするワイヤレスデバイスのブロック図。
【図１３】本開示の態様による共有無線周波数スペクトル帯域におけるアップリンクチャネルの多重化のための技法をサポートするワイヤレスデバイスのブロック図。
【図１４】本開示の態様による共有無線周波数スペクトル帯域におけるアップリンクチャネルの多重化のための技法をサポートする基地局通信マネージャのブロック図。
【図１５】本開示の態様による共有無線周波数スペクトル帯域におけるアップリンクチャネルの多重化のための技法をサポートするデバイスを含むシステムのブロック図。
【図１６】本開示の態様による共有無線周波数スペクトル帯域におけるアップリンクチャネルの多重化のための技法のための方法を示すフローチャート。
【図１７】本開示の態様による共有無線周波数スペクトル帯域におけるアップリンクチャネルの多重化のための技法のための方法を示すフローチャート。
【図１８】本開示の態様による共有無線周波数スペクトル帯域におけるアップリンクチャネルの多重化のための技法のための方法を示すフローチャート。
【図１９】本開示の態様による共有無線周波数スペクトル帯域におけるアップリンクチャネルの多重化のための技法のための方法を示すフローチャート。
【図２０】本開示の態様による共有無線周波数スペクトル帯域におけるアップリンクチャネルの多重化のための技法のための方法を示すフローチャート。
【図２１】本開示の態様による共有無線周波数スペクトル帯域におけるアップリンクチャネルの多重化のための技法のための方法を示すフローチャート。
【図２２】本開示の態様による共有無線周波数スペクトル帯域におけるアップリンクチャネルの多重化のための技法のための方法を示すフローチャート。
【図２３】本開示の態様による共有無線周波数スペクトル帯域におけるアップリンクチャネルの多重化のための技法のための方法を示すフローチャート。
【図２４】本開示の態様による共有無線周波数スペクトル帯域におけるアップリンクチャネルの多重化のための技法のための方法を示すフローチャート。
【図２５】本開示の態様による共有無線周波数スペクトル帯域におけるアップリンクチャネルの多重化のための技法のための方法を示すフローチャート。
【図２６】本開示の態様による共有無線周波数スペクトル帯域におけるアップリンクチャネルの多重化のための技法のための方法を示すフローチャート。
【発明を実施するための形態】
【００４７】
[0059]本開示の様々な態様は、ワイヤレス送信のための共有または無認可無線周波数スペクトルを使用し得るシステムにおけるアップリンク制御チャネル送信のための技法を提供する。いくつかの場合には、共有無線周波数スペクトルを使用する送信は、共有無線周波数スペクトルにアクセスすることを希望し得る様々な異なる送信機が送信のために媒体の制御を獲得することを可能にするために提供される、１つまたは複数の制約を有する。そのような制約は、（場合によってはいくつかのギャップをもつ）５ミリ秒の最大送信時間と、それの後にくる、後続の５ミリ秒の送信なしなど、特定の時間期間中の最大送信時間を含み得る。いくつかの場合には、アップリンク制御チャネルリソースは、いくつかの時間において事前構成されることがあり、そのため、共有無線周波数スペクトルを使用する送信のための制約と調和することが困難になり得る。たとえば、いくつかの時間において事前構成されたアップリンク制御チャネルリソースは、共有無線周波数スペクトルに関連するオン／オフ期間と整合しないことがあり、ＵＥは、アップリンク制御チャネルリソースに適応するために５ｍｓオン／オフ期間をシフトする必要があり得、それにより、ＵＥは、割り振られたアップリンクリソースから離れるように送信時間をシフトしたことの結果として、アップリンク送信の１つまたは複数のサブフレームをドロップすることになり得る。
【００４８】
[0060]本開示の様々な態様は、アップリンクリソースをアップリンクリソースの複数の異なるセットにセグメント化することを提供し、アップリンクリソースの各セットは、１つまたは複数の関連するアップリンク制御チャネルリソースを有する。基地局またはＵＥは、比較的少数のドロップされたアップリンク送信を提供してアップリンク制御チャネル送信に適応するために、ＵＥの他の割り振られたアップリンクリソースに対するアップリンクリソースのセットのアップリンク制御チャネルリソースのロケーションに基づいて、ＵＥからのアップリンク送信のためにアップリンクリソースの複数のセットからアップリンクリソースのセットを選択し得る。アップリンクリソースの選択されたセットを使用してアップリンク送信が送信され得、アップリンクリソースの選択されたセットに関連するアップリンク制御チャネルリソースを使用してアップリンク制御チャネル送信が送信され得る。
【００４９】
[0061]いくつかの場合には、アップリンク制御情報（ＵＣＩ）は、基地局への送信のためにＵＥの１つまたは複数のアップリンク共有チャネル送信と多重化され得る。そのような場合、ＵＥは、アップリンク共有チャネル送信のために割り振られたアップリンク共有チャネルリソースが、基地局へのＵＣＩの送信のために十分なリソースを含むかどうかを決定し得る。アップリンク共有チャネル送信が基地局へのＵＣＩの送信のために十分なリソースを提供する場合、ＵＣＩは、アップリンク共有チャネルリソースを使用して送信され得る。アップリンク共有チャネル送信が基地局へのＵＣＩの送信のために十分なリソースを提供しない場合、ＵＣＩは、１つまたは複数の構成されたアップリンク制御チャネルリソースを使用して送信され得、関連するアップリンク共有チャネル送信はドロップされ得る。
【００５０】
[0062]本開示の態様について、初めにワイヤレス通信システムのコンテキストにおいて説明される。次いで、ワイヤレスリソースの様々な例と、アップリンク制御チャネルおよびアップリンク共有チャネルリソースの割振りとについて説明される。本開示の態様は、さらに、共有無線周波数スペクトル帯域におけるアップリンクチャネルの多重化のための技法に関係する装置図、システム図、およびフローチャートによって図示され、それらを参照しながら説明される。
【００５１】
[0063]図１は、本開示の態様による共有無線周波数スペクトル帯域におけるアップリンクチャネルの多重化のための技法をサポートするワイヤレス通信システム１００の一例を示す。ワイヤレス通信システム１００は、基地局１０５と、ＵＥ１１５と、コアネットワーク１３０とを含む。いくつかの例では、ワイヤレス通信システム１００は、ロングタームエボリューション（ＬＴＥ）ネットワーク、ＬＴＥアドバンスト（ＬＴＥ−Ａ）ネットワーク、ＬＴＥ−Ａプロネットワーク、または新無線（ＮＲ）ネットワークであり得る。いくつかの場合には、ワイヤレス通信システム１００は、拡張ブロードバンド通信、超高信頼（たとえば、ミッションクリティカル）通信、低レイテンシ通信、または低コストおよび低複雑度デバイスを用いた通信をサポートし得る。ＵＥ１１５および基地局１０５は、いくつかの場合には、ワイヤレス送信のために共有無線周波数スペクトルを使用し得、アップリンクリソースの異なるセットについて制御チャネルリソースのロケーションに基づいてアップリンク送信のためにアップリンクリソースを選択するために本明細書で論じられるリソースセグメント化技法を使用し得る。
【００５２】
[0064]基地局１０５は、１つまたは複数の基地局アンテナを介してＵＥ１１５とワイヤレスに通信し得る。本明細書で説明される基地局１０５は、基地トランシーバ局、無線基地局、アクセスポイント、無線トランシーバ、ノードＢ、ｅノードＢ（ｅＮＢ）、（いずれもｇＮＢと呼ばれることがある）次世代ノードＢもしくはギガノードＢ、ホームノードＢ、ホームｅノードＢ、または何らかの他の好適な用語を含み得るか、または当業者によってそれらで呼ばれることがある。ワイヤレス通信システム１００は、異なるタイプの基地局１０５（たとえば、マクロセル基地局またはスモールセル基地局）を含み得る。本明細書で説明されるＵＥ１１５は、マクロｅＮＢ、スモールセルｅＮＢ、ｇＮＢ、リレー基地局などを含む様々なタイプの基地局１０５およびネットワーク機器と通信することが可能であり得る。
【００５３】
[0065]各基地局１０５は、様々なＵＥ１１５との通信がサポートされる特定の地理的カバレージエリア１１０に関連付けられ得る。各基地局１０５は、通信リンク１２５を介してそれぞれの地理的カバレージエリア１１０に通信カバレージを提供し得、基地局１０５とＵＥ１１５との間の通信リンク１２５は、１つまたは複数のキャリアを利用し得る。ワイヤレス通信システム１００に示されている通信リンク１２５は、ＵＥ１１５から基地局１０５へのアップリンク送信、または基地局１０５からＵＥ１１５へのダウンリンク送信を含み得る。ダウンリンク送信は順方向リンク送信と呼ばれることもあり、一方、アップリンク送信は逆方向リンク送信と呼ばれることもある。
【００５４】
[0066]基地局１０５のための地理的カバレージエリア１１０は、地理的カバレージエリア１１０の一部分のみを構成するセクタに分割され得、各セクタはセルに関連付けられ得る。たとえば、各基地局１０５は、マクロセル、スモールセル、ホットスポット、もしくは他のタイプのセル、またはそれらの様々な組合せに通信カバレージを提供し得る。いくつかの例では、基地局１０５は可動であり得、したがって、移動する地理的カバレッジエリア１１０に通信カバレージを提供し得る。いくつかの例では、異なる技術に関連付けられた異なる地理的カバレージエリア１１０が重複し得、異なる技術に関連付けられた重複する地理的カバレージエリア１１０は、同じ基地局１０５によってまたは異なる基地局１０５によってサポートされ得る。ワイヤレス通信システム１００は、たとえば、異なるタイプの基地局１０５が様々な地理的カバレージエリア１１０にカバレージを提供する異種ＬＴＥ／ＬＴＥ−Ａ／ＬＴＥ−ＡプロまたはＮＲネットワークを含み得る。
【００５５】
[0067]「セル」という用語は、（たとえば、キャリアを介した）基地局１０５との通信のために使用される論理的通信エンティティを指し、同じまたは異なるキャリアを介して動作する隣接セルを区別するための識別子（たとえば、物理セル識別子（ＰＣＩＤ）、仮想セル識別子（ＶＣＩＤ））に関連付けられ得る。いくつかの例で、キャリアは複数のセルをサポートし得、異なるセルは、異なるタイプのデバイスにアクセスを提供し得る異なるプロトコルタイプ（たとえば、マシンタイプ通信（ＭＴＣ）、狭帯域モノのインターネット（ＮＢ−ＩｏＴ）、拡張モバイルブロードバンド（ｅＭＢＢ）など）に従って構成され得る。いくつかの場合には、「セル」という用語は、その上で論理エンティティが動作する地理的カバレージエリア１１０の一部分（たとえば、セクタ）を指すことがある。
【００５６】
[0068]ＵＥ１１５は、ワイヤレス通信システム１００全体にわたって分散され得、各ＵＥ１１５は固定または移動であり得る。ＵＥ１１５は、モバイルデバイス、ワイヤレスデバイス、リモートデバイス、ハンドヘルドデバイス、もしくは加入者デバイス、または何らかの他の好適な用語で呼ばれることもあり、ここで、「デバイス」は、ユニット、局、端末、またはクライアントと呼ばれることもある。ＵＥ１１５はまた、セルラーフォン、携帯情報端末（ＰＤＡ）、タブレットコンピュータ、ラップトップコンピュータ、またはパーソナルコンピュータなどのパーソナル電子デバイスであり得る。いくつかの例では、ＵＥ１１５は、器具、車両、メーターなどの様々な物品中で実装され得る、ワイヤレスローカルループ（ＷＬＬ）局、モノのインターネット（ＩｏＴ）デバイス、あらゆるモノのインターネット（ＩｏＥ）デバイス、またはＭＴＣデバイスなどを指すこともある。
【００５７】
[0069]ＭＴＣデバイスまたはＩｏＴデバイスなど、いくつかのＵＥ１１５は、低コストまたは低複雑度デバイスであり得、（たとえば、マシンツーマシン（Ｍ２Ｍ）通信を介した）マシン間の自動通信を提供し得る。Ｍ２Ｍ通信またはＭＴＣは、デバイスが人の介入なしに互いにまたは基地局１０５と通信することを可能にするデータ通信技術を指すことがある。いくつかの例では、Ｍ２Ｍ通信またはＭＴＣは、情報を測定もしくはキャプチャするためにセンサーもしくはメーターを組み込み、情報を利用することができる中央サーバもしくはアプリケーションプログラムにその情報を中継するか、またはプログラムもしくはアプリケーションと対話する人間に情報を提示する、デバイスからの通信を含み得る。いくつかのＵＥ１１５は、情報を集めるか、またはマシンの自動化された挙動を可能にするように設計され得る。ＭＴＣデバイスのための適用の例は、スマートメータリング、インベントリモニタリング、水位モニタリング、機器モニタリング、ヘルスケアモニタリング、野生生物モニタリング、天候および地質学的事象モニタリング、フリート管理およびトラッキング、リモートセキュリティ検知、物理的アクセス制御、ならびにトランザクションベースのビジネス課金を含む。
【００５８】
[0070]いくつかのＵＥ１１５は、半二重通信などの電力消費量を低減する動作モード（たとえば、送信と受信とを同時にではなく送信または受信を介した一方向通信をサポートするモード）を採用するように構成され得る。いくつかの例では、半二重通信は、低減されたピークレートで実行され得る。ＵＥ１１５のための他の電力節約技法は、アクティブ通信に関与していないときに電力節約する「ディープスリープ」モードに入ること、または（たとえば、狭帯域通信に従って）限定された帯域幅を介して動作することを含む。いくつかの場合には、ＵＥ１１５は、重要な機能（たとえば、ミッションクリティカルな機能）をサポートするように設計され得、ワイヤレス通信システム１００は、これらの機能に超高信頼通信を提供するように構成され得る。
【００５９】
[0071]いくつかの場合には、ＵＥ１１５は、（たとえば、ピアツーピア（Ｐ２Ｐ）またはデバイス間（Ｄ２Ｄ）プロトコルを使用して）他のＵＥ１１５と直接通信することも可能であり得る。Ｄ２Ｄ通信を利用するＵＥ１１５のグループのうちの１つまたは複数は、基地局１０５の地理的カバレージエリア１１０内にあり得る。そのようなグループ中の他のＵＥ１１５は、基地局１０５の地理的カバレージエリア１１０外にあるか、またはさもなければ、基地局１０５からの送信を受信することができないことがある。いくつかの場合には、Ｄ２Ｄ通信を介して通信するＵＥ１１５のグループは、各ＵＥ１１５がグループ中のあらゆる他のＵＥ１１５に送信する１対多（１：Ｍ）システムを利用し得る。いくつかの場合には、基地局１０５は、Ｄ２Ｄ通信のためのリソースのスケジューリングを容易にする。他の場合には、Ｄ２Ｄ通信は、基地局１０５の関与なしにＵＥ１１５間で行われる。
【００６０】
[0072]基地局１０５は、コアネットワーク１３０とおよび互いに通信し得る。たとえば、基地局１０５は、バックホールリンク１３２を通して（たとえば、Ｓ１または他のインターフェースを介して）コアネットワーク１３０とインターフェースし得る。基地局１０５は、直接的に（たとえば、基地局１０５間で直接的に）あるいは間接的に（たとえば、コアネットワーク１３０を介して）バックホールリンク１３４を介して（たとえば、Ｘ２または他のインターフェースを介して）互いに通信し得る。
【００６１】
[0073]コアネットワーク１３０は、ユーザ認証と、アクセス許可と、トラッキングと、インターネットプロトコル（ＩＰ）接続性と、他のアクセス、ルーティング、またはモビリティ機能とを提供し得る。コアネットワーク１３０は、少なくとも１つのモビリティ管理エンティティ（ＭＭＥ）と、少なくとも１つのサービングゲートウェイ（Ｓ−ＧＷ）と、少なくとも１つのパケットデータネットワーク（ＰＤＮ）ゲートウェイ（Ｐ−ＧＷ）とを含み得る発展型パケットコア（ＥＰＣ）であり得る。ＭＭＥは、ＥＰＣに関連付けられた基地局１０５によってサービスされるＵＥ１１５のためのモビリティ、認証、およびベアラ管理などの非アクセス層（たとえば、制御プレーン）機能を管理し得る。ユーザＩＰパケットは、それ自体がＰ−ＧＷに接続され得るＳ−ＧＷを通して転送され得る。Ｐ−ＧＷは、ＩＰアドレス割振りならびに他の機能を提供し得る。Ｐ−ＧＷはネットワーク事業者ＩＰサービスに接続され得る。事業者ＩＰサービスは、インターネット、イントラネット、ＩＰマルチメディアサブシステム（ＩＭＳ）、またはパケット交換（ＰＳ）ストリーミングサービスへのアクセスを含み得る。
【００６２】
[0074]基地局１０５などのネットワークデバイスのうちの少なくともいくつかは、アクセスノードコントローラ（ＡＮＣ）の一例であり得る、アクセスネットワークエンティティなどのサブ構成要素を含み得る。各アクセスネットワークエンティティは、無線ヘッド、スマート無線ヘッド、または送信／受信ポイント（ＴＲＰ）と呼ばれることがあるいくつかの他のアクセスネットワーク送信エンティティを通してＵＥ１１５と通信し得る。いくつかの構成では、各アクセスネットワークエンティティまたは基地局１０５の様々な機能は、様々なネットワークデバイス（たとえば、無線ヘッドおよびアクセスネットワークコントローラ）にわたって分散されるか、または単一のネットワークデバイス（たとえば、基地局１０５）に統合され得る。
【００６３】
[0075]ワイヤレス通信システム１００は、一般に、３００ＭＨｚから３００ＧＨｚの範囲の１つまたは複数の周波数帯域を使用して動作し得る。概して、３００ＭＨｚから３ＧＨｚまでの領域は、波長が約１デシメートルから１メートルまでの長さの範囲にあるので、極超短波（ＵＨＦ）領域またはデシメートル帯域として知られている。ＵＨＦ波は、建物および環境特徴によってブロックまたはリダイレクトされることがある。しかしながら、波は、マクロセルが屋内に位置するＵＥ１１５にサービスを提供するために構造を十分に透過し得る。ＵＨＦ波の送信は、３００ＭＨｚを下回るスペクトルの高周波（ＨＦ）または超短波（ＶＨＦ）部分のより小さい周波数およびより長い波を使用する送信と比較してより小さいアンテナおよびより短い距離（たとえば、１００ｋｍ未満）に関連付けられ得る。
【００６４】
[0076]ワイヤレス通信システム１００はまた、センチメートル帯域としても知られる３ＧＨｚから３０ＧＨｚまでの周波数帯域を使用して超高周波（ＳＨＦ）領域において動作し得る。ＳＨＦ領域は、他のユーザからの干渉を許容することができるデバイスによって機会主義的に使用され得る、５ＧＨｚ産業科学医療用（ＩＳＭ）帯域などの帯域を含む。
【００６５】
[0077]ワイヤレス通信システム１００はまた、ミリメートル帯域としても知られる（たとえば、３０ＧＨｚから３００ＧＨｚまでの）スペクトルの極高周波（ＥＨＦ）領域において動作し得る。いくつかの例では、ワイヤレス通信システム１００は、ＵＥ１１５と基地局１０５との間のミリメートル波（ｍｍＷ）通信をサポートし得、それぞれのデバイスのＥＨＦアンテナは、ＵＨＦアンテナよりもさらに小さく、さらに狭い間隔にあり得る。いくつかの場合には、これは、ＵＥ１１５内でのアンテナアレイの使用を容易にし得る。しかしながら、ＥＨＦ送信の伝搬は、ＳＨＦまたはＵＨＦ送信よりも一層大きい大気減衰を受け、距離が短くなり得る。本明細書で開示される技法は、１つまたは複数の異なる周波数領域を使用する送信にわたって採用され得、これらの周波数領域にわたる帯域の指定された使用は、国または規制団体によって異なり得る。
【００６６】
[0078]いくつかの場合には、ワイヤレス通信システム１００は、認可無線周波数スペクトル帯域と無認可無線周波数スペクトル帯域の両方を利用し得る。たとえば、ワイヤレス通信システム１００は、５ＧＨｚ  ＩＳＭ帯域などの無認可帯域中でライセンス支援型アクセス（ＬＡＡ）、ＬＴＥ−無認可（ＬＴＥ−Ｕ）無線アクセス技術、またはＮＲ技術を採用し得る。無認可無線周波数スペクトル帯域中で動作するとき、基地局１０５およびＵＥ１１５などのワイヤレスデバイスは、データを送信する前に周波数チャネルがクリアであることを保証するために、リッスンビフォアトーク（ＬＢＴ）手順を採用し得る。いくつかの場合には、無認可帯域中の動作は、認可帯域（たとえば、ＬＡＡ）中で動作するＣＣとともに、ＣＡ構成に基づき得る。無認可スペクトル中の動作は、ダウンリンク送信、アップリンク送信、ピアツーピア送信、またはこれらの組合せを含み得る。無認可スペクトル中の複信は、周波数分割複信（ＦＤＤ）、時分割複信（ＴＤＤ）、またはその両方の組合せに基づき得る。
【００６７】
[0079]いくつかの場合には、ワイヤレス通信システム１００は、階層化プロトコルスタックに従って動作するパケットベースのネットワークであり得る。ユーザプレーンでは、ベアラまたはパケットデータコンバージェンスプロトコル（ＰＤＣＰ）レイヤにおける通信はＩＰベースであり得る。無線リンク制御（ＲＬＣ）レイヤは、いくつかの場合には、論理チャネル上で通信するためにパケットのセグメンテーションおよびリアセンブリを実施し得る。媒体アクセス制御（ＭＡＣ）レイヤは、優先度処理と、トランスポートチャネルへの論理チャネルの多重化とを実施し得る。ＭＡＣレイヤはまた、リンク効率を改善するためにＭＡＣレイヤにおいて再送信を行うためにハイブリッド自動再送要求（ＨＡＲＱ）を使用し得る。制御プレーンでは、無線リソース制御（ＲＲＣ）プロトコルレイヤが、ユーザプレーンデータのための無線ベアラをサポートする、ＵＥ１１５と基地局１０５またはコアネットワーク１３０との間のＲＲＣ接続の確立と構成と維持とを行い得る。物理（ＰＨＹ）レイヤにおいて、トランスポートチャネルは物理チャネルにマッピングされ得る。
【００６８】
[0080]いくつかの場合には、ＵＥ１１５および基地局１０５は、データが正常に受信される可能性を増加させるためにデータの再送信をサポートし得る。ＨＡＲＱフィードバックは、（通信リンク１２５のうちの１つなどの）通信リンクを介してデータが正確に受信される可能性を増加させる１つの技法である。ＨＡＲＱは、（たとえば、巡回冗長検査（ＣＲＣ）を使用する）誤り検出と、前方誤り訂正（ＦＥＣ）と、再送信（たとえば、自動再送要求（ＡＲＱ））との組合せを含み得る。ＨＡＲＱは、劣悪な無線条件（たとえば、信号対雑音条件）においてＭＡＣレイヤにおけるスループットを改善し得る。いくつかの場合には、ワイヤレスデバイスは、デバイスがスロット中の前のシンボル中で受信されたデータ用の特定のスロット中でＨＡＲＱフィードバックを実現し得る、同一スロットＨＡＲＱフィードバックをサポートし得る。他の場合には、デバイスは、後続のスロット中で、または何らかの他の時間間隔に従ってＨＡＲＱフィードバックを提供し得る。
【００６９】
[0081]「キャリア」という用語は、通信リンクを介した通信をサポートするために定義された物理レイヤ構造を有する無線周波数スペクトルリソースのセットを指す。たとえば、通信リンクのキャリアは、所与の無線アクセス技術のための物理レイヤチャネルに従って動作する無線周波数スペクトル帯域の一部分を含み得る。各物理レイヤチャネルは、ユーザデータ、制御情報、または他のシグナリングを搬送し得る。キャリアは、あらかじめ定義された周波数チャネル（たとえば、Ｅ−ＵＴＲＡ絶対無線周波数チャネル番号（ＥＡＲＦＣＮ））に関連付けられ得、ＵＥ１１５による発見のためのチャネルラスタに従って配置され得る。キャリアは、（たとえば、ＦＤＤモードで）ダウンリンクまたはアップリンクであり得るか、あるいは（たとえば、ＴＤＤモードで）ダウンリンクおよびアップリンク通信を搬送するように構成され得る。いくつかの例では、キャリア上で送信される信号波形は、（たとえば、直交周波数分割多重化（ＯＦＤＭ）または離散フーリエ変換拡張ＯＦＤＭ（ＤＦＴ−ｓ−ＯＦＤＭ）などのマルチキャリア変調（ＭＣＭ）技法を使用して）複数のサブキャリアから構成され得る。
【００７０】
[0082]物理チャネルは、様々な技法に従ってキャリア上で多重化され得る。物理制御チャネルと物理データチャネルとは、たとえば、時分割多重化（ＴＤＭ）技法、周波数分割多重化（ＦＤＭ）技法、またはハイブリッドＴＤＭ−ＦＤＭ技法を使用して、ダウンリンクキャリア上で多重化され得る。いくつかの例では、物理制御チャネル中で送信される制御情報は、カスケード方式で異なる制御領域間で（たとえば、共通制御領域または共通探索空間と、１つまたは複数のＵＥ固有制御領域またはＵＥ固有探索空間との間で）分散され得る。
【００７１】
[0083]いくつかの場合には、上記のように、ＵＥ１１５と基地局１０５とは、送信のために共有無線周波数スペクトルを使用し得、共有無線周波数スペクトルは１つまたは複数の送信タイミング制約を有し得る。さらに、ある場合には、１つまたは複数のＵＥ１１５は、あらかじめ定義された構成に従ってアップリンク制御チャネル送信を送信するように構成され得るＭＴＣデバイスであり得る。本開示の様々な例では、ＵＥ１１５からのアップリンク送信のためのアップリンクリソースは、アップリンクリソースの複数の異なるセットにセグメント化され得、アップリンクリソースの各セットは、１つまたは複数の関連するアップリンク制御チャネルリソースを有する。基地局１０５またはＵＥ１１５は、比較的少数のドロップされたアップリンク送信を提供してアップリンク制御チャネル送信に適応するために、ＵＥ１１５の他の割り振られたアップリンクリソースに対するアップリンクリソースのセットのアップリンク制御チャネルリソースのロケーションに基づいて、ＵＥ１１５からのアップリンク送信のためにアップリンクリソースの複数のセットからアップリンクリソースのセットを選択し得る。いくつかの場合には、ＵＣＩは、基地局１０５への送信のためにＵＥ１１５の１つまたは複数のアップリンク共有チャネル送信と多重化され得る。
【００７２】
[0084]図２は、本開示の態様による共有無線周波数スペクトル帯域におけるアップリンクチャネルの多重化のための技法をサポートするワイヤレス通信システム２００の一部分の一例を示す。いくつかの例では、ワイヤレス通信システム２００は、ワイヤレス通信システム１００の態様を実装し得る。図２の例では、ワイヤレス通信システム２００は、図１の基地局１０５の一例であり得る、基地局１０５−ａを含み得る。ワイヤレス通信システム２００はまた、図１を参照しながらそれぞれ説明されたように、基地局１０５−ａのカバレージエリア１１０−ａ内に位置する、ＵＥ１１５の一例であり得る、ＵＥ１１５−ａを含み得る。
【００７３】
[0085]図２の例では、基地局１０５−ａとＵＥ１１５−ａとは、アップリンクリソース２０５とダウンリンクリソース２１０とを使用し得る接続を確立し得る。いくつかの場合には、ＵＥ１１５−ａと基地局１０５−ａとは、共有無線周波数スペクトルを使用して通信し得、１つまたは複数のアップリンク送信２１５、ダウンリンク送信２２０、あるいはそれらの組合せは、共有無線周波数スペクトルを使用する送信について１つまたは複数の制約を有し得る。そのような制約は、たとえば、図２の図におけるアップリンク送信２１５間およびダウンリンク送信２２０間のギャップに示されているように、（場合によってはいくつかのギャップをもつ）５ミリ秒の最大送信時間と、それの後にくる、後続の５ミリ秒からの送信なしなど、特定の時間期間中の最大送信時間を含み得る。そのようなオン／オフパターンは、共有無線周波数スペクトルを使用して送信し得るＵＥのためにアップリンクリソースを割り振っている基地局にスケジューリングの複雑さを提供し得る。いくつかの場合には、アップリンク制御チャネルリソースは、いくつかの時間において事前構成されることがあり、そのため、共有無線周波数スペクトルを使用する送信のための制約と調和することが困難になり得る。たとえば、いくつかの時間において事前構成されたアップリンク制御チャネルリソースは、共有無線周波数スペクトルに関連するオン／オフ期間と整合しないことがあり、ＵＥは、アップリンク制御チャネルリソースに適応するために５ｍｓオン／オフ期間をシフトする必要があり得、それにより、ＵＥは、割り振られたアップリンクリソースから離れるように送信時間をシフトしたことの結果として、アップリンク送信の１つまたは複数のサブフレームをドロップすることになり得る。
【００７４】
[0086]本開示の様々な態様は、以下でより詳細に論じられるように、アップリンクリソースをアップリンクリソースの複数の異なるセットにセグメント化することを提供し、アップリンクリソースの各セットは、１つまたは複数の関連するアップリンク制御チャネルリソースを有する。基地局１０５−ａまたはＵＥ１１５−ａは、比較的少数のドロップされたアップリンク送信を提供してアップリンク制御チャネル送信に適応するために、ＵＥ１１５−ａの他の割り振られたアップリンクリソースに対するアップリンクリソースのセットのアップリンク制御チャネルリソースのロケーションに基づいて、ＵＥからのアップリンク送信のためにアップリンクリソースの複数のセットからアップリンクリソースのセットを選択し得る。いくつかの場合には、ＵＣＩは、同じく以下でより詳細に論じられるように、基地局１０５への送信のためにＵＥ１１５−ａの１つまたは複数のアップリンク共有チャネル送信と多重化され得る。そのようなアップリンク制御チャネルおよび共有チャネル送信技法は、ワイヤレス通信システム２００の全体的なネットワーク効率を向上させるのを助け得る、ＵＥ１１５−ａのための追加のスケジューリングフレキシビリティを可能にし得る。そのような技法はまた、アップリンク制御チャネルリソースが、１つまたは複数の確立された通信規格（たとえば、共有無線周波数スペクトルを使用する拡張マシンタイプ通信のための通信規格）に準拠してアップリンクリソースの各セットに割り振られることを可能にすることによって、有益であり得る。
【００７５】
[0087]図３は、本開示の態様による共有無線周波数スペクトル帯域におけるアップリンクチャネルの多重化のための技法をサポートするワイヤレスリソース３００の一例を示す。いくつかの例では、ワイヤレスリソース３００は、ワイヤレス通信システム１００または２００の態様を実装するために使用され得る。図３のワイヤレスリソース３００は、アップリンク共有チャネル送信３１０（たとえば、物理アップリンク共有チャネル（ＰＵＳＣＨ）送信）と、アップリンク制御チャネル送信３１５（たとえば、物理アップリンク制御チャネル（ＰＵＣＣＨ）送信）とのために異なるタイミングを有し得る、アップリンクリソース３０５（３０５−ａ、３０５−ｂ、３０５−ｃ、３０５−ｄ、３０５−ｅ、３０５−ｆ、３０５−ｇ、３０５−ｈ）のいくつかの例を含む。いくつかの場合には、ＭＴＣ送信は、アップリンク送信の複数の繰り返しを提供することなど、ＭＴＣデータ送信の拡張された信頼性を提供し得る１つまたは複数のカバレージ拡張（ＣＥ）技法を採用し得る。アップリンクリソース３０５−ａの第１の例では、ＵＥは、５ｍｓオン持続時間中に５つの１ｍｓアップリンクサブフレームを送信し得、それにおいて、５つの１ｍｓサブフレームは、ＰＵＳＣＨ送信の繰り返し１〜５を含み得る。アップリンクリソース３０５−ａの第１の例では、最初の５つのサブフレームの後には、共有無線周波数スペクトルを使用し得る送信に関する規制制約に従って５ｍｓオフ期間が続き得、その後には、この例ではＰＵＳＣＨ送信の繰り返し６〜１０を送信するためにＵＥが使用され得る別の５ｍｓオン期間が続き得る。
【００７６】
[0088]ＵＥが基地局に制御チャネル送信を送信すべき場合、制御チャネルリソースは、いくつかの場合には、事前構成され得、５ｍｓオン期間のうちの１つの外部にあり得る。アップリンクリソース３０５−ｂの第２の例では、アップリンク制御チャネル送信３１５は、アップリンク共有チャネル送信３１０のために割り振られたサブフレームの直後にあるサブフレームのために構成され得、この場合、ＵＥは、アップリンク制御チャネル送信３１５に適応するためにオン期間をシフトし、アップリンク共有チャネル送信３１０のために割り振られた第１のサブフレームをドロップし、ドロップされたアップリンク共有チャネル送信３２０が生じ得る。様々な他の例３０５は、アップリンク制御チャネル送信３１５の様々な異なるタイミングに基づく、ドロップされたアップリンク共有チャネル送信３２０の異なる量を示す。いくつかの場合には、アップリンク制御チャネル送信３１５のタイミングに応じて、かなりの数のアップリンク共有チャネル送信３１０がドロップされ得る。
【００７７】
[0089]そのような場合、ＵＥがアップリンク制御チャネル送信３１５を送信すべきとき、ＵＥは、どのサブフレームをドロップすべきかを決定するためにルックアヘッドする。基地局は、そのような場合、ＵＥがどのサブフレームをドロップするであろうかを予測することを試みることにより、スケジュールするときの複雑さを増加させていることがある。いくつかの場合には、いくつかのアップリンクサブフレームをドロップする理由は、ＰＵＣＣＨリソースが、ＵＥのために割り振られた５ｍｓオン期間とは異なる「５ｍｓ期間」中に存在するからであり得る。上記のように、いくつかの場合には、基地局は、アップリンク制御チャネルリソースをそれぞれ有するアップリンクリソースの異なるセットを構成し得、図４および図５の例で説明されているようなドロップされたアップリンク共有チャネル送信の量を低減するために特定のセットが選択され得る。
【００７８】
[0090]図４は、本開示の態様による共有無線周波数スペクトル帯域におけるアップリンクチャネルの多重化のための技法をサポートするアップリンクリソース４００の別の例を示す。いくつかの例では、アップリンクリソース４００は、ワイヤレス通信システム１００または２００の態様を実装するために使用され得る。図４の例には、いくつかの異なるアップリンク送信リソース４０５（４０５−ａ、４０５−ｂ、４０５−ｃ）が示されている。この例では、第１のアップリンク送信リソース４０５−ａは第１のＵＥのために割り振られ得、それにおいて、アップリンク共有チャネル送信４１０のためのリソースと、アップリンク制御チャネル送信４１５のためのリソースとは、２つのリソースのセットにセグメント化され得る。
【００７９】
[0091]この例では、アップリンク制御チャネルリソースの第１のセット４２０と、アップリンク制御チャネルリソースの第２のセット４２５は、アップリンクリソースの異なるセット中に構成され得、第１のＵＥは、アップリンクリソースの第１のセットを使用し、第１のアップリンク共有チャネル送信４１０の直後にくるアップリンク制御チャネルリソースの第１のセット４２０を使用して制御チャネル送信を送信し得る。そのような方式では、低減された数のアップリンク共有チャネル送信がドロップされ得る。図４の例では、第２のＵＥは、第２のアップリンク送信リソース４０５−ｂを割り振られていることがあり、アップリンク制御チャネルリソースの第２のセット４２５を使用し得る。同様に、第３のＵＥは、第３のアップリンク送信リソース４０５−ｃを割り振られていることがあり、アップリンク制御チャネルリソースの第１のセット４２０を使用し得る。いくつかの場合には、基地局は、ＵＥによって使用されるべきである制御チャネルリソースのセットを構成するかまたはＵＥにシグナリングし得る。他の場合には、ＵＥは、基地局からのダウンリンク送信がアップリンクリソースの特定のセットに対応することを識別し得、それに応じて、アップリンクリソースと、アップリンク制御チャネルリソースとを選択し得る。
【００８０】
[0092]図５は、本開示の態様による共有無線周波数スペクトル帯域におけるアップリンクチャネルの多重化のための技法をサポートするアップリンクダウンリンクパートをもつフレーム構造５００の一例を示す。いくつかの例では、フレーム構造５００は、ワイヤレス通信システム１００または２００の態様を実装するために使用され得る。この例では、フレーム構造５００は、（ｍフレーム（mframe）と呼ばれることがある）無線フレーム内でダウンリンクアップリンクパートの様々な構成５０５（５０５−ａ、５０５−ｂ、５０５−ｃ、５０５−ｄ、５０５−ｅ、５０５−ｆ、５０５−ｇ、５０５−ｈ）を有し得る。この例では、ｍフレームは、共有無線周波数スペクトルを使用するワイヤレス送信のためにｅＭＴＣデバイスが使用し得る７５ｍｓフレームであり得る。
【００８１】
[0093]この例では、各ダウンリンクアップリンクパートのアップリンクリソースは、アップリンクリソースの２つの異なるセット中にあるように構成され得る。したがって、図５の例では、ダウンリンクリソース５１０は、関連する第１のアップリンクリソースセット５２０および第２のアップリンクリソースセット５２５をそれぞれ有し得、各アップリンクリソースセット５２０および５２５は、関連する制御チャネルリソース５１５を有し得る。いくつかの例では、ＵＥのために、基地局は、第１のアップリンクリソースセット５２０または第２のアップリンクリソースセット５２５のいずれかを使用し得、ＵＥは、そのダウンリンクアップリンクパート中の関連するアップリンク制御チャネルリソース５１５を使用し得る。いくつかの場合には、異なるアップリンクリソースセットは、ｍフレームの異なるダウンリンクアップリンクパート中で使用されることが可能である。いくつかの場合には、アップリンクリソースセットのそのような分割は、ＵＥが各ｍフレーム中で１５ｍｓのみ送信するように抑制されるので、拡張されたリソース利用を可能にし、それにより、基地局とＵＥとのフレキシビリティにおける損失が最小であるより単純なスケジューラ実装形態が生じ得る。
【００８２】
[0094]図示のように、各アップリンクリソースセット５２０および５２５は、１つまたは複数の制御チャネルリソース５１５を有し得る。いくつかの場合には、制御チャネルリソース５１５のリソース構成は、各アップリンクリソースセット５２０および５２５ごとに独立であり得る（たとえば、ＰＵＣＣＨフォーマット、リソースブロック（ＲＢ）、サイクリックシフト、ロケーション、周期性など）。したがって、ＵＥは、基地局からの許可に応じて、各ダウンリンクアップリンクパート中の第１のアップリンクリソースセット５２０または第２のアップリンクリソースセット５２５のいずれか中でのみ送信し得る。したがって、アップリンクリソースセットの選択は、各ダウンリンクアップリンクパートについて動的であり得、ｍフレームの異なるダウンリンクアップリンクパートについて異なり得る。いくつかの場合には、アップリンクリソースセットに関連するアップリンク制御チャネルリソース５１５がＵＣＩ送信のために使用され得る（たとえば、ＳＲ情報、ＡＣＫ／ＮＡＣＫ情報、チャネル状態情報（ＣＳＩ）、またはそれらの任意の組合せ）。いくつかの場合には、ＵＥのアップリンク共有チャネル送信は、ＵＥがアップリンク制御チャネルリソース５１５を使用して送信する必要があるサブフレーム中でドロップされ得る。追加または代替として、ＵＥのアップリンク共有チャネル送信は、ＵＥが他のＵＥのアップリンク制御チャネルリソースのためにギャップを残す必要があるサブフレーム中のアップリンク制御チャネル送信の周りでレートマッチングされ得る。いくつかの例では、ＵＥは、１つまたは複数のアップリンク共有チャネルリソースを使用してアップリンク制御チャネル情報を送信し得、その場合、ＵＥは、図６および図７の例に関して論じられるように、アップリンク制御チャネル送信をドロップし得る。
【００８３】
[0095]いくつかの場合には、ＵＥは、アップリンク送信においてサウンディング基準信号（ＳＲＳ）送信を送信するように構成され得る。いくつかの場合には、基地局は、第１のアップリンクリソースセット５２０中にあり得るアップリンクリソースを使用してＳＲＳ送信を送信するようにＵＥを構成し得る。ＵＥまたは基地局がアップリンク送信のために第１のアップリンクリソースセット５２０を選択した場合、ＵＥは、構成されたＳＲＳ送信に従ってＳＲＳを送信し得るが、ＵＥまたは基地局がアップリンク送信のために第２のアップリンクリソースセット５２５を選択した場合、ＵＥは、構成されたＳＲＳ送信をドロップし得る。追加または代替として、ＳＲＳ送信が、アップリンクリソースの特定のセット内の送信のための構成なしにｍフレーム中の送信のために構成された場合、ＵＥは、アップリンクリソースの任意の選択されたセット中でＳＲＳ送信を送信し得る。
【００８４】
[0096]図６は、本開示の態様による共有無線周波数スペクトル帯域におけるアップリンクチャネルの多重化のための技法をサポートするワイヤレスリソース６００の一例を示す。いくつかの例では、ワイヤレスリソース６００は、ワイヤレス通信システム１００または２００の態様を実装するために使用され得る。上記のように、ＵＣＩは、いくつかの場合には、アップリンク共有チャネルリソースを使用して送信され得る。図６の例では、アップリンクリソース６０５は、ダウンリンクリソース６１０と、アップリンクリソースの第１のセット６２０と、アップリンクリソースの第２のセット６２５とをそれぞれ有する２つのアップリンクダウンリンクパートを含み得る。上記で論じられたように、アップリンクリソースの各セット６２０および６２５は、関連するアップリンク制御チャネルリソース６１５を有し得る。
【００８５】
[0097]図６の例では、アップリンクリソースの第１のセット６２０はアップリンク送信のために選択され得る。この例では、ＵＥは、ＵＣＩがアップリンク共有チャネルリソースを使用して送信され得ると決定し得、アップリンク制御チャネルリソース６１５を使用して別個のアップリンク制御チャネル送信をドロップし得る。いくつかの場合には、ＵＥがアップリンク共有チャネルリソースを使用してＵＣＩを送信し得るときのタイミングは、送信されるＵＣＩの時間に依存し得、たとえば、アップリンク共有チャネル送信がより早く開始し得る一方で、ＡＣＫ／ＮＡＣＫ送信は、いくつかの場合には、最後のダウンリンクサブフレームの４サブフレーム後に開始するサブフレーム（すなわち、ｎ＋４）など、ＡＣＫ／ＮＡＣＫが利用可能である第１の有効なサブフレームにおいてのみ開始し得る。さらに、ＵＣＩがＵＥのＣＳＩを含む場合、ＵＣＩ送信は、ＣＳＩが利用可能であり、ＵＥがそのｍフレーム中で報告するように構成された場合、より早いアップリンク共有チャネル送信とともに開始し得る。いくつかの場合には、ＣＳＩを搬送するサブフレームは、ＡＣＫ／ＮＡＣＫを搬送するサブフレームと同じである（かまたはさらには重複する）必要はない。ダウンリンク許可が不在である場合、またはスケジュールされた複数のアップリンク共有チャネル送信がある場合、アップリンク制御チャネル送信ペイロードは固定であり、したがってあいまいさはない。いくつかの場合には、ＣＳＩ送信は、アップリンク共有チャネル送信上でレートマッチングされ得るが、ＡＣＫ／ＮＡＣＫ送信は、アップリンク共有チャネル送信をパンクチャし得る。
【００８６】
[0098]いくつかの場合には、基地局はダウンリンク制御情報（ＤＣＩ）を送信し得、ＤＣＩは、アップリンク共有チャネル送信を使用してＵＣＩが送信されることが可能であるかどうかを決定するためにＵＥが使用し得るインジケーションを提供するように構成され得る。いくつかの場合には、ＤＣＩは、アップリンク共有チャネル送信を使用してＵＣＩが送信され得るかどうかを示すための１または２ビットを含み得る。ＤＣＩが１ビットを含む場合、このビットは、ＵＥが共有チャネル送信を使用してＡＣＫ／ＮＡＣＫ、ＣＳＩ、ＳＲ、またはそれらの任意の組合せを送り得るかどうかを示すように設定され得る。ＤＣＩが２ビットを含む場合、ＡＣＫ／ＮＡＣＫおよびＣＳＩは、共有チャネル送信を使用して送信されるように基地局によって独立してトリガされることが可能である。いくつかの場合には、ＵＥは、共有チャネルリソースを使用してＵＣＩを送信すべきかまたは制御チャネルリソースを使用してＵＣＩを送信すべきかを決定し得る。
【００８７】
[0099]図７は、本開示の態様による共有無線周波数スペクトル帯域におけるアップリンクチャネルの多重化のための技法をサポートするワイヤレスリソース７００の一例を示す。いくつかの例では、ワイヤレスリソース７００は、ワイヤレス通信システム１００または２００の態様を実装するために使用され得る。図７の例では、アップリンクリソース７０５は、ダウンリンクリソース７１０と、アップリンクリソースの第１のセット７２０と、アップリンクリソースの第２のセット７２５とをそれぞれ有する２つのアップリンクダウンリンクパートを含み得る。上記で論じられたように、アップリンクリソースの各セット７２０および７２５は、関連するアップリンク制御チャネルリソース７１５を有し得る。
【００８８】
[0100]図７の例では、ＵＥは、アップリンクリソースの第１のセット７２０中のアップリンク制御チャネルリソース７１５を使用してＵＣＩを送信し得る。この場合、ＵＥは、アップリンク制御チャネルリソース７１５を使用してアップリンク制御チャネル送信を送信するために使用されるサブフレームにおいてアップリンク共有チャネル送信をドロップし得る。したがって、アップリンク制御チャネル送信は、いくつかの場合には、図６に示されているように、アップリンク共有チャネル送信を使用して送信され得るか、または図７に示されているようにアップリンク制御チャネル送信を使用して送信され得る。いくつかの場合には、基地局またはＵＥは、アップリンク共有チャネルリソースが、ＵＥからのＵＣＩの送信のために十分なリソースを提供するかどうかを決定し得る。いくつかの場合には、アップリンク共有チャネルリソースがＵＣＩの送信のために十分なリソースを含むかどうかを決定するために使用され得る、ＵＣＩペイロードからある数のＰＵＣＣＨ繰り返しおよびある数のＰＵＳＣＨ繰り返しへのマッピングが提供され得る。たとえば、ＵＣＩは、復調基準信号のデータと２つのシンボルとのワーストケースにおいてサブフレームごとのＲＢごとに最大４８個のＲＥを使用することができるＡＣＫ／ＮＡＣＫ情報を含み得る（いくつかの場合には、リソースは、復調基準信号のデータと６つのシンボルとのためにサブフレームごとのＲＢごとに４８個のＲＥを含み得る）。したがって、ＰＵＣＣＨの１つのサブフレームは、（１ＲＢ  ＰＵＳＣＨを仮定すると）ＰＵＳＣＨの複数のサブフレームにマッピングし得る。したがって、いくつかの場合には、ある数のアップリンク制御チャネルサブフレームと、ある数のアップリンク共有チャネル繰り返しとの間のマッピングは、共有チャネルリソースを使用してＵＣＩが送信されることが可能であるかどうかを決定するために使用され得る。いくつかの場合には、共有チャネル繰り返しの数が、ＵＣＩを送信するためのサブフレームの数よりも高い場合、ＵＥは、図６に示されているように共有チャネル送信上でＵＣＩを多重化することができる。共有チャネル繰り返しの数が十分でない場合、ＵＥは、図７に示されているように、制御チャネルリソースをもつサブフレーム中で共有チャネル送信をドロップし、制御チャネル送信を送信する。
【００８９】
[0101]図８は、本開示の態様による共有無線周波数スペクトル帯域におけるアップリンクチャネルの多重化のための技法をサポートするワイヤレスデバイス８０５のブロック図８００を示す。ワイヤレスデバイス８０５は、本明細書で説明されるＵＥ１１５の態様の一例であり得る。ワイヤレスデバイス８０５は、受信機８１０と、ＵＥ通信マネージャ８１５と、送信機８２０とを含み得る。ワイヤレスデバイス８０５はプロセッサをも含み得る。これらの構成要素の各々は、（たとえば、１つまたは複数のバスを介して）互いに通信していることがある。
【００９０】
[0102]受信機８１０は、パケット、ユーザデータ、または様々な情報チャネルに関連する制御情報（たとえば、共有無線周波数スペクトル帯域におけるアップリンクチャネルの多重化のための技法に関係する制御チャネル、データチャネル、および情報など）などの情報を受信し得る。情報は、デバイスの他の構成要素に渡され得る。受信機８１０は、図１１を参照しながら説明されるトランシーバ１１３５の態様の一例であり得る。受信機８１０は、単一のアンテナまたはアンテナのセットを利用し得る。
【００９１】
[0103]ＵＥ通信マネージャ８１５は、図１１を参照しながら説明されるＵＥ通信マネージャ１１１５の態様の一例であり得る。
【００９２】
[0104]ＵＥ通信マネージャ８１５および／またはそれの様々なサブ構成要素のうちの少なくともいくつかは、ハードウェア、プロセッサによって実行されるソフトウェア、ファームウェア、またはそれらの任意の組合せで実装され得る。プロセッサによって実行されるソフトウェアで実装される場合、ＵＥ通信マネージャ８１５および／またはそれの様々なサブ構成要素のうちの少なくともいくつかの機能は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本開示で説明される機能を実施するように設計されたそれらの任意の組合せによって実行され得る。ＵＥ通信マネージャ８１５および／またはそれの様々なサブ構成要素のうちの少なくともいくつかは、機能の部分が、１つまたは複数の物理デバイスによって異なる物理的ロケーションにおいて実装されるように分散されることを含めて、様々な位置に物理的に配置され得る。いくつかの例では、ＵＥ通信マネージャ８１５および／またはそれの様々なサブ構成要素のうちの少なくともいくつかは、本開示の様々な態様による、分離した別個の構成要素であり得る。他の例では、ＵＥ通信マネージャ８１５および／またはそれの様々なサブ構成要素のうちの少なくともいくつかは、限定はされないが、本開示の様々な態様による、Ｉ／Ｏ構成要素、トランシーバ、ネットワークサーバ、別のコンピューティングデバイス、本開示で説明される１つまたは複数の他の構成要素、あるいはそれらの組合せを含む、１つまたは複数の他のハードウェア構成要素と組み合わされ得る。
【００９３】
[0105]ＵＥ通信マネージャ８１５は、基地局への１つまたは複数のアップリンク送信の送信のために共有無線周波数スペクトル帯域内でアップリンクリソースの第１のセットとアップリンクリソースの第２のセットとを構成する構成情報を基地局から受信することと、アップリンクリソースの第１のセットがアップリンクリソースの第２のセットに時間的に隣接する、基地局からの１つまたは複数のダウンリンク送信に基づいて基地局へのアップリンク制御チャネル送信のためにアップリンクリソースの第１のセットまたはアップリンクリソースの第２のセットを選択することと、アップリンクリソースの選択された第１のセットまたはアップリンクリソースの選択された第２のセットを使用して基地局に１つまたは複数のアップリンク送信を送信することとを行い得る。
【００９４】
[0106]ＵＥ通信マネージャ８１５はまた、ＵＥから基地局への１つまたは複数のアップリンク送信のためにアップリンク共有チャネルリソースとアップリンク制御チャネルリソースとを構成する構成情報を基地局からＵＥにおいて受信することと、基地局に送信されるべきＵＣＩを識別することと、アップリンク共有チャネルリソースが基地局へのＵＣＩの送信のために十分なリソースを含むと決定することと、決定することに応答して、アップリンク共有チャネルリソースを使用して基地局にＵＣＩを送信することとを行い得る。
【００９５】
[0107]送信機８２０は、デバイスの他の構成要素によって生成された信号を送信し得る。いくつかの例では、送信機８２０は、トランシーバモジュールにおいて受信機８１０とコロケートされ得る。たとえば、送信機８２０は、図１１を参照しながら説明されるトランシーバ１１３５の態様の一例であり得る。送信機８２０は、単一のアンテナまたはアンテナのセットを利用し得る。
【００９６】
[0108]図９は、本開示の態様による共有無線周波数スペクトル帯域におけるアップリンクチャネルの多重化のための技法をサポートするワイヤレスデバイス９０５のブロック図９００を示す。ワイヤレスデバイス９０５は、図８を参照しながら説明されたワイヤレスデバイス８０５またはＵＥ１１５の態様の一例であり得る。ワイヤレスデバイス９０５は、受信機９１０と、ＵＥ通信マネージャ９１５と、送信機９２０とを含み得る。ワイヤレスデバイス９０５はプロセッサをも含み得る。これらの構成要素の各々は、（たとえば、１つまたは複数のバスを介して）互いに通信していることがある。
【００９７】
[0109]受信機９１０は、パケット、ユーザデータ、または様々な情報チャネルに関連する制御情報（たとえば、共有無線周波数スペクトル帯域におけるアップリンクチャネルの多重化のための技法に関係する制御チャネル、データチャネル、および情報など）などの情報を受信し得る。情報は、デバイスの他の構成要素に渡され得る。受信機９１０は、図１１を参照しながら説明されるトランシーバ１１３５の態様の一例であり得る。受信機９１０は、単一のアンテナまたはアンテナのセットを利用し得る。
【００９８】
[0110]ＵＥ通信マネージャ９１５は、図１１を参照しながら説明されるＵＥ通信マネージャ１１１５の態様の一例であり得る。ＵＥ通信マネージャ９１５はまた、構成マネージャ９２５と、リソース選択構成要素９３０と、アップリンク送信マネージャ９３５と、ＵＣＩマネージャ９４０と、アップリンクリソースマネージャ９４５とを含み得る。
【００９９】
[0111]構成マネージャ９２５は、基地局への１つまたは複数のアップリンク送信の送信のために共有無線周波数スペクトル帯域内でアップリンクリソースの第１のセットとアップリンクリソースの第２のセットとを構成する構成情報を基地局から受信し得、アップリンクリソースの第１のセットはアップリンクリソースの第２のセットに時間的に隣接する。いくつかの場合には、構成マネージャ９２５は、ＵＥから基地局への１つまたは複数のアップリンク送信のためにアップリンク共有チャネルリソースとアップリンク制御チャネルリソースとを構成する構成情報を基地局から受信し得る。
【０１００】
[0112]リソース選択構成要素９３０は、基地局からの１つまたは複数のダウンリンク送信に基づいて基地局へのアップリンク制御チャネル送信のためにアップリンクリソースの第１のセットまたはアップリンクリソースの第２のセットを選択し、基地局からの１つまたは複数のダウンリンク送信が、アップリンクリソースの第１のセットに関連するダウンリンクリソースを使用して送信されることを識別し、識別することに基づいて、１つまたは複数のアップリンク送信のためにアップリンクリソースの第１のセットを選択し得る。いくつかの場合には、アップリンクリソースの第１のセットとアップリンクリソースの第２のセットとの各々は、関連するアップリンク制御チャネルリソースを有し、アップリンクリソースの第１のセットまたはアップリンクリソースの第２のセットの選択は、アップリンク送信持続時間の時間境界に対する、アップリンクリソースの第１のセットに関連するアップリンク制御チャネルリソースの時間的ロケーションと、アップリンクリソースの第２のセットに関連するアップリンク制御チャネルリソースの時間的ロケーションとに基づき得る。
【０１０１】
[0113]アップリンク送信マネージャ９３５は、アップリンクリソースの選択された第１のセットまたはアップリンクリソースの選択された第２のセットを使用して基地局に１つまたは複数のアップリンク送信を送信し得る。いくつかの場合には、アップリンク送信マネージャ９３５は、共有チャネルリソースがＵＣＩ送信のために十分なリソースを有すると決定することに応答して、アップリンク共有チャネルリソースを使用して基地局にＵＣＩを送信し得る。いくつかの場合には、アップリンク送信マネージャ９３５は、アップリンク共有チャネルリソースが基地局へのＵＣＩの送信のために不十分なリソースを含むと決定することに応答して、アップリンク制御チャネルリソースを使用して基地局にＵＣＩを送信し得る。いくつかの場合には、アップリンク送信マネージャ９３５は、アップリンク共有チャネルリソースを使用して基地局に１つまたは複数のアップリンク共有チャネル送信を送信し得、ここで、１つまたは複数のアップリンク共有チャネル送信はＵＣＩと多重化され得る。
【０１０２】
[0114]ＵＣＩマネージャ９４０は、基地局に送信されるべきＵＣＩを識別し得る。いくつかの場合には、基地局へのアップリンク制御チャネル送信は、１つまたは複数のダウンリンク送信の受信に肯定応答する肯定応答フィードバック、あるいはチャネルの１つまたは複数の測定パラメータを示すＣＳＩのうちの１つまたは複数を含むＵＣＩを含む。いくつかの場合には、ＵＣＩは、基地局から受信された１つまたは複数のダウンリンク送信の後に、無線フレームの第１の有効なサブフレーム中で送信される１つまたは複数のダウンリンク送信の受信に肯定応答する肯定応答フィードバックか、ＣＳＩが利用可能であり、ＵＥが、無線フレーム中でＣＳＩを報告するように構成されたとき、無線フレームのいずれかの利用可能なサブフレーム中で送信されるチャネルの１つまたは複数の測定パラメータを示すＣＳＩか、あるいはそれらの任意の組合せを含む。
【０１０３】
[0115]アップリンクリソースマネージャ９４５は、第２の数の構成されたアップリンク共有チャネル繰り返しが第１の数のサブフレーム以上であるとき、ＵＣＩの送信のためにアップリンク共有チャネルリソースを使用することを決定するか、または第２の数の構成されたアップリンク共有チャネル繰り返しが第１の数のサブフレーム未満であるとき、ＵＣＩの送信のためにアップリンク制御チャネルリソースを使用することを決定し得る。いくつかの場合には、アップリンクリソースマネージャ９４５は、基地局から受信されたアップリンク許可に基づいて無線フレームの１つまたは複数のダウンリンクアップリンクパートの各々のためにアップリンクリソースの選択された第１のセットまたはアップリンクリソースの選択された第２のセットを使用して送信し得る。いくつかの場合には、アップリンクリソースマネージャ９４５は、アップリンク共有チャネルリソースが基地局へのＵＣＩの送信のために十分なリソースを含むと決定し得る。
【０１０４】
[0116]いくつかの場合には、１つまたは複数のアップリンク送信は、１つまたは複数のアップリンク部分と、１つまたは複数のダウンリンク部分とを有する無線フレーム内で送信され、およびここで、各アップリンク部分は、アップリンクリソースの第１のセットと、アップリンクリソースの第２のセットとに区分される。いくつかの場合には、無線フレームの第１のダウンリンクアップリンクパートはアップリンクリソースの第１のセットを使用し、無線フレームの第２のダウンリンクアップリンクパートはアップリンクリソースの第２のセットを使用する。いくつかの場合には、１つまたは複数のアップリンク送信は、無線フレームの１つまたは複数のアップリンクサブフレーム内で送信される１つまたは複数のアップリンク共有チャネル送信と、１つまたは複数のアップリンク制御チャネル送信とを含み、およびここで、第１のサブフレームがアップリンク制御チャネル送信を含むとき、第１のサブフレーム内のアップリンク共有チャネル送信がドロップされる。
【０１０５】
[0117]いくつかの場合には、１つまたは複数のアップリンク送信は、無線フレームの１つまたは複数のアップリンクサブフレーム内で送信される１つまたは複数のアップリンク共有チャネル送信と、１つまたは複数のアップリンク制御チャネル送信とを含み、およびここで、第１のサブフレームがアップリンク制御チャネル送信を含むとき、第１のサブフレーム内のアップリンク共有チャネル送信がアップリンク制御チャネル送信リソースの周りでレートマッチングされる。いくつかの場合には、アップリンクリソースの第１のセットとアップリンクリソースの第２のセットとの各々はアップリンク制御チャネルリソースを有し、およびここで、アップリンク制御チャネルリソースは、アップリンクリソースの第１のセットとアップリンクリソースの第２のセットとの各々のために独立して構成される。いくつかの場合には、アップリンク共有チャネルリソースはアップリンク制御チャネルリソースと重複せず、およびここで、構成情報は、アップリンク共有チャネルリソースを使用する他のアップリンク送信とは無関係にアップリンク制御チャネルリソースを使用して送信されるようにＵＣＩをさらに構成するか、または構成情報は、決定することに応答して、アップリンク共有チャネルリソースを使用して送信されるようにＵＣＩをさらに構成する。いくつかの場合には、基地局から受信されたアップリンク許可は、アップリンクリソースの第１のセットまたはアップリンクリソースの第２のセットのうちのどちらが無線フレームの各ダウンリンクアップリンクパートのために使用されるべきかを動的に示す。すなわち、基地局は、各ダウンリンクアップリンクパートのために使用されるべきアップリンクリソースセットの異なる選択を示し得、選択は、無線フレームの異なるダウンリンクアップリンクパートについて異なり得る（たとえば、選択されるアップリンクリソースセットは動的であり、したがって、フレームにわたって変動し得る）。いくつかの場合には、第１のサブフレーム内のアップリンク共有チャネル送信は、アップリンク制御チャネル送信リソースと、１つまたは複数の他の送信機の１つまたは複数の他のアップリンク制御チャネル送信リソースとの周りでレートマッチングされる。
【０１０６】
[0118]送信機９２０は、デバイスの他の構成要素によって生成された信号を送信し得る。いくつかの例では、送信機９２０は、トランシーバモジュールにおいて受信機９１０とコロケートされ得る。たとえば、送信機９２０は、図１１を参照しながら説明されるトランシーバ１１３５の態様の一例であり得る。送信機９２０は、単一のアンテナまたはアンテナのセットを利用し得る。
【０１０７】
[0119]図１０は、本開示の態様による共有無線周波数スペクトル帯域におけるアップリンクチャネルの多重化のための技法をサポートするＵＥ通信マネージャ１０１５のブロック図１０００を示す。ＵＥ通信マネージャ１０１５は、図８、図９、および図１１を参照しながら説明されるＵＥ通信マネージャ８１５、ＵＥ通信マネージャ９１５、またはＵＥ通信マネージャ１１１５の態様の一例であり得る。ＵＥ通信マネージャ１０１５は、構成マネージャ１０２０と、リソース選択構成要素１０２５と、アップリンク送信マネージャ１０３０と、ＵＣＩマネージャ１０３５と、アップリンクリソースマネージャ１０４０と、ＤＣＩマネージャ１０４５と、マッピング構成要素１０５０とを含み得る。これらのモジュールの各々は、直接的または間接的に、（たとえば、１つまたは複数のバスを介して）互いに通信し得る。
【０１０８】
[0120]構成マネージャ１０２０は、基地局への１つまたは複数のアップリンク送信の送信のために共有無線周波数スペクトル帯域内でアップリンクリソースの第１のセットとアップリンクリソースの第２のセットとを構成する構成情報を基地局から受信し得、アップリンクリソースの第１のセットはアップリンクリソースの第２のセットに時間的に隣接する。いくつかの場合には、構成マネージャ１０２０は、ＵＥから基地局への１つまたは複数のアップリンク送信のためにアップリンク共有チャネルリソースとアップリンク制御チャネルリソースとを構成する構成情報を基地局から受信し得る。
【０１０９】
[0121]リソース選択構成要素１０２５は、基地局からの１つまたは複数のダウンリンク送信に基づいて基地局へのアップリンク制御チャネル送信のためにアップリンクリソースの第１のセットまたはアップリンクリソースの第２のセットを選択し、基地局からの１つまたは複数のダウンリンク送信が、アップリンクリソースの第１のセットに関連するダウンリンクリソースを使用して送信されることを識別し、識別することに基づいて、１つまたは複数のアップリンク送信のためにアップリンクリソースの第１のセットを選択し得る。いくつかの場合には、アップリンクリソースの第１のセットとアップリンクリソースの第２のセットとの各々は、関連するアップリンク制御チャネルリソースを有し、アップリンクリソースの第１のセットまたはアップリンクリソースの第２のセットの選択は、アップリンク送信持続時間の時間境界に対する、アップリンクリソースの第１のセットに関連するアップリンク制御チャネルリソースの時間的ロケーションと、アップリンクリソースの第２のセットに関連するアップリンク制御チャネルリソースの時間的ロケーションとに基づき得る。
【０１１０】
[0122]アップリンク送信マネージャ１０３０は、アップリンクリソースの選択された第１のセットまたはアップリンクリソースの選択された第２のセットを使用して基地局に１つまたは複数のアップリンク送信を送信し得る。いくつかの場合には、アップリンク送信マネージャ１０３０は、共有チャネルリソースがＵＣＩ送信のために十分なリソースを有すると決定することに応答して、アップリンク共有チャネルリソースを使用して基地局にＵＣＩを送信し得る。いくつかの場合には、アップリンク送信マネージャ１０３０は、アップリンク共有チャネルリソースが基地局へのＵＣＩの送信のために不十分なリソースを含むと決定することに応答して、アップリンク制御チャネルリソースを使用して基地局にＵＣＩを送信し得る。いくつかの場合には、アップリンク送信マネージャ１０３０は、アップリンク共有チャネルリソースを使用して基地局に１つまたは複数のアップリンク共有チャネル送信を送信し得、ここで、１つまたは複数のアップリンク共有チャネル送信はＵＣＩと多重化され得る。
【０１１１】
[0123]ＵＣＩマネージャ１０３５は、基地局に送信されるべきＵＣＩを識別し得る。いくつかの場合には、基地局へのアップリンク制御チャネル送信は、１つまたは複数のダウンリンク送信の受信に肯定応答する肯定応答フィードバック、あるいはチャネルの１つまたは複数の測定パラメータを示すＣＳＩのうちの１つまたは複数を含むＵＣＩを含む。いくつかの場合には、ＵＣＩは、基地局から受信された１つまたは複数のダウンリンク送信の後に、無線フレームの第１の有効なサブフレーム中で送信される１つまたは複数のダウンリンク送信の受信に肯定応答する肯定応答フィードバックか、ＣＳＩが利用可能であり、ＵＥが、無線フレーム中でＣＳＩを報告するように構成されたとき、無線フレームのいずれかの利用可能なサブフレーム中で送信されるチャネルの１つまたは複数の測定パラメータを示すＣＳＩか、あるいはそれらの任意の組合せを含む。
【０１１２】
[0124]アップリンクリソースマネージャ１０４０は、第２の数の構成されたアップリンク共有チャネル繰り返しが第１の数のサブフレーム以上であるとき、ＵＣＩの送信のためにアップリンク共有チャネルリソースを使用することを決定するか、または第２の数の構成されたアップリンク共有チャネル繰り返しが第１の数のサブフレーム未満であるとき、ＵＣＩの送信のためにアップリンク制御チャネルリソースを使用することを決定し得る。いくつかの場合には、アップリンクリソースマネージャ１０４０は、基地局から受信されたアップリンク許可に基づいて無線フレームの１つまたは複数のダウンリンクアップリンクパートの各々のためにアップリンクリソースの選択された第１のセットまたはアップリンクリソースの選択された第２のセットを使用して送信し得る。いくつかの場合には、アップリンクリソースマネージャ１０４０は、アップリンク共有チャネルリソースが基地局へのＵＣＩの送信のために十分なリソースを含むと決定し得る。
【０１１３】
[0125]いくつかの場合には、１つまたは複数のアップリンク送信は、１つまたは複数のアップリンク部分と、１つまたは複数のダウンリンク部分とを有する無線フレーム内で送信され、およびここで、各アップリンク部分は、アップリンクリソースの第１のセットと、アップリンクリソースの第２のセットとに区分される。いくつかの場合には、無線フレームの第１のダウンリンクアップリンクパートはアップリンクリソースの第１のセットを使用し、無線フレームの第２のダウンリンクアップリンクパートはアップリンクリソースの第２のセットを使用する。いくつかの場合には、１つまたは複数のアップリンク送信は、無線フレームの１つまたは複数のアップリンクサブフレーム内で送信される１つまたは複数のアップリンク共有チャネル送信と、１つまたは複数のアップリンク制御チャネル送信とを含み、およびここで、第１のサブフレームがアップリンク制御チャネル送信を含むとき、第１のサブフレーム内のアップリンク共有チャネル送信がドロップされる。
【０１１４】
[0126]いくつかの場合には、１つまたは複数のアップリンク送信は、無線フレームの１つまたは複数のアップリンクサブフレーム内で送信される１つまたは複数のアップリンク共有チャネル送信と、１つまたは複数のアップリンク制御チャネル送信とを含み、およびここで、第１のサブフレームがアップリンク制御チャネル送信を含むとき、第１のサブフレーム内のアップリンク共有チャネル送信がアップリンク制御チャネル送信リソースの周りでレートマッチングされる。いくつかの場合には、アップリンクリソースの第１のセットとアップリンクリソースの第２のセットとの各々はアップリンク制御チャネルリソースを有し、およびここで、アップリンク制御チャネルリソースは、アップリンクリソースの第１のセットとアップリンクリソースの第２のセットとの各々のために独立して構成される。いくつかの場合には、アップリンク共有チャネルリソースはアップリンク制御チャネルリソースと重複せず、およびここで、構成情報は、アップリンク共有チャネルリソースを使用する他のアップリンク送信とは無関係にアップリンク制御チャネルリソースを使用して送信されるようにＵＣＩをさらに構成するか、または構成情報は、決定することに応答して、アップリンク共有チャネルリソースを使用して送信されるようにＵＣＩをさらに構成する。いくつかの場合には、基地局から受信されたアップリンク許可は、アップリンクリソースの第１のセットまたはアップリンクリソースの第２のセットのうちのどちらが無線フレームの各ダウンリンクアップリンクパートのために使用されるべきかを動的に示す。すなわち、基地局は、各ダウンリンクアップリンクパートのために使用されるべきアップリンクリソースセットの異なる選択を示し得、選択は、無線フレームの異なるダウンリンクアップリンクパートについて異なり得る。いくつかの場合には、第１のサブフレーム内のアップリンク共有チャネル送信は、アップリンク制御チャネル送信リソースと、１つまたは複数の他の送信機の１つまたは複数の他のアップリンク制御チャネル送信リソースとの周りでレートマッチングされる。
【０１１５】
[0127]ＤＣＩマネージャ１０４５は、アップリンクリソースの第１のセットまたはアップリンクリソースの第２のセットのうちのどちらが１つまたは複数のアップリンク送信のために使用されるべきかを示すシグナリングを１つまたは複数のダウンリンク送信中で受信し、基地局からＤＣＩ送信を受信し得る。いくつかの場合には、インジケーションは、１つまたは複数のダウンリンク送信の受信に肯定応答する肯定応答フィードバック、チャネルの１つまたは複数の測定パラメータを示すＣＳＩ、スケジューリング要求（ＳＲ）情報、あるいはそれらの任意の組合せのうちの１つまたは複数が、アップリンク共有チャネルリソースを使用して送信されることが可能であるかどうかを示す１ビットインジケーションを含む。いくつかの場合には、インジケーションは２ビットインジケーションを含み、２ビットインジケーションの第１のビットは、１つまたは複数のダウンリンク送信の受信に肯定応答する肯定応答フィードバックがアップリンク共有チャネルリソースを使用して送信されることが可能であるかどうかを示し、２ビットインジケーションの第２のビットは、チャネルの１つまたは複数の測定パラメータを示すＣＳＩがアップリンク共有チャネルリソースを使用して送信されることが可能であるかどうかを示す。
【０１１６】
[0128]マッピング構成要素１０５０は、アップリンク制御チャネルリソースを含む無線フレームの第１の数のサブフレームと、第２の数の構成されたアップリンク共有チャネル繰り返しとの間のマッピングを識別し得、およびここで、ＵＣＩ送信のために共有チャネルリソースを使用すべきか制御チャネルリソースを使用すべきかを決定することは、マッピングに基づく。
【０１１７】
[0129]図１１は、本開示の態様による共有無線周波数スペクトル帯域におけるアップリンクチャネルの多重化のための技法をサポートするデバイス１１０５を含むシステム１１００の図を示す。デバイス１１０５は、たとえば、図８および図９を参照しながら上記で説明されたワイヤレスデバイス８０５、ワイヤレスデバイス９０５、またはＵＥ１１５の構成要素の一例であるか、またはそれを含み得る。デバイス１１０５は、ＵＥ通信マネージャ１１１５と、プロセッサ１１２０と、メモリ１１２５と、ソフトウェア１１３０と、トランシーバ１１３５と、アンテナ１１４０と、Ｉ／Ｏコントローラ１１４５とを含む、通信を送信および受信するための構成要素を含む双方向音声およびデータ通信のための構成要素を含み得る。これらの構成要素は、１つまたは複数のバス（たとえば、バス１１１０）を介して電子通信していることがある。デバイス１１０５は、１つまたは複数の基地局１０５とワイヤレスに通信し得る。
【０１１８】
[0130]プロセッサ１１２０は、インテリジェントハードウェアデバイス（たとえば、汎用プロセッサ、ＤＳＰ、中央処理ユニット（ＣＰＵ）、マイクロコントローラ、ＡＳＩＣ、ＦＰＧＡ、プログラマブル論理デバイス、個別ゲートもしくはトランジスタ論理構成要素、個別ハードウェア構成要素、またはそれらの任意の組合せ）を含み得る。いくつかの場合には、プロセッサ１１２０は、メモリコントローラを使用してメモリアレイを動作させるように構成され得る。他の場合には、メモリコントローラはプロセッサ１１２０内に組み込まれ得る。プロセッサ１１２０は、様々な機能（たとえば、共有無線周波数スペクトル帯域におけるアップリンクチャネルの多重化のための技法をサポートする機能またはタスク）を実施するためにメモリに記憶されたコンピュータ可読命令を実行するように構成され得る。
【０１１９】
[0131]メモリ１１２５は、ランダムアクセスメモリ（ＲＡＭ）および読取り専用メモリ（ＲＯＭ）を含み得る。メモリ１１２５は、実行されたとき、本明細書で説明される様々な機能をプロセッサに実施させる命令を含むコンピュータ可読、コンピュータ実行可能ソフトウェア１１３０を記憶し得る。いくつかの場合には、メモリ１１２５は、特に、周辺構成要素またはデバイスとの対話など、基本ハードウェアまたはソフトウェア動作を制御し得る基本入出力システム（ＢＩＯＳ）を含んでいることがある。
【０１２０】
[0132]ソフトウェア１１３０は、共有無線周波数スペクトル帯域におけるアップリンクチャネルの多重化のための技法をサポートするためのコードを含む、本開示の態様を実装するためのコードを含み得る。ソフトウェア１１３０は、システムメモリまたは他のメモリなど、非一時的コンピュータ可読媒体に記憶され得る。いくつかの場合には、ソフトウェア１１３０は、プロセッサによって直接的に実行可能でないことがあるが、（たとえば、コンパイルされ実行されたとき）コンピュータに本明細書で説明される機能を実施させ得る。
【０１２１】
[0133]トランシーバ１１３５は、上記で説明されたように、１つまたは複数のアンテナ、ワイヤードリンク、またはワイヤレスリンクを介して、双方向に通信し得る。たとえば、トランシーバ１１３５は、ワイヤレストランシーバを表し得、別のワイヤレストランシーバと双方向に通信し得る。トランシーバ１１３５はまた、パケットを変調し、変調されたパケットを送信のためにアンテナに提供するための、およびアンテナから受信されたパケットを復調するためのモデムを含み得る。
【０１２２】
[0134]いくつかの場合には、ワイヤレスデバイスは単一のアンテナ１１４０を含み得る。しかしながら、いくつかの場合には、デバイスは、複数のワイヤレス送信を同時に送信または受信することが可能であり得る２つ以上のアンテナ１１４０を有し得る。
【０１２３】
[0135]Ｉ／Ｏコントローラ１１４５は、デバイス１１０５のための入力信号と出力信号とを管理し得る。Ｉ／Ｏコントローラ１１４５はまた、デバイス１１０５内に組み込まれない周辺機器を管理し得る。いくつかの場合には、Ｉ／Ｏコントローラ１１４５は、外部周辺機器への物理接続またはポートを表し得る。いくつかの場合には、Ｉ／Ｏコントローラ１１４５は、ｉＯＳ（登録商標）、ＡＮＤＲＯＩＤ（登録商標）、ＭＳ−ＤＯＳ（登録商標）、ＭＳ−ＷＩＮＤＯＷＳ（登録商標）、ＯＳ／２（登録商標）、ＵＮＩＸ（登録商標）、ＬＩＮＵＸ（登録商標）、または別の知られているオペレーティングシステムなど、オペレーティングシステムを利用し得る。他の場合、Ｉ／Ｏコントローラ１１４５は、モデム、キーボード、マウス、タッチスクリーン、または同様のデバイスを表すか、またはそれらと対話し得る。いくつかの場合には、Ｉ／Ｏコントローラ１１４５はプロセッサの一部として実装され得る。いくつかの場合には、ユーザは、Ｉ／Ｏコントローラ１１４５を介して、またはＩ／Ｏコントローラ１１４５によって制御されるハードウェア構成要素を介してデバイス１１０５と対話し得る。
【０１２４】
[0136]図１２は、本開示の態様による共有無線周波数スペクトル帯域におけるアップリンクチャネルの多重化のための技法をサポートするワイヤレスデバイス１２０５のブロック図１２００を示す。ワイヤレスデバイス１２０５は、本明細書で説明される基地局１０５の態様の一例であり得る。ワイヤレスデバイス１２０５は、受信機１２１０と、基地局通信マネージャ１２１５と、送信機１２２０とを含み得る。ワイヤレスデバイス１２０５はプロセッサをも含み得る。これらの構成要素の各々は、（たとえば、１つまたは複数のバスを介して）互いに通信していることがある。
【０１２５】
[0137]受信機１２１０は、パケット、ユーザデータ、または様々な情報チャネルに関連する制御情報（たとえば、共有無線周波数スペクトル帯域におけるアップリンクチャネルの多重化のための技法に関係する制御チャネル、データチャネル、および情報など）などの情報を受信し得る。情報は、デバイスの他の構成要素に渡され得る。受信機１２１０は、図１５を参照しながら説明されるトランシーバ１５３５の態様の一例であり得る。受信機１２１０は、単一のアンテナまたはアンテナのセットを利用し得る。
【０１２６】
[0138]基地局通信マネージャ１２１５は、図１５を参照しながら説明される基地局通信マネージャ１５１５の態様の一例であり得る。
【０１２７】
[0139]基地局通信マネージャ１２１５および／またはそれの様々なサブ構成要素のうちの少なくともいくつかは、ハードウェア、プロセッサによって実行されるソフトウェア、ファームウェア、またはそれらの任意の組合せで実装され得る。プロセッサによって実行されるソフトウェアで実装される場合、基地局通信マネージャ１２１５および／またはそれの様々なサブ構成要素のうちの少なくともいくつかの機能は、汎用プロセッサ、ＤＳＰ、ＡＳＩＣ、ＦＰＧＡまたは他のプログラマブル論理デバイス、個別ゲートまたはトランジスタ論理、個別ハードウェア構成要素、あるいは本開示で説明される機能を実施するように設計されたそれらの任意の組合せによって実行され得る。基地局通信マネージャ１２１５および／またはそれの様々なサブ構成要素のうちの少なくともいくつかは、機能の部分が、１つまたは複数の物理デバイスによって異なる物理的ロケーションにおいて実装されるように分散されることを含めて、様々な位置に物理的に配置され得る。いくつかの例では、基地局通信マネージャ１２１５および／またはそれの様々なサブ構成要素のうちの少なくともいくつかは、本開示の様々な態様による、分離した別個の構成要素であり得る。他の例では、基地局通信マネージャ１２１５および／またはそれの様々なサブ構成要素のうちの少なくともいくつかは、本開示の様々な態様による、限定はされないが、Ｉ／Ｏ構成要素、トランシーバ、ネットワークサーバ、別のコンピューティングデバイス、本開示で説明される１つまたは複数の他の構成要素、またはそれらの組合せを含む、１つまたは複数の他のハードウェア構成要素と組み合わされ得る。
【０１２８】
[0140]基地局通信マネージャ１２１５は、基地局において、少なくとも１つのＵＥのアップリンク送信のために共有無線周波数スペクトル帯域内でアップリンクリソースの第１のセットとアップリンクリソースの第２のセットとを構成することと、アップリンクリソースの第１のセットがアップリンクリソースの第２のセットに時間的に隣接し、アップリンクリソースの第１のセットとアップリンクリソースの第２のセットとの各々が、関連するアップリンク制御チャネルリソースを有する、第１のＵＥのアップリンク送信持続時間の時間境界に対する、アップリンクリソースの第１のセットに関連する制御チャネルリソースの時間的ロケーションと、アップリンクリソースの第２のセットに関連する制御チャネルリソースの時間的ロケーションとに基づいて、第１のＵＥの１つまたは複数のアップリンク送信のためにアップリンクリソースの第１のセットまたはアップリンクリソースの第２のセットを選択することと、アップリンクリソースの第１のセットまたはアップリンクリソースの第２のセットのうちのどちらが１つまたは複数のアップリンク送信のために使用されるべきかを示すインジケーションを第１のＵＥに送信することとを行い得る。
【０１２９】
[0141]基地局通信マネージャ１２１５はまた、基地局において、ＵＥから基地局への１つまたは複数のアップリンク送信のためにアップリンク共有チャネルリソースとアップリンク制御チャネルリソースとを用いてＵＥを構成し、アップリンク共有チャネルリソースが、基地局に送信されるべきＵＣＩの送信のために十分なリソースを含むかどうかを決定するようにＵＥを構成し、アップリンク共有チャネルリソースがＵＣＩの送信のために十分なリソースを含むとき、アップリンク共有チャネルリソースを介してＵＥからＵＣＩを受信し得る。
【０１３０】
[0142]送信機１２２０は、デバイスの他の構成要素によって生成された信号を送信し得る。いくつかの例では、送信機１２２０は、トランシーバモジュールにおいて受信機１２１０とコロケートされ得る。たとえば、送信機１２２０は、図１５を参照しながら説明されるトランシーバ１５３５の態様の一例であり得る。送信機１２２０は、単一のアンテナまたはアンテナのセットを利用し得る。
【０１３１】
[0143]図１３は、本開示の態様による共有無線周波数スペクトル帯域におけるアップリンクチャネルの多重化のための技法をサポートするワイヤレスデバイス１３０５のブロック図１３００を示す。ワイヤレスデバイス１３０５は、図１２を参照しながら説明されたワイヤレスデバイス１２０５または基地局１０５の態様の一例であり得る。ワイヤレスデバイス１３０５は、受信機１３１０と、基地局通信マネージャ１３１５と、送信機１３２０とを含み得る。ワイヤレスデバイス１３０５はプロセッサをも含み得る。これらの構成要素の各々は、（たとえば、１つまたは複数のバスを介して）互いに通信していることがある。
【０１３２】
[0144]受信機１３１０は、パケット、ユーザデータ、または様々な情報チャネルに関連する制御情報（たとえば、共有無線周波数スペクトル帯域におけるアップリンクチャネルの多重化のための技法に関係する制御チャネル、データチャネル、および情報など）などの情報を受信し得る。情報は、デバイスの他の構成要素に渡され得る。受信機１３１０は、図１５を参照しながら説明されるトランシーバ１５３５の態様の一例であり得る。受信機１３１０は、単一のアンテナまたはアンテナのセットを利用し得る。
【０１３３】
[0145]基地局通信マネージャ１３１５は、図１５を参照しながら説明される基地局通信マネージャ１５１５の態様の一例であり得る。基地局通信マネージャ１３１５はまた、構成マネージャ１３２５と、リソース選択構成要素１３３０と、ＤＣＩマネージャ１３３５と、アップリンクリソースマネージャ１３４０と、ＵＣＩマネージャ１３４５とを含み得る。
【０１３４】
[0146]構成マネージャ１３２５は、基地局において、少なくとも１つのＵＥのアップリンク送信のために共有無線周波数スペクトル帯域内でアップリンクリソースの第１のセットとアップリンクリソースの第２のセットとを構成し得、アップリンクリソースの第１のセットはアップリンクリソースの第２のセットに時間的に隣接し、アップリンクリソースの第１のセットとアップリンクリソースの第２のセットとの各々は、関連するアップリンク制御チャネルリソースを有する。いくつかの場合には、構成マネージャ１３２５は、ＵＥから基地局への１つまたは複数のアップリンク送信のためにアップリンク共有チャネルリソースとアップリンク制御チャネルリソースとを用いてＵＥを構成し得る。
【０１３５】
[0147]リソース選択構成要素１３３０は、第１のＵＥのアップリンク送信持続時間の時間境界に対する、アップリンクリソースの第１のセットに関連する制御チャネルリソースの時間的ロケーションと、アップリンクリソースの第２のセットに関連する制御チャネルリソースの時間的ロケーションとに基づいて、第１のＵＥの１つまたは複数のアップリンク送信のためにアップリンクリソースの第１のセットまたはアップリンクリソースの第２のセットを選択し、ダウンリンクリソースの第１のセットを使用して第１のＵＥに１つまたは複数のダウンリンク送信を送信し得る。いくつかの場合には、１つまたは複数のダウンリンク送信のために使用されるダウンリンクリソースの第１のセットは、アップリンクリソースの第１のセットが１つまたは複数のアップリンク送信のために使用されるべきであることをＵＥに示す。
【０１３６】
[0148]ＤＣＩマネージャ１３３５は、アップリンクリソースの第１のセットまたはアップリンクリソースの第２のセットのうちのどちらが１つまたは複数のアップリンク送信のために使用されるべきかを示すインジケーションを第１のＵＥに送信し、アップリンクリソースの第１のセットまたはアップリンクリソースの第２のセットのうちのどちらが１つまたは複数のアップリンク送信のために使用されるべきかを示すシグナリングを１つまたは複数のダウンリンク送信中で送信し、ＵＥにＤＣＩ送信を送信し得る。いくつかの場合には、インジケーションは、１つまたは複数のダウンリンク送信の受信に肯定応答する肯定応答フィードバック、チャネルの１つまたは複数の測定パラメータを示すＣＳＩ、スケジューリング要求（ＳＲ）情報、あるいはそれらの任意の組合せのうちの１つまたは複数が、アップリンク共有チャネルリソースを使用して送信されることが可能であるかどうかを示す１ビットインジケーションを含む。いくつかの場合には、インジケーションは２ビットインジケーションを含み、２ビットインジケーションの第１のビットは、１つまたは複数のダウンリンク送信の受信に肯定応答する肯定応答フィードバックがアップリンク共有チャネルリソースを使用して送信されることが可能であるかどうかを示し、２ビットインジケーションの第２のビットは、チャネルの１つまたは複数の測定パラメータを示すＣＳＩがアップリンク共有チャネルリソースを使用して送信されることが可能であるかどうかを示す。
【０１３７】
[0149]アップリンクリソースマネージャ１３４０は、無線フレームの１つまたは複数のダウンリンクアップリンクパートの各々のためにアップリンクリソースの第１のセットとアップリンクリソースの第２のセットとを構成し得る。いくつかの場合には、アップリンクリソースマネージャ１３４０は、アップリンクリソースの第１のセットまたはアップリンクリソースの第２のセットのうちのどちらが無線フレームの各ダウンリンクアップリンクパートのために使用されるべきかを動的に示す１つまたは複数のアップリンク許可を第１のＵＥに送信し得る。いくつかの場合には、アップリンクリソースマネージャ１３４０は、アップリンク共有チャネルリソースが、基地局に送信されるべきＵＣＩの送信のために十分なリソースを含むかどうかを決定するようにＵＥを構成し得る。
【０１３８】
[0150]いくつかの場合には、１つまたは複数のアップリンク送信は、１つまたは複数のアップリンク部分と、１つまたは複数のダウンリンク部分とを有する無線フレーム内で送信され、およびここで、各アップリンク部分は、アップリンクリソースの第１のセットと、アップリンクリソースの第２のセットとに区分される。いくつかの場合には、無線フレームの第１のダウンリンクアップリンクパートはアップリンクリソースの第１のセットを使用し、無線フレームの第２のダウンリンクアップリンクパートはアップリンクリソースの第２のセットを使用する。いくつかの場合には、アップリンク共有チャネルリソースはアップリンク制御チャネルリソースと重複せず、およびここで、ＵＥは、アップリンク共有チャネルリソースを使用する他のアップリンク送信とは無関係にアップリンク制御チャネルリソースを使用してＵＣＩを送信するようにさらに構成されるか、またはアップリンク共有チャネルリソースがＵＣＩの送信のために十分なリソースを含むとき、アップリンク共有チャネルリソースを使用してＵＣＩを送信するようにさらに構成される。
【０１３９】
[0151]いくつかの場合には、１つまたは複数のアップリンク送信は、無線フレームの１つまたは複数のアップリンクサブフレーム内で送信される１つまたは複数のアップリンク共有チャネル送信と、１つまたは複数のアップリンク制御チャネル送信とを含み、およびここで、第１のサブフレームがアップリンク制御チャネル送信を含むとき、第１のサブフレーム内のアップリンク共有チャネル送信がドロップされる。いくつかの場合には、アップリンクリソースの第１のセットとアップリンクリソースの第２のセットとの各々はアップリンク制御チャネルリソースを有し、およびここで、アップリンク制御チャネルリソースは、アップリンクリソースの第１のセットとアップリンクリソースの第２のセットとの各々のために独立して構成される。いくつかの場合には、第１のサブフレーム内のアップリンク共有チャネル送信は、アップリンク制御チャネル送信リソースと、１つまたは複数の他の送信機の１つまたは複数の他のアップリンク制御チャネル送信リソースとの周りでレートマッチングされる。いくつかの場合には、１つまたは複数のアップリンク送信は、無線フレームの１つまたは複数のアップリンクサブフレーム内で送信される１つまたは複数のアップリンク共有チャネル送信と、１つまたは複数のアップリンク制御チャネル送信とを含み、およびここで、第１のサブフレームがアップリンク制御チャネル送信を含むとき、第１のサブフレーム内のアップリンク共有チャネル送信がアップリンク制御チャネル送信リソースの周りでレートマッチングされる。
【０１４０】
[0152]ＵＣＩマネージャ１３４５は、１つまたは複数のダウンリンク送信の受信に肯定応答する肯定応答フィードバック、あるいはチャネルの１つまたは複数の測定パラメータを示すＣＳＩのうちの１つまたは複数を含むＵＣＩを含むアップリンク制御チャネル送信を第１のＵＥから受信し、アップリンク共有チャネルリソースがＵＣＩの送信のために十分なリソースを含むとき、アップリンク共有チャネルリソースを介してＵＥからＵＣＩを受信し、アップリンク共有チャネルリソースがＵＣＩの送信のために不十分なリソースを含むとき、アップリンク制御チャネルリソースを介してＵＥからＵＣＩを受信し得る。いくつかの場合には、ＵＣＩマネージャ１３４５は、アップリンク共有チャネルリソースを使用してＵＥから１つまたは複数のアップリンク共有チャネル送信を受信し得、ここで、１つまたは複数のアップリンク共有チャネル送信はＵＣＩと多重化され得る。
【０１４１】
[0153]いくつかの場合には、ＵＣＩは、１つまたは複数のダウンリンク送信の受信に肯定応答する肯定応答フィードバック、肯定応答フィードバックが、１つまたは複数のダウンリンク送信の後に無線フレームの第１の有効なサブフレーム中で送信される、か、チャネルの１つまたは複数の測定パラメータを示すＣＳＩ、ＣＳＩは、ＣＳＩが利用可能であり、ＵＥが、無線フレーム中でＣＳＩを報告するように構成されたとき、無線フレームのいずれかの利用可能なサブフレーム中で送信される、か、あるいはそれらの任意の組合せを含む。
【０１４２】
[0154]送信機１３２０は、デバイスの他の構成要素によって生成された信号を送信し得る。いくつかの例では、送信機１３２０は、トランシーバモジュールにおいて受信機１３１０とコロケートされ得る。たとえば、送信機１３２０は、図１５を参照しながら説明されるトランシーバ１５３５の態様の一例であり得る。送信機１３２０は、単一のアンテナまたはアンテナのセットを利用し得る。
【０１４３】
[0155]図１４は、本開示の態様による共有無線周波数スペクトル帯域におけるアップリンクチャネルの多重化のための技法をサポートする基地局通信マネージャ１４１５のブロック図１４００を示す。基地局通信マネージャ１４１５は、図１２、図１３、および図１５を参照しながら説明される基地局通信マネージャ１５１５の態様の一例であり得る。基地局通信マネージャ１４１５は、構成マネージャ１４２０と、リソース選択構成要素１４２５と、ＤＣＩマネージャ１４３０と、アップリンクリソースマネージャ１４３５と、ＵＣＩマネージャ１４４０と、マッピング構成要素１４４５とを含み得る。これらのモジュールの各々は、直接的または間接的に、（たとえば、１つまたは複数のバスを介して）互いに通信し得る。
【０１４４】
[0156]構成マネージャ１４２０は、基地局において、少なくとも１つのＵＥのアップリンク送信のために共有無線周波数スペクトル帯域内でアップリンクリソースの第１のセットとアップリンクリソースの第２のセットとを構成し得、アップリンクリソースの第１のセットはアップリンクリソースの第２のセットに時間的に隣接し、アップリンクリソースの第１のセットとアップリンクリソースの第２のセットとの各々は、関連するアップリンク制御チャネルリソースを有する。いくつかの場合には、構成マネージャ１４２０は、ＵＥから基地局への１つまたは複数のアップリンク送信のためにアップリンク共有チャネルリソースとアップリンク制御チャネルリソースとを用いてＵＥを構成し得る。
【０１４５】
[0157]リソース選択構成要素１４２５は、第１のＵＥのアップリンク送信持続時間の時間境界に対する、アップリンクリソースの第１のセットに関連する制御チャネルリソースの時間的ロケーションと、アップリンクリソースの第２のセットに関連する制御チャネルリソースの時間的ロケーションとに基づいて、第１のＵＥの１つまたは複数のアップリンク送信のためにアップリンクリソースの第１のセットまたはアップリンクリソースの第２のセットを選択し、ダウンリンクリソースの第１のセットを使用して第１のＵＥに１つまたは複数のダウンリンク送信を送信し得る。いくつかの場合には、１つまたは複数のダウンリンク送信のために使用されるダウンリンクリソースの第１のセットは、アップリンクリソースの第１のセットが１つまたは複数のアップリンク送信のために使用されるべきであることをＵＥに示す。
【０１４６】
[0158]ＤＣＩマネージャ１４３０は、アップリンクリソースの第１のセットまたはアップリンクリソースの第２のセットのうちのどちらが１つまたは複数のアップリンク送信のために使用されるべきかを示すインジケーションを第１のＵＥに送信し、アップリンクリソースの第１のセットまたはアップリンクリソースの第２のセットのうちのどちらが１つまたは複数のアップリンク送信のために使用されるべきかを示すシグナリングを１つまたは複数のダウンリンク送信中で送信し、ＵＥにＤＣＩ送信を送信し得る。いくつかの場合には、インジケーションは、１つまたは複数のダウンリンク送信の受信に肯定応答する肯定応答フィードバック、チャネルの１つまたは複数の測定パラメータを示すＣＳＩ、スケジューリング要求（ＳＲ）情報、あるいはそれらの任意の組合せのうちの１つまたは複数が、アップリンク共有チャネルリソースを使用して送信されることが可能であるかどうかを示す１ビットインジケーションを含む。いくつかの場合には、インジケーションは２ビットインジケーションを含み、２ビットインジケーションの第１のビットは、１つまたは複数のダウンリンク送信の受信に肯定応答する肯定応答フィードバックがアップリンク共有チャネルリソースを使用して送信されることが可能であるかどうかを示し、２ビットインジケーションの第２のビットは、チャネルの１つまたは複数の測定パラメータを示すＣＳＩがアップリンク共有チャネルリソースを使用して送信されることが可能であるかどうかを示す。
【０１４７】
[0159]アップリンクリソースマネージャ１４３５は、無線フレームの１つまたは複数のダウンリンクアップリンクパートの各々のためにアップリンクリソースの第１のセットとアップリンクリソースの第２のセットとを構成し得る。いくつかの場合には、アップリンクリソースマネージャ１４３５は、アップリンクリソースの第１のセットまたはアップリンクリソースの第２のセットのうちのどちらが無線フレームの各ダウンリンクアップリンクパートのために使用されるべきかを動的に示す１つまたは複数のアップリンク許可を第１のＵＥに送信し得る。いくつかの場合には、アップリンクリソースマネージャ１４３５は、アップリンク共有チャネルリソースが、基地局に送信されるべきＵＣＩの送信のために十分なリソースを含むかどうかを決定するようにＵＥを構成し得る。
【０１４８】
[0160]いくつかの場合には、１つまたは複数のアップリンク送信は、１つまたは複数のアップリンク部分と、１つまたは複数のダウンリンク部分とを有する無線フレーム内で送信され、およびここで、各アップリンク部分は、アップリンクリソースの第１のセットと、アップリンクリソースの第２のセットとに区分される。いくつかの場合には、無線フレームの第１のダウンリンクアップリンクパートはアップリンクリソースの第１のセットを使用し、無線フレームの第２のダウンリンクアップリンクパートはアップリンクリソースの第２のセットを使用する。いくつかの場合には、アップリンク共有チャネルリソースはアップリンク制御チャネルリソースと重複せず、およびここで、ＵＥは、アップリンク共有チャネルリソースを使用する他のアップリンク送信とは無関係にアップリンク制御チャネルリソースを使用してＵＣＩを送信するようにさらに構成されるか、またはアップリンク共有チャネルリソースがＵＣＩの送信のために十分なリソースを含むとき、アップリンク共有チャネルリソースを使用してＵＣＩを送信するようにさらに構成される。
【０１４９】
[0161]いくつかの場合には、１つまたは複数のアップリンク送信は、無線フレームの１つまたは複数のアップリンクサブフレーム内で送信される１つまたは複数のアップリンク共有チャネル送信と、１つまたは複数のアップリンク制御チャネル送信とを含み、およびここで、第１のサブフレームがアップリンク制御チャネル送信を含むとき、第１のサブフレーム内のアップリンク共有チャネル送信がドロップされる。いくつかの場合には、アップリンクリソースの第１のセットとアップリンクリソースの第２のセットとの各々はアップリンク制御チャネルリソースを有し、およびここで、アップリンク制御チャネルリソースは、アップリンクリソースの第１のセットとアップリンクリソースの第２のセットとの各々のために独立して構成される。いくつかの場合には、第１のサブフレーム内のアップリンク共有チャネル送信は、アップリンク制御チャネル送信リソースと、１つまたは複数の他の送信機の１つまたは複数の他のアップリンク制御チャネル送信リソースとの周りでレートマッチングされる。いくつかの場合には、１つまたは複数のアップリンク送信は、無線フレームの１つまたは複数のアップリンクサブフレーム内で送信される１つまたは複数のアップリンク共有チャネル送信と、１つまたは複数のアップリンク制御チャネル送信とを含み、およびここで、第１のサブフレームがアップリンク制御チャネル送信を含むとき、第１のサブフレーム内のアップリンク共有チャネル送信がアップリンク制御チャネル送信リソースの周りでレートマッチングされる。
【０１５０】
[0162]ＵＣＩマネージャ１４４０は、１つまたは複数のダウンリンク送信の受信に肯定応答する肯定応答フィードバック、あるいはチャネルの１つまたは複数の測定パラメータを示すＣＳＩのうちの１つまたは複数を含むＵＣＩを含むアップリンク制御チャネル送信を第１のＵＥから受信し得る。いくつかの場合には、アップリンク共有チャネルリソースがＵＣＩの送信のために十分なリソースを含むとき、ＵＣＩは、アップリンク共有チャネルリソースを介してＵＥから受信され得る。いくつかの場合には、アップリンク共有チャネルリソースがＵＣＩの送信のために不十分なリソースを含むとき、ＵＣＩは、アップリンク制御チャネルリソースを介してＵＥから受信され得る。いくつかの場合には、ＵＣＩは、１つまたは複数のダウンリンク送信の受信に肯定応答する肯定応答フィードバック、肯定応答フィードバックが、１つまたは複数のダウンリンク送信の後に無線フレームの第１の有効なサブフレーム中で送信される、か、チャネルの１つまたは複数の測定パラメータを示すＣＳＩ、ＣＳＩは、ＣＳＩが利用可能であり、ＵＥが、無線フレーム中でＣＳＩを報告するように構成されたとき、無線フレームのいずれかの利用可能なサブフレーム中で送信される、か、あるいはそれらの任意の組合せを含む。
【０１５１】
[0163]マッピング構成要素１４４５は、アップリンク制御チャネルリソースを含む無線フレームの第１の数のサブフレームと、第２の数の構成されたアップリンク共有チャネル繰り返しとの間のマッピングを識別し得、およびここで、アップリンク共有チャネルリソースがＵＣＩの送信のために十分なリソースを含むという決定は、マッピングに基づく。
【０１５２】
[0164]図１５は、本開示の態様による共有無線周波数スペクトル帯域におけるアップリンクチャネルの多重化のための技法をサポートするデバイス１５０５を含むシステム１５００のブロック図を示す。デバイス１５０５は、たとえば、図１を参照しながら上記で説明された基地局１０５の構成要素の一例であるか、またはそれを含み得る。デバイス１５０５は、基地局通信マネージャ１５１５と、プロセッサ１５２０と、メモリ１５２５と、ソフトウェア１５３０と、トランシーバ１５３５と、アンテナ１５４０と、ネットワーク通信マネージャ１５４５と、局間通信マネージャ１５５０とを含む、通信を送信および受信するための構成要素を含む双方向音声およびデータ通信のための構成要素を含み得る。これらの構成要素は、１つまたは複数のバス（たとえば、バス１５１０）を介して電子通信していることがある。デバイス１５０５は、１つまたは複数のＵＥ１１５とワイヤレスに通信し得る。
【０１５３】
[0165]プロセッサ１５２０は、インテリジェントハードウェアデバイス（たとえば、汎用プロセッサ、ＤＳＰ、ＣＰＵ、マイクロコントローラ、ＡＳＩＣ、ＦＰＧＡ、プログラマブル論理デバイス、個別ゲートもしくはトランジスタ論理構成要素、個別ハードウェア構成要素、またはそれらの任意の組合せ）を含み得る。いくつかの場合には、プロセッサ１５２０は、メモリコントローラを使用してメモリアレイを動作させるように構成され得る。他の場合には、メモリコントローラはプロセッサ１５２０内に組み込まれ得る。プロセッサ１５２０は、様々な機能（たとえば、共有無線周波数スペクトル帯域におけるアップリンクチャネルの多重化のための技法をサポートする機能またはタスク）を実施するためにメモリに記憶されたコンピュータ可読命令を実行するように構成され得る。
【０１５４】
[0166]メモリ１５２５は、ＲＡＭとＲＯＭとを含み得る。メモリ１５２５は、実行されたとき、本明細書で説明される様々な機能をプロセッサに実施させる命令を含むコンピュータ可読、コンピュータ実行可能ソフトウェア１５３０を記憶し得る。いくつかの場合には、メモリ１５２５は、特に、周辺構成要素またはデバイスとの対話など、基本ハードウェアまたはソフトウェア動作を制御し得るＢＩＯＳを含んでいることがある。
【０１５５】
[0167]ソフトウェア１５３０は、共有無線周波数スペクトル帯域におけるアップリンクチャネルの多重化のための技法をサポートするためのコードを含む、本開示の態様を実装するためのコードを含み得る。ソフトウェア１５３０は、システムメモリまたは他のメモリなどの非一時的コンピュータ可読媒体内に記憶され得る。いくつかの場合には、ソフトウェア１５３０は、プロセッサによって直接的に実行可能でないことがあるが、（たとえば、コンパイルされ実行されたとき）コンピュータに本明細書で説明される機能を実施させ得る。
【０１５６】
[0168]トランシーバ１５３５は、上記で説明されたように、１つまたは複数のアンテナ、ワイヤードリンク、またはワイヤレスリンクを介して、双方向に通信し得る。たとえば、トランシーバ１５３５は、ワイヤレストランシーバを表し得、別のワイヤレストランシーバと双方向に通信し得る。トランシーバ１５３５はまた、パケットを変調し、変調されたパケットを送信のためにアンテナに提供するための、およびアンテナから受信されたパケットを復調するためのモデムを含み得る。
【０１５７】
[0169]いくつかの場合には、ワイヤレスデバイスは単一のアンテナ１５４０を含み得る。しかしながら、いくつかの場合には、デバイスは、複数のワイヤレス送信を同時に送信または受信することが可能であり得る２つ以上のアンテナ１５４０を有し得る。
【０１５８】
[0170]ネットワーク通信マネージャ１５４５は、（たとえば、１つまたは複数のワイヤードバックホールリンクを介して）コアネットワークとの通信を管理し得る。たとえば、ネットワーク通信マネージャ１５４５は、１つまたは複数のＵＥ１１５など、クライアントデバイスのためのデータ通信の転送を管理し得る。
【０１５９】
[0171]局間通信マネージャ１５５０は、他の基地局１０５との通信を管理し得、他の基地局１０５と協働してＵＥ１１５との通信を制御するためのコントローラまたはスケジューラを含み得る。たとえば、局間通信マネージャ１５５０は、ビームフォーミングまたはジョイント送信などの様々な干渉緩和技法のためにＵＥ１１５への送信のためのスケジューリングを協調させ得る。いくつかの例では、局間通信マネージャ１５５０は、基地局１０５間の通信を行うために、ＬＴＥ／ＬＴＥ−Ａワイヤレス通信ネットワーク技術内のＸ２インターフェースを提供し得る。
【０１６０】
[0172]図１６は、本開示の態様による共有無線周波数スペクトル帯域におけるアップリンクチャネルの多重化のための技法のための方法１６００を示すフローチャートを示す。方法１６００の動作は、本明細書で説明されるＵＥ１１５またはそれの構成要素によって実装され得る。たとえば、方法１６００の動作は、図８〜図１１を参照しながら説明されたＵＥ通信マネージャによって実施され得る。いくつかの例では、ＵＥ１１５は、以下で説明される機能を実施するようにデバイスの機能要素を制御するためのコードのセットを実行し得る。追加または代替として、ＵＥ１１５は、専用ハードウェアを使用して、以下で説明される機能の態様を実施し得る。
【０１６１】
[0173]１６０５において、ＵＥ１１５は、基地局への１つまたは複数のアップリンク送信の送信のために共有無線周波数スペクトル帯域内でアップリンクリソースの第１のセットとアップリンクリソースの第２のセットとを構成する構成情報を基地局から受信し得、アップリンクリソースの第１のセットはアップリンクリソースの第２のセットに時間的に隣接する。１６０５の動作は、本明細書で説明される方法に従って実施され得る。いくつかの例では、１６０５の動作の態様は、図８〜図１１を参照しながら説明された構成マネージャによって実施され得る。
【０１６２】
[0174]１６１０において、ＵＥ１１５は、基地局からの１つまたは複数のダウンリンク送信に基づいて基地局へのアップリンク制御チャネル送信のためにアップリンクリソースの第１のセットまたはアップリンクリソースの第２のセットを選択し得る。１６１０の動作は、本明細書で説明される方法に従って実施され得る。いくつかの例では、１６１０の動作の態様は、図８〜図１１を参照しながら説明されたリソース選択構成要素によって実施され得る。
【０１６３】
[0175]１６１５において、ＵＥ１１５は、アップリンクリソースの選択された第１のセットまたはアップリンクリソースの選択された第２のセットを使用して基地局に１つまたは複数のアップリンク送信を送信し得る。１６１５の動作は、本明細書で説明される方法に従って実施され得る。いくつかの例では、１６１５の動作の態様は、図８〜図１１を参照しながら説明されたアップリンク送信マネージャによって実施され得る。
【０１６４】
[0176]図１７は、本開示の態様による共有無線周波数スペクトル帯域におけるアップリンクチャネルの多重化のための技法のための方法１７００を示すフローチャートを示す。方法１７００の動作は、本明細書で説明されるＵＥ１１５またはそれの構成要素によって実装され得る。たとえば、方法１７００の動作は、図８〜図１１を参照しながら説明されたＵＥ通信マネージャによって実施され得る。いくつかの例では、ＵＥ１１５は、以下で説明される機能を実施するようにデバイスの機能要素を制御するためのコードのセットを実行し得る。追加または代替として、ＵＥ１１５は、専用ハードウェアを使用して、以下で説明される機能の態様を実施し得る。
【０１６５】
[0177]１７０５において、ＵＥ１１５は、基地局への１つまたは複数のアップリンク送信の送信のために共有無線周波数スペクトル帯域内でアップリンクリソースの第１のセットとアップリンクリソースの第２のセットとを構成する構成情報を基地局から受信し得、アップリンクリソースの第１のセットはアップリンクリソースの第２のセットに時間的に隣接する。１７０５の動作は、本明細書で説明される方法に従って実施され得る。いくつかの例では、１７０５の動作の態様は、図８〜図１１を参照しながら説明された構成マネージャによって実施され得る。
【０１６６】
[0178]１７１０において、ＵＥ１１５は、基地局からの１つまたは複数のダウンリンク送信が、アップリンクリソースの第１のセットに関連するダウンリンクリソースを使用して送信されることを識別し得る。１７１０の動作は、本明細書で説明される方法に従って実施され得る。いくつかの例では、１７１０の動作の態様は、図８〜図１１を参照しながら説明されたリソース選択構成要素によって実施され得る。
【０１６７】
[0179]１７１５において、ＵＥ１１５は、識別することに基づいて１つまたは複数のアップリンク送信のためにアップリンクリソースの第１のセットを選択し得る。１７１５の動作は、本明細書で説明される方法に従って実施され得る。いくつかの例では、１７１５の動作の態様は、図８〜図１１を参照しながら説明されたリソース選択構成要素によって実施され得る。
【０１６８】
[0180]１７２０において、ＵＥ１１５は、アップリンクリソースの選択された第１のセットまたはアップリンクリソースの選択された第２のセットを使用して基地局に１つまたは複数のアップリンク送信を送信し得る。１７２０の動作は、本明細書で説明される方法に従って実施され得る。いくつかの例では、１７２０の動作の態様は、図８〜図１１を参照しながら説明されたアップリンク送信マネージャによって実施され得る。
【０１６９】
[0181]図１８は、本開示の態様による共有無線周波数スペクトル帯域におけるアップリンクチャネルの多重化のための技法のための方法１８００を示すフローチャートを示す。方法１８００の動作は、本明細書で説明される基地局１０５またはそれの構成要素によって実装され得る。たとえば、方法１８００の動作は、図１２〜図１５を参照しながら説明された基地局通信マネージャによって実施され得る。いくつかの例では、基地局１０５は、以下で説明される機能を実施するようにデバイスの機能要素を制御するためのコードのセットを実行し得る。追加または代替として、基地局１０５は、専用ハードウェアを使用して、以下で説明される機能の態様を実施し得る。
【０１７０】
[0182]１８０５において、基地局１０５は、少なくとも１つのＵＥのアップリンク送信のために共有無線周波数スペクトル帯域内でアップリンクリソースの第１のセットとアップリンクリソースの第２のセットとを構成し得、アップリンクリソースの第１のセットはアップリンクリソースの第２のセットに時間的に隣接し、アップリンクリソースの第１のセットとアップリンクリソースの第２のセットとの各々は、関連するアップリンク制御チャネルリソースを有する。１８０５の動作は、本明細書で説明される方法に従って実施され得る。いくつかの例では、１８０５の動作の態様は、図１２〜図１５を参照しながら説明された構成マネージャによって実施され得る。
【０１７１】
[0183]１８１０において、基地局１０５は、第１のＵＥのアップリンク送信持続時間の時間境界に対する、アップリンクリソースの第１のセットに関連する制御チャネルリソースの時間的ロケーションと、アップリンクリソースの第２のセットに関連する制御チャネルリソースの時間的ロケーションとに基づいて、第１のＵＥの１つまたは複数のアップリンク送信のためにアップリンクリソースの第１のセットまたはアップリンクリソースの第２のセットを選択し得る。１８１０の動作は、本明細書で説明される方法に従って実施され得る。いくつかの例では、１８１０の動作の態様は、図１２〜図１５を参照しながら説明されたリソース選択構成要素によって実施され得る。
【０１７２】
[0184]１８１５において、基地局１０５は、アップリンクリソースの第１のセットまたはアップリンクリソースの第２のセットのうちのどちらが１つまたは複数のアップリンク送信のために使用されるべきかを示すインジケーションを第１のＵＥに送信し得る。１８１５の動作は、本明細書で説明される方法に従って実施され得る。いくつかの例では、１８１５の動作の態様は、図１２〜図１５を参照しながら説明されたＤＣＩマネージャによって実施され得る。
【０１７３】
[0185]図１９は、本開示の態様による共有無線周波数スペクトル帯域におけるアップリンクチャネルの多重化のための技法のための方法１９００を示すフローチャートを示す。方法１９００の動作は、本明細書で説明される基地局１０５またはそれの構成要素によって実装され得る。たとえば、方法１９００の動作は、図１２〜図１５を参照しながら説明された基地局通信マネージャによって実施され得る。いくつかの例では、基地局１０５は、以下で説明される機能を実施するようにデバイスの機能要素を制御するためのコードのセットを実行し得る。追加または代替として、基地局１０５は、専用ハードウェアを使用して、以下で説明される機能の態様を実施し得る。
【０１７４】
[0186]１９０５において、基地局１０５は、基地局において、少なくとも１つのＵＥのアップリンク送信のために共有無線周波数スペクトル帯域内でアップリンクリソースの第１のセットとアップリンクリソースの第２のセットとを構成し得、アップリンクリソースの第１のセットはアップリンクリソースの第２のセットに時間的に隣接し、アップリンクリソースの第１のセットとアップリンクリソースの第２のセットとの各々は、関連するアップリンク制御チャネルリソースを有する。１９０５の動作は、本明細書で説明される方法に従って実施され得る。いくつかの例では、１９０５の動作の態様は、図１２〜図１５を参照しながら説明された構成マネージャによって実施され得る。
【０１７５】
[0187]１９１０において、基地局１０５は、第１のＵＥのアップリンク送信持続時間の時間境界に対する、アップリンクリソースの第１のセットに関連する制御チャネルリソースの時間的ロケーションと、アップリンクリソースの第２のセットに関連する制御チャネルリソースの時間的ロケーションとに基づいて、第１のＵＥの１つまたは複数のアップリンク送信のためにアップリンクリソースの第１のセットまたはアップリンクリソースの第２のセットを選択し得る。１９１０の動作は、本明細書で説明される方法に従って実施され得る。いくつかの例では、１９１０の動作の態様は、図１２〜図１５を参照しながら説明されたリソース選択構成要素によって実施され得る。
【０１７６】
[0188]１９１５において、基地局１０５は、ダウンリンクリソースの第１のセットを使用して第１のＵＥに１つまたは複数のダウンリンク送信を送信し得、およびここで、１つまたは複数のダウンリンク送信のために使用されるダウンリンクリソースの第１のセットは、アップリンクリソースの第１のセットが１つまたは複数のアップリンク送信のために使用されるべきことをＵＥに示す。１９１５の動作は、本明細書で説明される方法に従って実施され得る。いくつかの例では、１９１５の動作の態様は、図１２〜図１５を参照しながら説明されたリソース選択構成要素によって実施され得る。
【０１７７】
[0189]１９２０において、基地局１０５は、１つまたは複数のダウンリンク送信の受信に肯定応答する肯定応答フィードバック、あるいはチャネルの１つまたは複数の測定パラメータを示すＣＳＩのうちの１つまたは複数を含むＵＣＩを含むアップリンク制御チャネル送信を第１のＵＥから受信し得る。１９２０の動作は、本明細書で説明される方法に従って実施され得る。いくつかの例では、１９２０の動作の態様は、図１２〜図１５を参照しながら説明されたＵＣＩマネージャによって実施され得る。
【０１７８】
[0190]図２０は、本開示の態様による共有無線周波数スペクトル帯域におけるアップリンクチャネルの多重化のための技法のための方法２０００を示すフローチャートを示す。方法２０００の動作は、本明細書で説明される基地局１０５またはそれの構成要素によって実装され得る。たとえば、方法２０００の動作は、図１２〜図１５を参照しながら説明された基地局通信マネージャによって実施され得る。いくつかの例では、基地局１０５は、以下で説明される機能を実施するようにデバイスの機能要素を制御するためのコードのセットを実行し得る。追加または代替として、基地局１０５は、専用ハードウェアを使用して、以下で説明される機能の態様を実施し得る。
【０１７９】
[0191]２００５において、基地局１０５は、無線フレームの１つまたは複数のダウンリンクアップリンクパートの各々のためにアップリンクリソースの第１のセットとアップリンクリソースの第２のセットとを構成し得る。２００５の動作は、本明細書で説明される方法に従って実施され得る。いくつかの例では、２００５の動作の態様は、図１２〜図１５を参照しながら説明されたアップリンクリソースマネージャによって実施され得る。
【０１８０】
[0192]２０１０において、基地局１０５は、第１のＵＥのアップリンク送信持続時間の時間境界に対する、アップリンクリソースの第１のセットに関連する制御チャネルリソースの時間的ロケーションと、アップリンクリソースの第２のセットに関連する制御チャネルリソースの時間的ロケーションとに基づいて、第１のＵＥの１つまたは複数のアップリンク送信のためにアップリンクリソースの第１のセットまたはアップリンクリソースの第２のセットを選択し得る。２０１０の動作は、本明細書で説明される方法に従って実施され得る。いくつかの例では、２０１０の動作の態様は、図１２〜図１５を参照しながら説明されたリソース選択構成要素によって実施され得る。
【０１８１】
[0193]２０１５において、基地局１０５は、アップリンクリソースの第１のセットまたはアップリンクリソースの第２のセットのうちのどちらが無線フレームの各ダウンリンクアップリンクパートのために使用されるべきかを動的に示す１つまたは複数のアップリンク許可を第１のＵＥに送信し得る。２０１５の動作は、本明細書で説明される方法に従って実施され得る。いくつかの例では、２０１５の動作の態様は、図１２〜図１５を参照しながら説明されたアップリンクリソースマネージャによって実施され得る。
【０１８２】
[0194]図２１は、本開示の態様による共有無線周波数スペクトル帯域におけるアップリンクチャネルの多重化のための技法のための方法２１００を示すフローチャートを示す。方法２１００の動作は、本明細書で説明されるＵＥ１１５またはそれの構成要素によって実装され得る。たとえば、方法２１００の動作は、図８〜図１１を参照しながら説明されたＵＥ通信マネージャによって実施され得る。いくつかの例では、ＵＥ１１５は、以下で説明される機能を実施するようにデバイスの機能要素を制御するためのコードのセットを実行し得る。追加または代替として、ＵＥ１１５は、専用ハードウェアを使用して、以下で説明される機能の態様を実施し得る。
【０１８３】
[0195]２１０５において、ＵＥ１１５は、ＵＥから基地局への１つまたは複数のアップリンク送信のためにアップリンク共有チャネルリソースとアップリンク制御チャネルリソースとを構成する構成情報を基地局から受信し得る。２１０５の動作は、本明細書で説明される方法に従って実施され得る。いくつかの例では、２１０５の動作の態様は、図８〜図１１を参照しながら説明された構成マネージャによって実施され得る。
【０１８４】
[0196]２１１０において、ＵＥ１１５は、基地局に送信されるべきＵＣＩを識別し得る。２１１０の動作は、本明細書で説明される方法に従って実施され得る。いくつかの例では、２１１０の動作の態様は、図８〜図１１を参照しながら説明されたＵＣＩマネージャによって実施され得る。
【０１８５】
[0197]２１１５において、ＵＥ１１５は、アップリンク共有チャネルリソースが基地局へのＵＣＩの送信のために十分なリソースを含むと決定し得る。２１１５の動作は、本明細書で説明される方法に従って実施され得る。いくつかの例では、２１１５の動作の態様は、図８〜図１１を参照しながら説明されたアップリンクリソースマネージャによって実施され得る。
【０１８６】
[0198]２１２０において、ＵＥ１１５は、決定することに応答して、アップリンク共有チャネルリソースを使用して基地局にＵＣＩを送信し得る。２１２０の動作は、本明細書で説明される方法に従って実施され得る。いくつかの例では、２１２０の動作の態様は、図８〜図１１を参照しながら説明されたアップリンク送信マネージャによって実施され得る。
【０１８７】
[0199]図２２は、本開示の態様による共有無線周波数スペクトル帯域におけるアップリンクチャネルの多重化のための技法のための方法２２００を示すフローチャートを示す。方法２２００の動作は、本明細書で説明されるＵＥ１１５またはそれの構成要素によって実装され得る。たとえば、方法２２００の動作は、図８〜図１１を参照しながら説明されたＵＥ通信マネージャによって実施され得る。いくつかの例では、ＵＥ１１５は、以下で説明される機能を実施するようにデバイスの機能要素を制御するためのコードのセットを実行し得る。追加または代替として、ＵＥ１１５は、専用ハードウェアを使用して、以下で説明される機能の態様を実施し得る。
【０１８８】
[0200]２２０５において、ＵＥ１１５は、基地局からＤＣＩ送信を受信し得、ＤＣＩ送信は、アップリンク共有チャネルリソースがＵＣＩを送信するために使用されることが可能かどうかのインジケーションを含む。２２０５の動作は、本明細書で説明される方法に従って実施され得る。いくつかの例では、２２０５の動作の態様は、図８〜図１１を参照しながら説明されたＤＣＩマネージャによって実施され得る。
【０１８９】
[0201]２２１０において、ＵＥ１１５は、基地局に送信されるべきＵＣＩを識別し得る。２２１０の動作は、本明細書で説明される方法に従って実施され得る。いくつかの例では、２２１０の動作の態様は、図８〜図１１を参照しながら説明されたＵＣＩマネージャによって実施され得る。
【０１９０】
[0202]２２１５において、ＵＥ１１５は、アップリンク共有チャネルリソースがＵＣＩを送信するために使用されることが可能であるというＤＣＩインジケーションに基づいて、アップリンク共有チャネルリソースが基地局へのＵＣＩの送信のために十分なリソースを含むと決定し得る。２２２０の動作は、本明細書で説明される方法に従って実施され得る。いくつかの例では、２２２０の動作の態様は、図８〜図１１を参照しながら説明されたアップリンクリソースマネージャによって実施され得る。
【０１９１】
[0203]２２２０において、ＵＥ１１５は、アップリンク共有チャネルリソースが基地局へのＵＣＩの送信のために十分なリソースを含むと決定することに応答して、アップリンク共有チャネルリソースを使用して基地局にＵＣＩを送信し得る。２２２０の動作は、本明細書で説明される方法に従って実施され得る。いくつかの例では、２２２０の動作の態様は、図８〜図１１を参照しながら説明されたアップリンク送信マネージャによって実施され得る。
【０１９２】
[0204]２２２５において、ＵＥ１１５は、アップリンク共有チャネルリソースが基地局へのＵＣＩの送信のために不十分なリソースを含むと決定することに応答して、アップリンク制御チャネルリソースを使用して基地局にＵＣＩを送信し得る。２２２５の動作は、本明細書で説明される方法に従って実施され得る。いくつかの例では、２２２５の動作の態様は、図８〜図１１を参照しながら説明されたアップリンク送信マネージャによって実施され得る。
【０１９３】
[0205]図２３は、本開示の態様による共有無線周波数スペクトル帯域におけるアップリンクチャネルの多重化のための技法のための方法２３００を示すフローチャートを示す。方法２３００の動作は、本明細書で説明されるＵＥ１１５またはそれの構成要素によって実装され得る。たとえば、方法２３００の動作は、図８〜図１１を参照しながら説明されたＵＥ通信マネージャによって実施され得る。いくつかの例では、ＵＥ１１５は、以下で説明される機能を実施するようにデバイスの機能要素を制御するためのコードのセットを実行し得る。追加または代替として、ＵＥ１１５は、専用ハードウェアを使用して、以下で説明される機能の態様を実施し得る。
【０１９４】
[0206]２３０５において、ＵＥ１１５は、ＵＥから基地局への１つまたは複数のアップリンク送信のためにアップリンク共有チャネルリソースとアップリンク制御チャネルリソースとを構成する構成情報を基地局から受信し得る。２３０５の動作は、本明細書で説明される方法に従って実施され得る。いくつかの例では、２３０５の動作の態様は、図８〜図１１を参照しながら説明された構成マネージャによって実施され得る。
【０１９５】
[0207]２３１０において、ＵＥ１１５は、基地局に送信されるべきＵＣＩを識別し得る。２３１０の動作は、本明細書で説明される方法に従って実施され得る。いくつかの例では、２３１０の動作の態様は、図８〜図１１を参照しながら説明されたＵＣＩマネージャによって実施され得る。
【０１９６】
[0208]２３１５において、ＵＥ１１５は、アップリンク制御チャネルリソースを含む無線フレームの第１の数のサブフレームと、第２の数の構成されたアップリンク共有チャネル繰り返しとの間のマッピングを識別し得、およびここで、決定することは、マッピングに基づく。２３１５の動作は、本明細書で説明される方法に従って実施され得る。いくつかの例では、２３１５の動作の態様は、図８〜図１１を参照しながら説明されたマッピング構成要素によって実施され得る。
【０１９７】
[0209]２３２０において、ＵＥ１１５は、第２の数の構成されたアップリンク共有チャネル繰り返しが第１の数のサブフレーム以上であるとき、ＵＣＩの送信のためにアップリンク共有チャネルリソースを使用することを決定し得る。２３２０の動作は、本明細書で説明される方法に従って実施され得る。いくつかの例では、２３２０の動作の態様は、図８〜図１１を参照しながら説明されたアップリンクリソースマネージャによって実施され得る。
【０１９８】
[0210]２３２５において、ＵＥ１１５は、第２の数の構成されたアップリンク共有チャネル繰り返しが第１の数のサブフレーム未満であるとき、ＵＣＩの送信のためにアップリンク制御チャネルリソースを使用することを決定し得る。２３２５の動作は、本明細書で説明される方法に従って実施され得る。いくつかの例では、２３２５の動作の態様は、図８〜図１１を参照しながら説明されたアップリンクリソースマネージャによって実施され得る。
【０１９９】
[0211]図２４は、本開示の態様による共有無線周波数スペクトル帯域におけるアップリンクチャネルの多重化のための技法のための方法２４００を示すフローチャートを示す。方法２４００の動作は、本明細書で説明される基地局１０５またはそれの構成要素によって実装され得る。たとえば、方法２４００の動作は、図１２〜図１５を参照しながら説明された基地局通信マネージャによって実施され得る。いくつかの例では、基地局１０５は、以下で説明される機能を実施するようにデバイスの機能要素を制御するためのコードのセットを実行し得る。追加または代替として、基地局１０５は、専用ハードウェアを使用して、以下で説明される機能の態様を実施し得る。
【０２００】
[0212]２４０５において、基地局１０５は、ＵＥから基地局への１つまたは複数のアップリンク送信のためにアップリンク共有チャネルリソースとアップリンク制御チャネルリソースとを用いてＵＥを構成し得る。２４０５の動作は、本明細書で説明される方法に従って実施され得る。いくつかの例では、２４０５の動作の態様は、図１２〜図１５を参照しながら説明された構成マネージャによって実施され得る。
【０２０１】
[0213]２４１０において、基地局１０５は、アップリンク共有チャネルリソースが、基地局に送信されるべきＵＣＩの送信のために十分なリソースを含むかどうかを決定するようにＵＥを構成し得る。２４１０の動作は、本明細書で説明される方法に従って実施され得る。いくつかの例では、２４１０の動作の態様は、図１２〜図１５を参照しながら説明されたアップリンクリソースマネージャによって実施され得る。
【０２０２】
[0214]２４１５において、基地局１０５は、アップリンク共有チャネルリソースがＵＣＩの送信のために十分なリソースを含むとき、アップリンク共有チャネルリソースを介してＵＥからＵＣＩを受信し得る。２４１５の動作は、本明細書で説明される方法に従って実施され得る。いくつかの例では、２４１５の動作の態様は、図１２〜図１５を参照しながら説明されたＵＣＩマネージャによって実施され得る。
【０２０３】
[0215]図２５は、本開示の態様による共有無線周波数スペクトル帯域におけるアップリンクチャネルの多重化のための技法のための方法２５００を示すフローチャートを示す。方法２５００の動作は、本明細書で説明される基地局１０５またはそれの構成要素によって実装され得る。たとえば、方法２５００の動作は、図１２〜図１５を参照しながら説明された基地局通信マネージャによって実施され得る。いくつかの例では、基地局１０５は、以下で説明される機能を実施するようにデバイスの機能要素を制御するためのコードのセットを実行し得る。追加または代替として、基地局１０５は、専用ハードウェアを使用して、以下で説明される機能の態様を実施し得る。
【０２０４】
[0216]２５０５において、基地局１０５は、ＵＥから基地局への１つまたは複数のアップリンク送信のためにアップリンク共有チャネルリソースとアップリンク制御チャネルリソースとを用いてＵＥを構成し得る。２５０５の動作は、本明細書で説明される方法に従って実施され得る。いくつかの例では、２５０５の動作の態様は、図１２〜図１５を参照しながら説明された構成マネージャによって実施され得る。
【０２０５】
[0217]２５１０において、基地局１０５は、アップリンク共有チャネルリソースが、基地局に送信されるべきＵＣＩの送信のために十分なリソースを含むかどうかを決定するようにＵＥを構成し得る。２５１０の動作は、本明細書で説明される方法に従って実施され得る。いくつかの例では、２５１０の動作の態様は、図１２〜図１５を参照しながら説明されたアップリンクリソースマネージャによって実施され得る。
【０２０６】
[0218]２５１５において、基地局１０５は、ＵＥにＤＣＩ送信を送信し得、ＤＣＩ送信は、アップリンク共有チャネルリソースがＵＣＩを送信するために使用されることが可能かどうかのインジケーションを含む。２５１５の動作は、本明細書で説明される方法に従って実施され得る。いくつかの例では、２５１５の動作の態様は、図１２〜図１５を参照しながら説明されたＤＣＩマネージャによって実施され得る。
【０２０７】
[0219]２５２０において、基地局１０５は、アップリンク共有チャネルリソースがＵＣＩの送信のために十分なリソースを含むとき、アップリンク共有チャネルリソースを介してＵＥからＵＣＩを受信し得る。２５２０の動作は、本明細書で説明される方法に従って実施され得る。いくつかの例では、２５２０の動作の態様は、図１２〜図１５を参照しながら説明されたＵＣＩマネージャによって実施され得る。
【０２０８】
[0220]２５２５において、基地局１０５は、アップリンク共有チャネルリソースがＵＣＩの送信のために不十分なリソースを含むとき、アップリンク制御チャネルリソースを介してＵＥからＵＣＩを受信し得る。２５２５の動作は、本明細書で説明される方法に従って実施され得る。いくつかの例では、２５２５の動作の態様は、図１２〜図１５を参照しながら説明されたＵＣＩマネージャによって実施され得る。
【０２０９】
[0221]図２６は、本開示の態様による共有無線周波数スペクトル帯域におけるアップリンクチャネルの多重化のための技法のための方法２６００を示すフローチャートを示す。方法２６００の動作は、本明細書で説明される基地局１０５またはそれの構成要素によって実装され得る。たとえば、方法２６００の動作は、図１２〜図１５を参照しながら説明された基地局通信マネージャによって実施され得る。いくつかの例では、基地局１０５は、以下で説明される機能を実施するようにデバイスの機能要素を制御するためのコードのセットを実行し得る。追加または代替として、基地局１０５は、専用ハードウェアを使用して、以下で説明される機能の態様を実施し得る。
【０２１０】
[0222]２６０５において、基地局１０５は、ＵＥから基地局への１つまたは複数のアップリンク送信のためにアップリンク共有チャネルリソースとアップリンク制御チャネルリソースとを用いてＵＥを構成し得る。２６０５の動作は、本明細書で説明される方法に従って実施され得る。いくつかの例では、２６０５の動作の態様は、図１２〜図１５を参照しながら説明された構成マネージャによって実施され得る。
【０２１１】
[0223]２６１０において、基地局１０５は、アップリンク共有チャネルリソースが、基地局に送信されるべきＵＣＩの送信のために十分なリソースを含むかどうかを決定するようにＵＥを構成し得る。２６１０の動作は、本明細書で説明される方法に従って実施され得る。いくつかの例では、２６１０の動作の態様は、図１２〜図１５を参照しながら説明されたアップリンクリソースマネージャによって実施され得る。
【０２１２】
[0224]２６１５において、基地局１０５は、アップリンク制御チャネルリソースを含む無線フレームの第１の数のサブフレームと、第２の数の構成されたアップリンク共有チャネル繰り返しとの間のマッピングを識別し得、およびここで、アップリンク共有チャネルリソースがＵＣＩの送信のために十分なリソースを含むという決定は、マッピングに基づく。２６１５の動作は、本明細書で説明される方法に従って実施され得る。いくつかの例では、２６１５の動作の態様は、図１２〜図１５を参照しながら説明されたマッピング構成要素によって実施され得る。
【０２１３】
[0225]２６２０において、基地局１０５は、第２の数の構成されたアップリンク共有チャネル繰り返しが第１の数のサブフレーム以上であるとき、アップリンク共有チャネルリソースがＵＣＩの送信のために使用されると決定し得る。２６２０の動作は、本明細書で説明される方法に従って実施され得る。いくつかの例では、２６２０の動作の態様は、図１２〜図１５を参照しながら説明されたアップリンクリソースマネージャによって実施され得る。
【０２１４】
[0226]２６２５において、基地局１０５は、第２の数の構成されたアップリンク共有チャネル繰り返しが第１の数のサブフレーム未満であるとき、アップリンク制御チャネルリソースがＵＣＩの送信のために使用されると決定し得る。２６２５の動作は、本明細書で説明される方法に従って実施され得る。いくつかの例では、２６２５の動作の態様は、図１２〜図１５を参照しながら説明されたアップリンクリソースマネージャによって実施され得る。
【０２１５】
[0227]上記で説明された方法は、可能な実装形態について説明していること、ならびに動作およびステップが並べ替えられるかあるいは変更され得ること、ならびに他の実装形態が可能であることに留意されたい。さらに、方法のうちの２つ以上からの態様が組み合わされてよい。
【０２１６】
[0228]本明細書で説明される技法は、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、シングルキャリア周波数分割多元接続（ＳＣ−ＦＤＭＡ）、および他のシステムなど、様々なワイヤレス通信システムのために使用され得る。ＣＤＭＡシステムは、ＣＤＭＡ２０００、ユニバーサル地上波無線アクセス（ＵＴＲＡ）などの無線技術を実装し得る。ＣＤＭＡ２０００は、ＩＳ−２０００、ＩＳ−９５、およびＩＳ−８５６規格をカバーする。ＩＳ−２０００リリースは、一般に、ＣＤＭＡ２０００  １Ｘ、１Ｘなどと呼ばれることがある。ＩＳ−８５６（ＴＩＡ−８５６）は、一般に、ＣＤＭＡ２０００  １ｘＥＶ−ＤＯ、高速パケットデータ（ＨＲＰＤ）などと呼ばれる。ＵＴＲＡは、広帯域ＣＤＭＡ（ＷＣＤＭＡ（登録商標））と、ＣＤＭＡの他の変形態とを含む。ＴＤＭＡシステムは、モバイル通信用グローバルシステム（ＧＳＭ（登録商標））などの無線技術を実装し得る。
【０２１７】
[0229]ＯＦＤＭＡシステムは、ウルトラモバイルブロードバンド（ＵＭＢ）、発展型ＵＴＲＡ（Ｅ−ＵＴＲＡ）、米国電気電子技術者協会（ＩＥＥＥ）８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭなどの無線技術を実装し得る。ＵＴＲＡおよびＥ−ＵＴＲＡは、ユニバーサルモバイルテレコミュニケーションズシステム（ＵＭＴＳ）の一部である。ＬＴＥ、ＬＴＥ−Ａ、ＬＴＥ−Ａプロは、Ｅ−ＵＴＲＡを使用するＵＭＴＳのリリースである。ＵＴＲＡ、Ｅ−ＵＴＲＡ、ＵＭＴＳ、ＬＴＥ、ＬＴＥ−Ａ、ＬＴＥ−Ａプロ、ＮＲ、およびＧＳＭは、「第３世代パートナーシッププロジェクト」（３ＧＰＰ（登録商標））という名称の組織からの文書に記載されている。ＣＤＭＡ２０００およびＵＭＢは、「第３世代パートナーシッププロジェクト２」（３ＧＰＰ２）という名称の組織からの文書に記載されている。本明細書で説明される技法は、上記のシステムおよび無線技術、ならびに他のシステムおよび無線技術のために使用され得る。ＬＴＥ、ＬＴＥ−Ａ、ＬＴＥ−Ａプロ、またはＮＲシステムの態様について例として説明され得、ＬＴＥ、ＬＴＥ−Ａ、ＬＴＥ−Ａプロ、またはＮＲの用語が説明の大部分において使用され得るが、本明細書で説明される技法は、ＬＴＥ、ＬＴＥ−Ａ、ＬＴＥ−Ａプロ、またはＮＲの適用例以外に適用可能である。
【０２１８】
[0230]マクロセルは、概して、比較的大きい地理的エリア（たとえば、半径数キロメートル）をカバーし、ネットワークプロバイダのサービスに加入しているＵＥ１１５による無制限アクセスを可能にし得る。スモールセルは、マクロセルと比較して、低電力基地局１０５に関連付けられ得、スモールセルは、マクロセルと同じかまたは異なる（たとえば、認可、無認可などの）周波数帯域内で動作し得る。スモールセルは、様々な例によれば、ピコセル、フェムトセル、およびマイクロセルを含み得る。ピコセルは、たとえば、小さい地理的エリアをカバーし得、ネットワークプロバイダのサービスに加入しているＵＥ１１５による無制限アクセスを可能にし得る。フェムトセルは、小さい地理的エリア（たとえば、自宅）を同じくカバーし得、フェムトセルとの関連付けを有するＵＥ１１５（たとえば、限定加入者グループ（ＣＳＧ）中のＵＥ１１５、自宅内のユーザのためのＵＥ１１５など）による制限付きアクセスを提供し得る。マクロセルのためのｅＮＢはマクロｅＮＢと呼ばれることがある。スモールセルのためのｅＮＢは、スモールセルｅＮＢ、ピコｅＮＢ、フェムトｅＮＢ、またはホームｅＮＢと呼ばれることがある。ｅＮＢは、１つまたは複数（たとえば、２つ、３つ、４つなど）のセルをサポートし得、１つまたは複数のコンポーネントキャリアを使用する通信をやはりサポートし得る。
【０２１９】
[0231]ワイヤレス通信システム１００または本明細書で説明されるシステムは、同期動作または非同期動作をサポートし得る。同期動作の場合、基地局１０５は同様のフレームタイミングを有し得、異なる基地局１０５からの送信は時間的にほぼ整合され得る。非同期動作の場合、基地局１０５は異なるフレームタイミングを有し得、異なる基地局１０５からの送信は時間的に整合されないことがある。本明細書で説明される技法は、同期動作または非同期動作のいずれにも使用され得る。
【０２２０】
[0232]本明細書で説明される情報および信号は、様々な異なる技術および技法のいずれかを使用して表され得る。たとえば、上記の説明全体にわたって言及され得るデータ、命令、コマンド、情報、信号、ビット、シンボル、およびチップは、電圧、電流、電磁波、磁場もしくは磁気粒子、光場もしくは光粒子、またはそれらの任意の組合せによって表され得る。
【０２２１】
[0233]本明細書の開示に関して説明される様々な例示的なブロックおよびモジュールは、汎用プロセッサ、ＤＳＰ、ＡＳＩＣ、ＦＰＧＡもしくは他のプログラマブル論理デバイス（ＰＬＤ）、個別ゲートもしくはトランジスタ論理、個別ハードウェア構成要素、または本明細書で説明される機能を実施するように設計されたそれらの任意の組合せを用いて実装または実施され得る。汎用プロセッサは、マイクロプロセッサであり得るが、代替として、プロセッサは、任意の従来のプロセッサ、コントローラ、マイクロコントローラ、または状態機械であり得る。プロセッサはまた、コンピューティングデバイスの組合せ（たとえば、ＤＳＰとマイクロプロセッサの組合せ、複数のマイクロプロセッサ、ＤＳＰコアと連携する１つまたは複数のマイクロプロセッサ、あるいは任意の他のそのような構成）として実装され得る。
【０２２２】
[0234]本明細書で説明される機能は、ハードウェア、プロセッサによって実行されるソフトウェア、ファームウェア、またはそれらの任意の組合せで実装され得る。プロセッサによって実行されるソフトウェアに実装される場合、機能は、１つまたは複数の命令またはコードとして、コンピュータ可読媒体上に記憶されるか、またはコンピュータ可読媒体を介して送信され得る。他の例および実装形態は、本開示の範囲および添付の特許請求の範囲内にある。たとえば、ソフトウェアの性質により、上記で説明された機能は、プロセッサによって実行されるソフトウェア、ハードウェア、ファームウェア、ハードワイヤリング、またはこれらのうちのいずれかの組合せを使用して実装されることが可能である。機能を実装する特徴はまた、機能の部分が、異なる物理的位置に実装されるように分散されることを含めて、様々な位置に物理的に配置されてよい。
【０２２３】
[0235]コンピュータ可読媒体は、ある場所から別の場所へのコンピュータプログラムの転送を容易にする任意の媒体を含む、非一時的コンピュータ記憶媒体と通信媒体の両方を含む。非一時的記憶媒体は、汎用コンピュータまたは専用コンピュータによってアクセスされることが可能な任意の利用可能な媒体であり得る。限定ではなく例として、非一時的コンピュータ可読媒体は、ＲＡＭ、ＲＯＭ、電気的消去可能プログラマブル読取り専用メモリ（ＥＥＰＲＯＭ（登録商標））、コンパクトディスク（ＣＤ）ＲＯＭまたは他の光ディスクストレージ、磁気ディスクストレージまたは他の磁気ストレージデバイス、あるいは命令またはデータ構造の形態の所望のプログラムコード手段を搬送または記憶するために使用されることが可能であり、汎用もしくは専用コンピュータまたは汎用もしくは専用プロセッサによってアクセスされることが可能な任意の他の非一時的媒体を備えることができる。さらに、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用してウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用されるディスク（disk）およびディスク（disc）は、ＣＤ、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ディスク（disk）は、通常、データを磁気的に再生し、ディスク（disc）は、データをレーザーで光学的に再生する。上記の組合せもコンピュータ可読媒体の範囲内に含まれる。
【０２２４】
[0236]特許請求の範囲内を含めて本明細書で使用される、項目のリスト（たとえば、「のうちの少なくとも１つ」または「のうちの１つまたは複数」などの句で終わる項目のリスト）中で使用される「または」は、たとえば、Ａ、Ｂ、またはＣのうちの少なくとも１つのリストが、ＡまたはＢまたはＣまたはＡＢまたはＡＣまたはＢＣまたはＡＢＣ（すなわち、ＡおよびＢおよびＣ）を意味するような包括的なリストを示す。また、本明細書で使用される「に基づいて」という句は、条件の閉集合への参照と解釈されないものとする。たとえば、「条件Ａに基づいて」と記述された例示的なステップは、本開示の範囲から逸脱することなく、条件Ａと条件Ｂの両方に基づき得る。言い換えれば、本明細書で使用される「に基づいて」という句は、「に少なくとも部分的に基づいて」という句と同様に解釈されるものとする。
【０２２５】
[0237]添付の図では、同様の構成要素または特徴は同じ参照ラベルを有し得る。さらに、同じタイプの様々な構成要素は、参照ラベルの後に、ダッシュと、同様の構成要素を区別する第２のラベルとを続けることによって区別され得る。第１の参照ラベルのみが本明細書において使用される場合、その説明は、第２の参照ラベルまたは他の次の参照ラベルにかかわらず、同じ第１の参照ラベルを有する同様の構成要素のうちのどの１つにも適用可能である。
【０２２６】
[0238]添付の図面に関して本明細書に記載された説明は、例示的な構成を記載しており、実装され得るか、または特許請求の範囲内にあるすべての例を表すとは限らない。本明細書で使用される「例示的」という用語は、「例、事例、または例示として働くこと」を意味し、「好ましい」または「他の例よりも有利な」を意味しない。発明を実施するための形態は、説明される技法の理解を提供するための具体的な詳細を含む。しかしながら、これらの技法は、これらの具体的な詳細なしに実践され得る。いくつかの事例では、説明される例の概念を不明瞭にするのを回避するために、よく知られている構造およびデバイスはブロック図の形態で示される。
【０２２７】
[0239]本明細書の説明は、当業者が本開示を作成または使用することを可能にするように提供される。本開示に対する様々な修正は当業者には容易に明らかとなり、本明細書で定義された一般原理は、本開示の範囲から逸脱することなく他の変形形態に適用され得る。したがって、本開示は、本明細書に記載された例および設計に限定されず、本明細書で開示される原理および新規の特徴に合致する最も広い範囲を与えられるべきである。
【図１】
2021506170.tif 000003
【図２】
2021506170.tif 000004
【図３】
2021506170.tif 000005
【図４】
2021506170.tif 000006
【図５】
2021506170.tif 000007
【図６】
2021506170.tif 000008
【図７】
2021506170.tif 000009
【図８】
2021506170.tif 000010
【図９】
2021506170.tif 000011
【図１０】
2021506170.tif 000012
【図１１】
2021506170.tif 000013
【図１２】
2021506170.tif 000014
【図１３】
2021506170.tif 000015
【図１４】
2021506170.tif 000016
【図１５】
2021506170.tif 000017
【図１６】
2021506170.tif 000018
【図１７】
2021506170.tif 000019
【図１８】
2021506170.tif 000020
【図１９】
2021506170.tif 000021
【図２０】
2021506170.tif 000022
【図２１】
2021506170.tif 000023
【図２２】
2021506170.tif 000024
【図２３】
2021506170.tif 000025
【図２４】
2021506170.tif 000026
【図２５】
2021506170.tif 000027
【図２６】
2021506170.tif 000028
【国際調査報告】
2021506170.tif 000029
2021506170.tif 000030
2021506170.tif 000031
2021506170.tif 000032
2021506170.tif 000033